(57)【要約】【課題】変動演出の興趣を高めることが可能な遊技機の提供。【解決手段】変動演出で演出図柄８Ｌ，８Ｃ，８Ｒが停止表示した際、その停止表示した演出図柄（停止図柄）に含まれる数字図柄（第１図柄要素）及びキャラクタ図柄（第２図柄要素）の表示態様に変化が生じた場合、一度停止表示した演出図柄８Ｌ，８Ｃ，８Ｒによる停止表示態様が変化するように構成する。これにより、変動表示を経て停止表示する演出図柄に加えて停止表示した演出図柄（停止図柄）の図柄要素の表示態様変化にも遊技者の興味を惹きつけることが可能となり、延いては、変動演出の興趣を高めることが可能となる。【選択図】図５６
2020171855.tif 000002
【特許請求の範囲】
【請求項１】
所定条件の成立に基づいて実行される当否判定の結果が特定結果である場合に、遊技者に所定の利益が付与され得る特別遊技が実行可能となる遊技機であって、
複数の図柄を表示可能な表示手段と、
演出を実行可能な演出実行手段と、を備え、
前記演出実行手段は、前記当否判定の結果に基づいて前記複数の図柄を変動表示した後に停止表示する変動演出を実行可能であり、
前記図柄は、少なくとも第１図柄要素と第２図柄要素とを含んで構成されており、
前記変動演出において、前記複数の図柄のうち停止表示した図柄に含まれる前記第１図柄要素の表示態様が変化すると、当該停止表示した図柄に含まれる前記第２図柄要素の表示態様が変化し、
前記第１図柄要素及び前記第２図柄要素の表示態様が変化する前の前記停止表示した図柄による停止表示態様と、前記第１図柄要素及び前記第２図柄要素の表示態様が変化した後の前記停止表示した図柄による停止表示態様とが異なる
ことを特徴とする遊技機。
【請求項２】
前記停止表示態様には、第１停止表示態様と、該第１停止表示態様よりも遊技者に有利な第２停止表示態様とがあり、
前記第１図柄要素及び前記第２図柄要素の表示態様が変化する前の前記停止表示した図柄による停止表示態様は前記第１停止表示態様であり、
前記第１図柄要素及び前記第２図柄要素の表示態様が変化した後の前記停止表示した図柄による停止表示態様は前記第２停止表示態様である
ことを特徴とする請求項１に記載の遊技機。
【請求項３】
前記当否判定の結果が前記特定結果であることに基づいて前記複数の図柄が変動表示した後に停止表示する場合の当該複数の図柄による停止表示態様として特定態様を有し、
前記演出実行手段は、前記複数の図柄による停止表示態様が前記特定態様となる期待度が所定の演出よりも高い特定演出を前記変動演出中に実行可能であり、
前記第１図柄要素及び前記第２図柄要素の表示態様が変化した後、前記特定演出が実行され得る
ことを特徴とする請求項１又は２に記載の遊技機。
【発明の詳細な説明】
【技術分野】
【０００１】
本発明は、遊技機に関し、特にパチンコ遊技機等に適用することができる。
【背景技術】
【０００２】
従来、所定条件の成立に基づいて実行される当否判定の結果が特定結果である場合に、遊技者に所定の利益が付与され得る特別遊技が実行可能となる遊技機が広く知られている。この種の遊技機では、当否判定の結果に基づいて複数の図柄を変動表示した後に停止表示する変動演出が実行されるのが一般的である（例えば特許文献１を参照）。
【先行技術文献】
【特許文献】
【０００３】
【特許文献１】特開２００９−９５４７０号公報
【発明の概要】
【発明が解決しようとする課題】
【０００４】
しかしながら、当否判定の結果に基づく変動演出は、その演出態様が画一的になりやすく、変動演出を行う遊技機の興趣を高めるには更なる改善の余地がある。
【０００５】
本発明は上記事情に鑑みてなされたものであり、その目的とするところは、変動演出の興趣を高めることが可能な遊技機を提供することにある。
【課題を解決するための手段】
【０００６】
前述の課題を解決するために、本発明は以下の構成を採用した。
【０００７】
手段１の遊技機は、
所定条件の成立に基づいて実行される当否判定の結果が特定結果である場合に、遊技者に所定の利益が付与され得る特別遊技が実行可能となる遊技機であって、
複数の図柄を表示可能な表示手段と、
演出を実行可能な演出実行手段と、を備え、
前記演出実行手段は、前記当否判定の結果に基づいて前記複数の図柄を変動表示した後に停止表示する変動演出を実行可能であり、
前記図柄は、少なくとも第１図柄要素と第２図柄要素とを含んで構成されており、
前記変動演出において、前記複数の図柄のうち停止表示した図柄に含まれる前記第１図柄要素の表示態様が変化すると、当該停止表示した図柄に含まれる前記第２図柄要素の表示態様が変化し、
前記第１図柄要素及び前記第２図柄要素の表示態様が変化する前の前記停止表示した図柄による停止表示態様と、前記第１図柄要素及び前記第２図柄要素の表示態様が変化した後の前記停止表示した図柄による停止表示態様とが異なる
ことを要旨とする。
【０００８】
このような遊技機によれば、当否判定の結果に基づいて実行される変動演出において、複数の図柄のうち停止表示した図柄（「停止図柄」ともいう。）に含まれる第１図柄要素の表示態様が変化すると、当該停止図柄に含まれる第２図柄要素の表示態様も変化する。そして、第１図柄要素及び第２図柄要素の表示態様が変化する前の停止図柄による停止表示態様（「先の停止表示態様」ともいう。）と、第１図柄要素及び第２図柄要素の表示態様が変化した後の停止図柄による停止表示態様（「後の停止表示態様」ともいう。）とが、異なるように構成されている。このため、変動演出で図柄が停止表示した際、その停止図柄に含まれる図柄要素の表示態様に変化が生じた場合には、一度停止表示した図柄による停止表示態様が変化することとなる。これにより、変動表示を経て停止表示する図柄に加えてその図柄（停止図柄）に含まれる図柄要素の表示態様変化にも遊技者の興味を惹きつけることが可能となり、延いては、変動演出の興趣を高めることが可能となる。
【０００９】
手段２の遊技機は、前述した手段１の遊技機において、
前記停止表示態様には、第１停止表示態様と、該第１停止表示態様よりも遊技者に有利な第２停止表示態様とがあり、
前記第１図柄要素及び前記第２図柄要素の表示態様が変化する前の前記停止表示した図柄による停止表示態様は前記第１停止表示態様であり、
前記第１図柄要素及び前記第２図柄要素の表示態様が変化した後の前記停止表示した図柄による停止表示態様は前記第２停止表示態様である
ことを要旨とする。
【００１０】
このような遊技機によれば、変動演出で停止表示した図柄による停止表示態様には第１停止表示態様と第２停止表示態様とがあり、第１停止表示態様よりも第２停止表示態様の方が遊技者にとって有利な停止表示態様とされている。そして、第１図柄要素及び第２図柄要素の表示態様の変化を契機として、停止図柄による停止表示態様が変化する場合、その変化前の停止表示態様は第１停止表示態様となり、変化後の停止表示態様は第２停止表示態様となる。このため、変動演出で停止表示した図柄による停止表示態様が第１停止表示態様であったとしても、その第１停止表示態様を構成する停止図柄に含まれる図柄要素の表示態様に変化が生じると、第１停止表示態様よりも有利な第２停止表示態様に変化することとなる。これにより、停止図柄に含まれる図柄要素の表示態様変化に対する遊技者の関心や期待を効果的に高めることが可能となる。
【００１１】
手段３の遊技機は、前述した手段１又は２の遊技機において、
前記当否判定の結果が前記特定結果であることに基づいて前記複数の図柄が変動表示した後に停止表示する場合の当該複数の図柄による停止表示態様として特定態様を有し、
前記演出実行手段は、前記複数の図柄による停止表示態様が前記特定態様となる期待度が所定の演出よりも高い特定演出を前記変動演出中に実行可能であり、
前記第１図柄要素及び前記第２図柄要素の表示態様が変化した後、前記特定演出が実行され得る
ことを要旨とする。
【００１２】
このような遊技機によれば、当否判定の結果が特定結果であることに基づいて実行される変動演出では、変動表示を経て停止表示する複数の図柄による停止表示態様が特定態様となる。そして、変動演出の実行中に、複数の図柄による停止表示態様が特定態様となる期待度が所定の演出よりも高い特定演出が実行可能とされており、変動演出で停止表示した図柄に含まれる第１図柄要素及び第２図柄要素の表示態様が変化すると、その変化後に特定演出が実行され得る。このため、変動演出で図柄が停止表示した際、その停止図柄に含まれる図柄要素の表示態様に変化が生じて特定演出が実行された場合には、特別遊技の期待度が高まることとなる。これにより、停止図柄に含まれる図柄要素の表示態様変化を契機とする特定演出の実行に対する遊技者の関心や期待を高めることが可能となる。
【発明の効果】
【００１３】
以上の本発明によれば、変動演出の興趣を高めることが可能である。
【図面の簡単な説明】
【００１４】
【図１】本発明の実施例に係る遊技機の正面図である。
【図２】本発明の実施例に係る遊技機の裏面図である。
【図３】本発明の実施例の遊技盤の構成を示す正面図である。
【図４】図３に示す主表示器の拡大図であり、同遊技機が備える表示器類を示す図である。
【図５】同遊技機の電気的な構成を示すブロック図である。
【図６】大当りの種別と大入賞口の開放パターンとの対応等を示す表である。
【図７】遊技制御用マイコンが取得する各種乱数を示す表である。
【図８】（Ａ）は大当り判定テーブルであり、（Ｂ）は大当り種別判定テーブルであり、（Ｃ）は普通図柄当り判定テーブルであり、（Ｄ）は普通図柄変動パターン選択テーブルである。
【図９】変動パターンテーブルである。
【図１０】主制御メイン処理のフローチャートである。
【図１１】割り込み処理のフローチャートである。
【図１２】始動口センサ検知処理のフローチャートである。
【図１３】普図動作処理のフローチャートである。
【図１４】普通図柄待機処理のフローチャートである。
【図１５】普通図柄当否判定処理のフローチャートである。
【図１６】普通図柄乱数シフト処理のフローチャートである。
【図１７】普通図柄変動中処理のフローチャートである。
【図１８】普通図柄確定処理のフローチャートである。
【図１９】普通電動役物処理のフローチャートである。
【図２０】特図動作処理のフローチャートである。
【図２１】特別図柄待機処理のフローチャートである。
【図２２】特図２当否判定処理のフローチャートである。
【図２３】特図２変動パターン選択処理のフローチャートである。
【図２４】特図２変動パターン選択処理のフローチャートである。
【図２５】特図２乱数シフト処理のフローチャートである。
【図２６】特図１当否判定処理のフローチャートである。
【図２７】特図１変動パターン選択処理のフローチャートである。
【図２８】特図１変動パターン選択処理のフローチャートである。
【図２９】特図１乱数シフト処理のフローチャートである。
【図３０】特別図柄変動中処理のフローチャートである。
【図３１】特別図柄確定処理のフローチャートである。
【図３２】特別電動役物処理（大当り遊技）のフローチャートである。
【図３３】Ｖラウンド処理のフローチャートである。
【図３４】遊技状態設定処理のフローチャートである。
【図３５】特定領域センサ検知処理のフローチャートである。
【図３６】非特定領域センサ検知処理のフローチャートである。
【図３７】始動入球時処理のフローチャートである。
【図３８】電源断監視処理のフローチャートである。
【図３９】サブ制御メイン処理のフローチャートである。
【図４０】受信割り込み処理のフローチャートである。
【図４１】２ｍｓタイマ割り込み処理のフローチャートである。
【図４２】１０ｍｓタイマ割り込み処理のフローチャートである。
【図４３】受信コマンド解析処理のフローチャートである。
【図４４】受信コマンド解析処理のフローチャートである。
【図４５】変動演出開始処理のフローチャートである。
【図４６Ａ】変動演出終了処理のフローチャートである。
【図４６Ｂ】変動演出終了処理のフローチャートである。
【図４７】大当りの種別とＶラウンドでの可動片動作タイミング（第１所定値および第２所定値）との対応を示す表である。
【図４８】第２大入賞口センサと特定領域（可動片）との関係を示すタイミングチャートである。
【図４９】第２大入賞装置の模式図である。
【図５０】バトルモードの表示画面を示す説明図である。
【図５１】バトルモードの表示画面を示す説明図である。
【図５２】（Ａ）は大当り停止表示時間中の右打ち指示報知の表示例を示す説明図であり、（Ｂ）はオープニング期間中の右打ち指示報知の表示例を示す説明図であり、（Ｃ）はラウンド遊技中の右打ち指示報知の表示例を示す説明図である。
【図５３】実施例２の演出図柄を示す表である。
【図５４】実施例２の特定変動演出パターンに基づく変動演出を示す説明図である。
【図５５】実施例２の特定変動演出パターンに基づく変動演出を示す説明図である。
【図５６】他の特定変動演出パターンに基づく変動演出を示す説明図である。
【発明を実施するための形態】
【００１５】
次に、本発明の実施の形態について実施例を用いて説明する。以下では、遊技に用いる遊技媒体が遊技球とされ、当該遊技球を遊技盤面（遊技領域）に向けて発射することで遊技を進行させることが可能なパチンコ遊技機（弾球遊技機）に本発明を適用した例を説明する。なお、以下に例示するパチンコ遊技機は、始動口への遊技球の入球に基づいて特別図柄を変動表示した後に停止表示する図柄変動遊技（単に「変動遊技」ともいう。）を行い、当該特別図柄の変動表示の終了に伴い大当り図柄が停止表示されると、遊技者に所定量の遊技利益（例えば賞球）が付与され得る大当り遊技（特別遊技）が実行可能となる所謂「デジパチタイプ」の遊技機である。
【００１６】
また、以下の説明において、単に前側（前方）とは、遊技機を正面視した場合の表面側（手前側）であって、遊技時に遊技者が位置する側のことである。また、単に後側（後方）とは、遊技機を正面視した場合の背面側のことである。さらに、単に上側（上方）、下側（下方）、左側（左方）、右側（右方）とは、遊技機を正面視した場合の上・下・左・右の各方向のことであり、例えば、図１や図３における上側、下側、左側、右側を指す。
【実施例１】
【００１７】
図１〜図３に示すように、本実施例のパチンコ遊技機１は、遊技機枠５０と、遊技機枠５０内に取り付けられた遊技盤２とを備えており、遊技盤２は遊技機枠５０から着脱自在に構成されている。図３は、遊技盤２を遊技機枠５０から取り外した状態のものを示す。遊技機枠５０は、装飾面を有する前面枠５１と、遊技盤２等を取り付ける本体枠５２と、パチンコ遊技機１をホールの島設備に取り付けるための外枠５３と、を有して構成されており、前面枠５１、本体枠５２及び外枠５３は、一側端側で軸支され夫々開閉可能に構成されている。
【００１８】
また、前面枠５１には、遊技者の操作量（回転角度）に応じた発射強度で遊技球を発射させるための発射ハンドル６０、遊技球を貯留し貯留した遊技球を発射装置側に供給可能な打球供給皿（上皿）６１、及び打球供給皿６１に収容しきれない遊技球を貯留する余剰球受皿（下皿）６２が設けられている。また前面枠５１には、遊技の進行に伴って実行される遊技演出の実行中などに、遊技者が操作可能な第１演出ボタン６３ａ、第２演出ボタン６３ｂ（これら２個の演出ボタンを総称して単に「演出ボタン６３」ともいう。）が設けられている。複数の演出ボタンは、遊技演出の種類に応じて使用する演出ボタンを使い分けることができる。
【００１９】
また前面枠５１には、装飾用の枠ランプ６６及びスピーカ６７が設けられている。なお、演出ボタン６３の構成は本実施例の態様に限らず、遊技者からの入力を検知できるものであればたり、遊技者が直接ボタン部に接触して入力を行う手段（例えば、出没式、タッチセンサ式等）であってもよいし、遊技者の身体の一部が近接したことを検知して入力を行う非接触式の入力手段（光電式等）であってもよい。
【００２０】
遊技盤２には、発射ハンドル６０の操作により発射された遊技球が流下する遊技領域３が、レール部材４で囲まれて形成されている。遊技領域３には、遊技球を誘導する複数の遊技釘１６が突設されている。レール部材４の先端には球戻り防止片６が設けられており、一旦遊技領域へ誘導された遊技球が発射装置側へ戻るのを防止することができる。また、遊技盤２には、装飾用の盤面ランプ５が設けられている。
【００２１】
遊技盤２の中央付近（遊技領域内）には画像表示装置７が設けられている。画像表示装置７は液晶表示器からなるもので、その表示画面７ａが遊技盤２（遊技領域３）の略中央に設けられた開口を臨むようにして、遊技盤２の裏面側に設けられるものである。画像表示装置７の表示画面７ａには、演出図柄８Ｌ，８Ｃ，８Ｒ（単に「演出図柄８」ともいう。）が表示される演出図柄表示領域７ｂ（「演出図柄表示部」ともいう。）が設けられている。
【００２２】
演出図柄８は、後述の第１特別図柄及び第２特別図柄の変動表示に同期して変動表示を行う。変動表示の態様としては、例えば上下、左右、斜め方向等にスクロール表示する態様があり、本実施例では、原則、上から下へスクロール表示する。演出図柄表示領域７ｂは、例えば「左」「中」「右」の３つの図柄表示エリアからなり、左の図柄表示エリアには左演出図柄８Ｌが表示され、中の図柄表示エリアには中演出図柄８Ｃが表示され、右の図柄表示エリアには右演出図柄８Ｒが表示される。
【００２３】
本実施例の演出図柄８Ｌ，８Ｃ，８Ｒは、それぞれ「１」〜「９」の数字を表す数字図柄（図柄種）からなるもので、その数字図柄が順に表示されるものとなっている。具体的に、演出図柄８の変動表示は、「１」→「２」・・・「８」→「９」の順（昇順）で数字図柄をスクロール表示させることによって行われるものとなっており、「９」まで到達したら「１」に戻って、スクロール表示を変動終了（停止表示）まで繰り返すものとなっている。
【００２４】
演出図柄表示領域７ｂに表示（停止表示）される左、中、右の組み合わせ（停止表示態様）によって、後述の第１特別図柄表示器４１ａ（「第１特別図柄表示部」ともいう。）に表示される第１特別図柄の変動表示の結果や、第２特別図柄表示器４１ｂ（「第２特別図柄表示部」ともいう。）に表示される第２特別図柄の変動表示の結果、つまり、特別図柄当否判定（単に「当否判定」ともいう。）の結果を、遊技者が認識し易いように表示する。本実施例では、変動表示している３つの演出図柄８Ｌ，８Ｃ，８Ｒが停止表示する順序（停止順序）を、原則「左→右→中」としている。すなわち、停止順が１番目の停止図柄を左演出図柄８Ｌとし、停止順が２番目の停止図柄を右演出図柄８Ｒとし、停止順が３番目（最後）の停止図柄を中演出図柄８Ｃとしている。なお、停止順が１番目の停止図柄のことを「第１停止図柄」ともいい、停止順が２番目の停止図柄のことを「第２停止図柄」ともいい、停止順が３番目の停止図柄のことを「第３停止図柄」や「最終停止図柄」ともいう。
【００２５】
ここで、第１特別図柄、第２特別図柄及び演出図柄８の何れか又は全部を指して単に「図柄」や「識別情報」ともいう。また、普通図柄のことを「普図」や「普通識別情報」ともいい、特別図柄のことを「特図」ともいい、第１特別図柄のことを「特図１」や「第１特図」ともいい、第２特別図柄のことを「特図２」や「第２特図」ともいう。さらに、演出図柄８を表示する画像表示装置７、第１特別図柄を表示する第１特別図柄表示器４１ａ及び第２特別図柄を表示する第２特別図柄表示器４１ｂの何れか又は全部を指して「識別情報表示手段」ともいう。
【００２６】
演出図柄８の停止表示態様は次のように定めることができる。例えば、特別図柄当否判定の結果が大当りとなった場合には、「２２２」や「７７７」等の３桁同一のゾロ目（「大当り演出図柄」ともいう）で演出図柄を停止表示することが可能である。また、外れとなった場合には「６３７」や「３７３」などの３つの図柄のうち少なくとも１つの図柄が異なるバラケ目図柄（「外れ演出図柄」ともいう。）で演出図柄を停止表示することが可能である。これにより、遊技者は停止表示した演出図柄を見ることで、遊技の進行状況を容易に把握することが可能となる。つまり遊技者は、一般的には特別図柄当否判定の結果（大当りか外れか）を第１特別図柄表示器４１ａや第２特別図柄表示器４１ｂに表示される特別図柄を見て直接的に把握するのではなく、演出図柄表示領域７ｂに表示される演出図柄を見て把握する。
【００２７】
なお、左・中・右の図柄表示エリアは夫々区別して設ける必要はなく、３つの演出図柄を表示する一の図柄表示エリアとしてもよい。また、本実施例では、左・中・右の演出図柄８を表示するものとしているが、例えば、表示画面上に３行３列のマトリックス状の図柄表示エリアを設けて９つの演出図柄を表示し、各図柄が変動表示を経て停止表示したときの縦一列、横一列、斜め一列の各列の並び（図柄組合せ）により演出図柄の停止態様（停止図柄）を表示したり、図柄表示エリア（演出図柄表示領域）を複数（例えば４つ）の領域に分割して各領域で３つの演出図柄の変動表示及び停止表示を行ったりする等、演出図柄の数や図柄表示エリアの態様は特に問わない。
【００２８】
ここで、特別図柄当否判定の結果のうち「大当り」のことを「特定結果」ともいい、「外れ」のことを「非特定結果」ともいう。また、識別情報（特別図柄及び／又は演出図柄）の停止表示態様のうち、特別図柄当否判定の結果が「大当り」の場合に対応する停止表示態様のことを「大当り態様」、「特定態様」又は「特定表示結果」ともいい、特別図柄当否判定の結果が「外れ」の場合に対応する停止表示態様のことを「外れ態様」、「非特定態様」又は「非特定表示結果」ともいう。さらに、特別図柄当否判定の結果が大当りであることに基づいて実行される変動表示のことを「大当り変動」ともいい、特別図柄当否判定の結果が外れであることに基づいて実行される変動表示のことを「外れ変動」ともいう。
【００２９】
画像表示装置７の表示画面７ａ上では、前述のような演出図柄８を用いた遊技演出（「演出図柄遊技演出」ともいう。）のほか、大当り遊技に伴って実行される大当り遊技演出（特別遊技演出）や、客待ち用のデモ演出などが表示される。なお、演出図柄遊技演出や大当り遊技演出、デモ演出等の各種演出では、数字等の演出図柄のほか、背景画像やキャラクタ画像などの演出図柄以外の演出画像も表示される。
【００３０】
また、画像表示装置７の表示画面７ａには、後述の第１特図保留の記憶数に応じて第１演出保留９ａを表示する第１演出保留表示領域９ｃ（第１演出保留表示部）と、後述の第２特図保留の記憶数に応じて第２演出保留９ｂを表示する第２演出保留表示領域９ｄ（第２演出保留表示部）とがある。第１演出保留又は第２演出保留の表示態様（表示数）により、後述の第１特図保留表示器４３ａにて表示される第１特図保留の記憶数及び第２特図保留表示器４３ｂにて表示される第２特図保留の記憶数を、遊技者にわかりやすく示すことができる。
【００３１】
遊技盤２（遊技領域３）の中央付近であって画像表示装置７の前方には、演出図柄表示領域７ｂを取り囲むように、センター装飾体１０が設けられている。センター装飾体１０の下部には、遊技球が転動可能な遊技球転動面を有するステージ部１１が設けられている。またセンター装飾体１０の左部には、中空状のワープ部１２が設けられている。ワープ部１２にはワープ入口とワープ出口とが設けられており、遊技領域３を流下する遊技球をワープ入口から受け入れ、当該遊技球をワープ出口から排出しステージ部１１へと誘導する。ステージ部１１の転動面に誘導された遊技球は、ステージ部１１に誘導されない遊技球と比して高い可能性で、後述の第１始動口２０に入球可能とされている。さらにセンター装飾体１０の上部には、ＬＥＤ等の電飾部材（盤面ランプ５）を有し遊技状態に応じて点灯可能であって、文字や図形等を象った装飾部材１３が配されている。
【００３２】
センター装飾体１０の上部であって装飾部材１３の後方には、遊技演出に伴って動作可能な可動装飾部材１４が設けられている。図３では、可動装飾部材１４の一部分のみが視認可能となっているが、例えば、比較的大当りの可能性の高い遊技演出の実行に伴って可動装飾部材１４が下方に落下し、当該可動装飾部材１４が表示画面７ａの前面を覆うことで、その大部分が視認可能となる。これにより、遊技者は大当りへの期待感を高めることとなる。
【００３３】
遊技領域３における画像表示装置７の下方（ステージ部１１の下方）には、遊技球の入球し易さ（入球可能性）が変化しない非可変式の第１始動口２０を備える固定入賞装置１９が設けられている。第１始動口２０への遊技球の入球に基づいて、特別図柄当否判定用乱数等が取得され、予め定められた所定条件が成立すると第１特別図柄に係る当否判定（「第１特別図柄当否判定」ともいう。）が実行されると共に第１特別図柄が変動表示され、当否判定の結果に基づいて停止表示される。
【００３４】
遊技領域３における画像表示装置７の右方には、遊技球の入球し易さ（入球可能性）が変化する可変式の第２始動口２１（「可変始動口」ともいう。）を備える可変入賞装置２２が設けられている。第２始動口２１への遊技球の入球に基づいて、特別図柄当否判定用乱数等が取得され、予め定められた所定条件が成立すると第２特別図柄の当否判定（第２特別図柄当否判定）が実行されると共に第２特別図柄が変動表示され、当否判定の結果に基づいて停止表示される。
【００３５】
つまり、第１特別図柄の変動表示（第１特別図柄当否判定）は、第１始動口２０への遊技球の入球に基づいて実行され、第２特別図柄の変動表示（第２特別図柄当否判定）は、第２始動口２１への遊技球の入球に基づいて実行される。
【００３６】
可変入賞装置２２は、開閉部材（羽根部材）２３を備え、開閉部材２３の動作によって第２始動口２１を開閉するものである。開閉部材２３の開閉動作により、第２始動口２１は、第１の態様（閉状態）と当該第１の態様よりも遊技球の入球可能性が高い第２の態様（開状態）とに変化可能である。開閉部材２３は、第２始動口ソレノイド２４（図５を参照）により駆動される。本実施例では、第２始動口２１は、開閉部材２３が開状態にあるときだけ遊技球が入球可能とされ、開閉部材２３が閉状態にあるときには遊技球が入球不能となっている。なお、第２始動口２１は、開閉部材２３が閉状態にあるときは開状態にあるときよりも遊技球が入球困難となるものであれば、開閉部材２３が閉状態にあるときに完全に入球不能となるものでなくてもよい。
【００３７】
遊技領域３における第１始動口２０の右方には、遊技球の入球し易さ（入球可能性）が変化する可変式の第１大入賞口３０（「第１可変入球口」ともいう。）を備えた第１大入賞装置３１と、遊技球の入球し易さ（入球可能性）が変化する可変式の第２大入賞口３５（「第２可変入球口」ともいう。）を備えた第２大入賞装置３６と、が設けられている。本実施例では、第１大入賞口３０（第１大入賞装置３１）の真上に第２大入賞口３５（第２大入賞装置３６）が配置されている。第１大入賞口３０（第１大入賞装置３１）及び第２大入賞口３５（第２大入賞装置３６）の何れか一方又は両方を指して「特別入球口」ともいう。
【００３８】
第１大入賞装置３１は、開閉部材３２を備え、開閉部材３２の動作により第１大入賞口３０を開閉するものである。開閉部材３２は、第１大入賞口ソレノイド３３（図５参照）により駆動される。第１大入賞口３０は、開閉部材３２が開状態にあるときだけ遊技球が入球可能となる。開閉部材３２の開閉動作により、第１大入賞口３０は、遊技球が入球不能な入球不能状態（閉状態）と遊技球が入球可能な入球可能状態（開状態）とに変化し得る。
【００３９】
第２大入賞装置３６は、開閉部材３７を備え、開閉部材３７の動作により第２大入賞口３５を開閉するものである。開閉部材３７は、第２大入賞口ソレノイド３８（図５を参照）により駆動される。第２大入賞口３５は、開閉部材３７が開状態にあるときだけ遊技球が入球可能となる。開閉部材３７の開閉動作により、第２大入賞口３５は、遊技球が入球不能な入球不能状態（閉状態）と遊技球が入球可能な入球可能状態（開状態）とに変化し得る。
【００４０】
また第２大入賞装置３６は、第２大入賞口３５に入球した遊技球が通過可能な特定領域３９（「Ｖ領域」ともいう。）及び非特定領域４９（「非Ｖ領域」ともいう。）と、第２大入賞口３５に入球した遊技球を特定領域３９又は非特定領域４９に誘導する（振り分ける）ための可動片１５０を含んで構成されている。
【００４１】
詳細には後述するが、可動片１５０は、後述の第２大入賞口センサ３５ａにより検知された遊技球の数に基づいて動作するもので、可動片ソレノイド１５１（図５を参照）により駆動される。可動片ソレノイド１５１がＯＦＦのとき、すなわち可動片１５０が動作していないときは（非動作状態）、第２大入賞口３５に入球した遊技球は非特定領域４９（特定領域以外の領域）に誘導されて、特定領域３９を通過することが不可能となる。一方、可動片ソレノイド１５１がＯＮのとき、すなわち可動片１５０が動作しているときは（動作状態）、第２大入賞口３５に入球した遊技球は特定領域３９に誘導されて、特定領域３９を通過すること（「Ｖ通過」ともいう。）が可能となる。なお、可動片１５０のことを「可動部材」又は「振分部材」ともいう。また、可動片１５０を含んで構成される第２大入賞装置３６又は第２大入賞口３５のことを「Ｖアタッカー」ともいう。
【００４２】
本パチンコ遊技機１では、第２大入賞口３５に入球した遊技球の少なくとも１個が特定領域３９を通過したことが検知されることに基づいて、後述の高確率状態を発生させるように構成されている。高確率状態は、特別遊技とは別に遊技者に付与される遊技上の特典の一つである。特定領域３９への遊技球の通過有無に基づいて高確率状態を発生させるか否かを決定する本パチンコ遊技機１は、所謂「Ｖ確機」と呼ばれるものであり、特定領域３９は確変作動口（確変領域）として機能するものである。このような特定領域３９は、第１大入賞装置３１（第１大入賞口３０）には設けられていない。なお、第１大入賞装置３１（第１大入賞口３０）に特定領域３９を設けてもよい。
【００４３】
ここで、第２大入賞装置３６の構成について詳しく説明する。図４９は第２大入賞装置３６を示す模式図である。同図に示すように、第２大入賞口３５に入球した遊技球は、第２大入賞装置内の所定の遊技球誘導通路を通って、全て第２大入賞口センサ３５ａ（「入球検知手段」又は「入球検知センサ」ともいう。）を通過する。第２大入賞口センサ３５ａは第２大入賞口３５への遊技球の入球を検知するためのセンサであり、第２大入賞口センサ３５ａでの検知に基づいて第２大入賞口３５への入球数を計数することが可能である。遊技球が第２大入賞口センサ３５ａで検知されると、その検知数（つまり、入球数）が後述する主制御部８０のＲＡＭに設けられた入球数計数手段（図示しない）によりラウンド単位で計数される。この計数結果（計数値）はラウンド終了によりクリアされる。
【００４４】
また、第２大入賞口センサ３５ａで検知された遊技球は、その後、所定の遊技球誘導通路を通って、必ず特定領域３９又は非特定領域４９を通過する（図４９（ａ）、（ｂ）を参照）。特定領域３９は、可動片１５０が動作中（動作状態）のときにだけ、換言すると、特定領域３９が開放中のときにだけ、遊技球が通過可能となる。特定領域３９には特定領域センサ３９ａが設けられており、特定領域３９を通過する遊技球は特定領域センサ３９ａにより検知される（図４９（ｂ）を参照）。特定領域センサ３９ａは、特定領域３９への遊技球の通過を検知するためのセンサである。また、非特定領域４９には非特定領域センサ４９ａが設けられており、非特定領域４９を通過する遊技球は非特定領域センサ４９ａにより検知される（図４９（ａ）を参照）。非特定領域センサ４９ａは、非特定領域４９への遊技球の通過を検知するためのセンサである。特定領域センサ３９ａ及び非特定領域検知センサ４９ａは、第２大入賞口３５からの遊技球の排出を検知するためのセンサでもあり、特定領域センサ３９ａ及び非特定領域検知センサ４９ａの検知に基づいて第２大入賞口３５からの排出数を計数することが可能となる。遊技球が特定領域センサ３９ａ又は非特定領域検知センサ４９ａで検知されると、その検知数（つまり、排出数）が後述する主制御部８０のＲＡＭに設けられた排出数計数手段（図示しない）によりラウンド単位で計数される。この計数結果（計数値）はラウンド終了によりクリアされる。
【００４５】
また、特定領域センサ３９ａにより検知された遊技球の数は、後述する主制御部８０のＲＡＭに設けられた特定領域通過計数手段（図示しない）により特定領域通過数として計数され、非特定領域センサ４９ａにより検知された遊技球の数は、後述する主制御部８０のＲＡＭに設けられた非特定領域通過計数手段（図示しない）により非特定領域通過数として計数される。これらの計数もラウンド単位で行われ、計数結果（計数値）はラウンド終了によりクリアされる。
【００４６】
なお、第２大入賞口３５に入球した遊技球が排出されるのを検知する特定領域センサ３９ａ（「第１排出検知手段」又は「第１排出検知センサ」ともいう。）および非特定領域検知センサ４９ａ（「第２排出検知手段」又は「第２排出検知センサ」ともいう。）のことを、総じて「排出検知手段」又は「排出検知センサ」ともいう。
【００４７】
本実施例では、主制御部８０の制御プログラムによって、第２大入賞口３５に係る遊技球の入球数および排出数を計数し、その計数結果を基に入球数と排出数の一致・不一致を判定することにより、特定領域３９を有する第２大入賞装置３６（第２大入賞口３５）への入球に係る異常や不正等の発生の有無を監視することが可能となっている。第２大入賞装置３６（第２大入賞口３５）の内部では、特定領域３９を開閉するための可動片１５０を動作させるため、可動片１５０に遊技球が噛む等して、第２大入賞装置３６（第２大入賞口３５）に遊技球が詰まってしまう虞がある。このような球詰まりが発生した場合には、第２大入賞口３５に入球した遊技球がその後排出されないことから、入球数と排出数とが一致しないこととなる。このように入球数と排出数とを監視することで、球詰まりの有無を確認することが可能となる。また、いわゆる糸吊りゴト等の不正行為により遊技球を特定領域センサ３９ａに検知させた場合にも入球数と排出数とが一致しないため、このことに基づいて不正行為の有無を監視して、不測の損害が発生するのを未然に防止することも可能となる。
【００４８】
また本実施例では、主制御部８０の制御プログラムによって、特定領域３９への遊技球の通過に関するエラーの発生を判定することが可能となっている。具体的には、特定領域センサ３９ａによる遊技球の検知を有効なものとして扱う特定領域有効期間が、可動片１５０の動作開始を契機に設定され、その特定領域有効期間を除いた期間（特定領域有効期間以外の期間）において遊技球が特定領域センサ３９ａにより検知された場合（特定領域センサ３９ａによる検知がなされた場合）にはエラーの発生と判定して、その検知を無効なものとして扱うものとしている。また、特定領域センサ３９ａの接続不良等により当該センサの信号（特定領域通過信号）に異常が発生した場合にも、エラーの発生とすることが可能となっている。こうした特定領域有効期間や特定領域センサ３９ａの接続不良等に基づくエラーの判定によっても、不正行為や機器の故障・破損等の有無を監視することが可能であり、これにより不測の損害が発生するのを未然に防止することが可能となる。
【００４９】
遊技領域３のうち、センター装飾体１０より右側の領域には、遊技球が通過可能なゲート２８（遊技球通過口）が設けられている。ゲート２８への遊技球の通過に基づいて、普通図柄当否判定用乱数等が取得され、予め定められた所定条件が成立すると、第２始動口２１を開状態とするか否かを判定する普通図柄当否判定が実行されると共に普通図柄が変動表示され、普通図柄当否判定の結果に基づいて停止表示される。当り普通図柄が停止表示すると第２始動口２１は開状態となる。
【００５０】
さらに遊技領域３の下部には、複数の一般入賞口２７が設けられている。本実施例では、一般入賞口２７を４個設けてあり、そのうちの３個を第１始動口２０の左方に設けられた左一般入賞口とし、１個を第１大入賞口３０の右方に設けられた右一般入賞口としている。第１始動口２０、第２始動口２１、第１大入賞口３０、第２大入賞口３５及び一般入賞口２７は、それぞれ賞球の払い出し契機となる入球口であり、各入球口に遊技球が入球した場合には、夫々の入球口において予め定められた数の遊技球（「賞球」ともいう。）が払い出される。具体的には、第１始動口２０の賞球数は「４」、第２始動口２１の賞球数は「１」、一般入賞口２７の賞球数は「１０」、第１大入賞口２０及び第２大入賞口３５の賞球数は「１５」としている。
【００５１】
このように複数の入球口（第１始動口２０、第２始動口２１、第１大入賞口３０、第２大入賞口３５、一般入賞口２７及びゲート２８）等が配されている遊技領域３を、左右方向の中央より左側の左遊技領域３Ａ（第１領域）と、右側の右遊技領域３Ｂ（第２領域）と、に分けることができる。左遊技領域３Ａを遊技球が流下するように遊技球を発射することを「左打ち」といい、右遊技領域３Ｂを遊技球が流下するように遊技球を発射することを「右打ち」という。
【００５２】
複数の入球口のうち、第１始動口２０及び３個の左一般入賞口２７は、遊技領域３のうち左遊技領域３Ａを流下する遊技球が入球可能となるように設けてあり、第２始動口２１、第１大入賞口３０、第２大入賞口３５、右一般入賞口２７及びゲート２８は、遊技領域３のうち右遊技領域３Ｂを流下する遊技球が入球可能となるように設けてある。本パチンコ遊技機１では、遊技開始の際には、原則、左打ちにて第１始動口２０への入球を狙う。一方、第１始動口２０への入球に基づく当否判定において当りとなり遊技状態が変化した際には、原則、右打ちにてゲート２８、第２始動口２１、第１大入賞口３０および第２大入賞口３５への入球を狙うこととなる。なお、右遊技領域３Ｂは「所定の領域」の一例である。
【００５３】
また、図３及び図４に示すように、遊技領域３の外側（遊技領域外）であって遊技盤２の右下部には主表示器４０が配置されている。主表示器４０には、第１特別図柄を変動表示および停止表示する第１特別図柄表示器４１ａ（第１特別図柄表示部）と、第２特別図柄を変動表示および停止表示する第２特別図柄表示器４１ｂ（第２特別図柄表示部）と、普通図柄を変動表示および停止表示する普通図柄表示器４２（普通図柄表示部）と、第１特別図柄に係る当否判定情報（第１特図保留）の記憶数を表示する第１特図保留表示器４３ａと、第２特別図柄に係る当否判定情報（第２特図保留）の記憶数を表示する第２特図保留表示器４３ｂと、普通図柄表示器４２の作動保留（普図保留）の記憶数を表示する普図保留表示器４４と、第１特別図柄当否判定又は第２特別図柄当否判定の結果が大当り（特定結果）となった場合に、実行される大当り遊技のラウンド数を示すラウンド表示器４５と、確率変動機能が作動することを示す遊技状態表示器４６と、遊技球の発射方向（左打ちすべき状態か右打ちすべき状態か）を示す発射方向表示器４７と、第１特別図柄当否判定又は第２特別図柄当否判定の結果が大当りになったことを示す当り表示器４８と、が含まれている。これら主表示器４０に含まれる各種の表示器は、後述の主制御部によって表示制御される。なお、以下の説明では、第１特別図柄及び第２特別図柄を総称して特別図柄ということがあり、第１特別図柄表示器４１ａ及び第２特別図柄表示器４１ｂを総称して特別図柄表示部ということがあり、第１特図保留表示器４３ａ及び第２特図保留表示器４３ｂを総称して特図保留表示部ということがある。
【００５４】
特別図柄表示部では、特別図柄（識別情報）を所定時間変動表示した後に停止表示し、停止表示した特別図柄（停止図柄）によって第１始動口２０又は第２始動口２１への入球に基づく抽選（特別図柄当否判定、大当り抽選）の結果を報知する。停止表示される特別図柄は、特別図柄当否判定によって複数種類の特別図柄の中から選択された一つの特別図柄である。停止図柄が予め定めた特定特別図柄（特定識別情報）である場合、すなわち、大当り図柄や小当り図柄等の当り図柄である場合には、停止表示された特定特別図柄の種類に応じた開放パターンにて第１大入賞口３０又は第２大入賞口３５を開放させる特別遊技（大当り遊技）が行われる。特別遊技における大入賞口（第１大入賞口３０、第２大入賞口３５）の開放パターンについては後述する。
【００５５】
図４に示すように、第１特別図柄表示器４１ａは「ｉ〜ｐ」で示す８個のＬＥＤで構成されており、第１特別図柄当否判定の結果に応じた特別図柄を表示する。本実施例では、第１特別図柄当否判定の結果として「７Ｒ第１〜第７大当り」の７種類の大当りが設けられており（図８を参照）、第１特別図柄表示器４１ａのＬＥＤは、それら７種類の大当りの各々に応じた表示態様（「特定態様」又は「特定表示結果」ともいう。）を採ることが可能となっている。
【００５６】
具体的には、第１特別図柄当否判定の結果が「７Ｒ第１大当り」の場合は「ｉｊｎ」の３個のＬＥＤを点灯させて残りを消灯させるものとし（７Ｒ第１大当り図柄）、「７Ｒ第２大当り」の場合は「ｉｍｎ」の３個のＬＥＤを点灯させて残りを消灯させるものとし（７Ｒ第２大当り図柄）、「７Ｒ第３大当り」の場合は「ｊｌｎ」の３個のＬＥＤを点灯させて残りを消灯させるものとし（７Ｒ第３大当り図柄）、「７Ｒ第４大当り」の場合は「ｊｋｎ」の３個のＬＥＤを点灯させて残りを消灯させるものとし（７Ｒ第４大当り図柄）、「７Ｒ第５大当り」の場合は「ｋｌｎ」の３個のＬＥＤを点灯させて残りを消灯させるものとし（７Ｒ第５大当り図柄）、「７Ｒ第６大当り」の場合は「ｋｌｐ」の３個のＬＥＤを点灯させて残りを消灯させるものとし（７Ｒ第６大当り図柄）、「７Ｒ第７大当り」の場合は「ｋｌｎ」の３個のＬＥＤを点灯させて残りを消灯させるものとする（７Ｒ第７大当り図柄）。また、第１特別図柄当否判定の結果が「外れ」の場合は「ｎ」の１個のＬＥＤを点灯させて残りを消灯させるものとする（外れ図柄、非特定態様）。
【００５７】
一方、第２特別図柄表示器４１ｂは「ａ〜ｈ」で示す８個のＬＥＤで構成されており、第２特別図柄当否判定の結果に応じた特別図柄を表示する。本実施例では、第２特別図柄当否判定の結果として「１５Ｒ第８大当り」及び「１５Ｒ第９大当り」の２種類の大当りが設けられており（図８を参照）、第２特別図柄表示器４１ｂのＬＥＤは、それら２種類の大当りの各々に応じた表示態様（「特定態様」又は「特定表示結果」ともいう。）を採ることが可能となっている。
【００５８】
具体的には、第２特別図柄当否判定の結果が「１５Ｒ第８大当り」の場合は「ａｃｄｅ」の４個のＬＥＤを点灯させて残りを消灯させるものとし（１５Ｒ第８大当り図柄）、「１５Ｒ第９大当り」の場合は「ｂｆｇｈ」の４個のＬＥＤを点灯させて残りを消灯させるものとする（１５Ｒ第９大当り図柄）。また、第２特別図柄当否判定の結果が「外れ」の場合は「ｇ」の１個のＬＥＤを点灯させて残りを消灯させるものとする（外れ図柄、非特定態様）。
【００５９】
なお、特別図柄の停止表示態様（停止図柄）や大当りの種類（ラウンド数の種類、大当りの数など）は本実施例に限定されるものではなく、任意に設定することができる。
【００６０】
特別図柄が停止表示される前には所定の変動時間にわたって特別図柄の変動表示が行われる。特別図柄の変動表示の態様は、例えば、時計回り方向や反時計回り方向など、予め定められた順序で光が繰り返し流れるように各ＬＥＤが点灯する態様とすることができる。また、第１特別図柄表示器４１ａに停止表示された第１特別図柄は、次の第１特別図柄の変動表示が開始されるまで、その停止表示態様が維持される。同様に、第２特別図柄表示器４１ｂに停止表示された第２特別図柄は、次の第２特別図柄の変動表示が開始されるまで、その停止表示態様が維持される。
【００６１】
特別図柄の停止表示（停止表示態様の維持）は、所定の停止表示時間（「停止表示期間」ともいう。）が経過するまで行われる。本実施例では、特別図柄当否判定の結果が外れであることに基づく特別図柄の停止表示時間（「外れ停止表示時間」ともいう。）と、特別図柄当否判定の結果が大当りであることに基づく特別図柄の停止表示時間（「大当り停止表示時間」ともいう。）とを、それぞれ異なる時間としている。また本実施例では、特別図柄が大当り図柄（特定態様）で停止表示したときの遊技状態に応じて大当り停止表示時間が異なるものとしている。具体的には、外れ停止表示時間を「０．６秒（６００ｍｓ）」としており、大当り停止表示時間を遊技状態に応じて「１．０秒（１０００ｍｓ）」又は「５．０秒（５０００ｍｓ）」としている。大当り停止表示時間について、後述の低ベース状態において特別図柄が大当り図柄（特定態様）で停止表示した場合、その停止表示時間は５．０秒に設定され、後述の高ベース状態において特別図柄が大当り図柄（特定態様）で停止表示した場合、その停止表示時間は１．０秒に設定される。本実施例では、そのような停止表示時間（停止表示期間）を利用して、特別図柄（識別情報）が停止表示する際に種々の演出や報知等を実行するように構成している。この点についての詳細は後述する。
【００６２】
そして、停止表示された特別図柄が外れ図柄（非特定態様）であって、当該停止表示の際に特図保留が記憶されている場合には、停止表示期間（外れ停止表示時間）が経過すると、記憶順の最も古い（最先の）特図保留が消化され、これにより次の特別図柄の変動表示が開始される。また、停止表示された特別図柄が外れ図柄であって、当該停止表示の際に特図保留が記憶されていない場合には、停止表示期間（外れ停止表示時間）が経過した後も、特別図柄の停止表示状態が維持される。一方、停止表示された特別図柄が大当り図柄（特定態様）である場合には、停止表示期間（大当り停止表示時間）が経過すると、後述する大当り遊技のオープニング期間に移行し、当該オープニング期間を経て大当り遊技の１ラウンド目が開始される。
【００６３】
本パチンコ遊技機１では、第１始動口２０又は第２始動口２１への遊技球の入球があると、その入球に基づいて特別図柄当否判定用乱数等の各種情報（「取得情報」ともいう。）が取得され、この取得された各種情報は、主制御部のＲＡＭに形成される特図保留記憶部（図示せず）に一旦記憶される。詳細には、第１始動口２０への入球であれば第１特図保留として第１特図保留記憶部（図示せず）に記憶され、第２始動口２１への入球であれば第２特図保留として第２特図保留記憶部（図示せず）に記憶される。各々の特図保留記憶部に記憶可能な特図保留の数には上限が設定されており、本実施例における上限値はそれぞれ「４」となっている。これら第１特図保留記憶部および第２特図保留記憶部を、夫々「第１取得情報記憶手段」および「第２取得情報記憶手段」ともいい、総じて「取得情報記憶手段」ともいう。
【００６４】
特図保留記憶部に記憶された特図保留は、その特図保留に基づく特別図柄の変動表示が可能となったときに消化される。特図保留の消化とは、その特図保留に対応する特別図柄当否判定用乱数等を判定して、その判定結果を示すための特別図柄の変動表示を実行することをいう。従って、本パチンコ遊技機１では、第１始動口２０又は第２始動口２１への遊技球の入球に基づく特別図柄の変動表示がその入球時にすぐに実行できない場合、すなわち特別図柄の変動表示の実行中や特別遊技の実行中である場合であっても、所定個数を上限として、その入球に対する特別図柄当否判定の権利を留保することができるようになっている。
【００６５】
特図保留記憶部に記憶された特図保留の数は、第１特図保留表示器４３ａおよび第２特図保留表示器４３ｂに表示される。具体的には、第１特図保留表示器４３ａは「ｕｖ」の２個のＬＥＤで構成されており、第１特図保留の数に応じてＬＥＤを表示制御することにより、第１特図保留の数を表示するものとなっている。例えば、保留数が「０」の場合は「ｕ□ｖ□」（例えば、□：消灯、●：赤点灯、▲：緑点灯とする）というように両ＬＥＤを消灯する表示態様とし、保留数が「１」の場合は「ｕ□ｖ●」というように「ｕ」のＬＥＤを消灯し「ｖ」のＬＥＤを赤色で点灯させる表示態様とし、保留数が「２」の場合は「ｕ●ｖ□」というように「ｕ」のＬＥＤを赤色で点灯させ「ｖ」のＬＥＤを消灯する表示態様とし、保留数が「３」の場合は「ｕ●ｖ●」というように両方のＬＥＤを赤色で点灯させる表示態様とし、保留数が「４（上限数）」の場合は「ｕ▲ｖ▲」というように両方のＬＥＤを緑色で点灯させ表示態様とすることができる。
【００６６】
また、第２特図保留表示器４３ｂは「ｗｘ」の２個のＬＥＤで構成されており、第２特図保留の数に応じてＬＥＤを表示制御することにより、第２特図保留の数を表示するものである。例えば、保留数が「０」の場合は「ｗ□ｘ□」（例えば、□：消灯、●：赤点灯、▲：緑点灯とする）というように両ＬＥＤを消灯する表示態様とし、保留数「１」〜「４」についても第１特図保留表示器４３ａと同様に定められている。
【００６７】
普通図柄の変動表示は、ゲート２８への遊技球の通過を契機として行われる。普通図柄表示器４２では、普通図柄を所定時間変動表示した後に停止表示し、停止表示された普通図柄（停止図柄）によって、ゲート２８への遊技球の通過に基づく普通図柄当否判定の結果を報知する。停止表示される普通図柄は、普通図柄当否判定によって複数種類の普通図柄の中から選択された一つの普通図柄である。停止表示された普通図柄が予め定めた特定普通図柄（当り普通図柄）である場合には、現在の遊技状態に応じた開放パターンにて第２始動口２１を開放させる補助遊技が行われる。第２始動口２１の開放パターンについては後述する。
【００６８】
具体的には図４に示す通り、普通図柄表示器４２は「ｓｔ」の２個のＬＥＤから構成されており、その点灯態様によって普通図柄当否判定の結果に応じた普通図柄を表示するものである。例えば、判定結果が当りである場合には、「ｓ■ｔ■」（例えば、■：点灯、□：消灯とする）というように両ＬＥＤが点灯した当り普通図柄を停止表示する。また判定結果が外れである場合には、「ｓ□ｔ■」というように「ｔ」のＬＥＤのみが点灯した態様の外れ普通図柄を表示する。なお、外れ普通図柄は、特定普通図柄ではない。普通図柄が停止表示される前には予め定められた所定の変動時間にわたって普通図柄の変動表示が実行されるが、その変動表示の態様は、例えば、両ＬＥＤが交互に点灯・消滅を繰り返す態様である。また、普通図柄表示器４２に停止表示された普通図柄は、次の普通図柄の変動表示が開始されるまで、その停止表示態様が維持される。
【００６９】
本パチンコ遊技機１では、ゲート２８への遊技球の通過があると、その通過に基づいて普通図柄当否判定用乱数等の各種情報（「取得情報」ともいう。）が取得され、この取得された各種情報は、主制御部のＲＡＭに形成される普図保留記憶部（図示せず）に普図保留として一旦記憶される。普図保留記憶部に記憶可能な普図保留の数には上限が設定されており、本実施例における上限値は「４」となっている。普図保留記憶部に記憶された普図保留は、その普図保留に基づく普通図柄の変動表示が可能となったときに消化される。普図保留の消化とは、その普図保留に対応する普通図柄当否判定用乱数を判定して、その判定結果を示すための普通図柄の変動表示を実行することをいう。従って本パチンコ遊技機１では、ゲート２８への遊技球の通過に基づく普通図柄の変動表示がその通過時にすぐ実行できない場合、すなわち普通図柄の変動表示の実行中や補助遊技の実行中である場合であっても、所定個数を上限として、その通過に対する普通図柄当否判定の権利を留保することができるようになっている。
【００７０】
普図保留記憶部に記憶された普図保留の数は、普図保留表示器４４に表示される。具体的には、普図保留表示器４４は「ｑｒ」の２個のＬＥＤで構成されており、普図保留の数に応じてＬＥＤを点灯させることにより普図保留の数を表示するものである。例えば、保留数が「０」の場合は「ｑ□ｒ□」（例えば、□：消灯、●：赤点灯、▲：緑点灯とする）というように両ＬＥＤを消灯する表示態様とし、保留数が「１」の場合は「ｑ□ｒ●」というように「ｑ」のＬＥＤを消灯し「ｒ」のＬＥＤを赤色で点灯させる表示態様とすることができる。また、保留数「２」〜「４」についても第１特図保留表示器４３ａと同様に定められている。
【００７１】
図４に示すように、ラウンド表示器４５は、７Ｒ用ランプと１５Ｒ用ランプの２個のＬＥＤで構成されている。このラウンド表示器４５では、例えば、７Ｒ第１〜第７大当りの何れかとなると、対応する大当り図柄が確定表示するタイミングで、７Ｒ用ランプが点灯表示される。具体的には「７Ｒ▲１５Ｒ△」の様な表示態様（例えば、△：消灯、▲：点灯）となる。また、１５Ｒ第８大当り又は１５Ｒ第９大当りとなると、対応する大当り図柄が確定表示するタイミングで、１５Ｒ用ランプが点灯表示される。具体的には、「７Ｒ△１５Ｒ▲」の様な表示態様（例えば、△：消灯、▲：点灯）となる。
【００７２】
図４に示すように、当り表示器４８は「ｂ１〜ｂ３」で示す３個のＬＥＤで構成されており、特別図柄表示部に前述の大当り図柄（特定態様、特定表示結果）が表示されたときに、これに伴ってＬＥＤを所定の態様で点灯させることにより、第１特別図柄当否判定又は第２特別図柄当否判定の結果が大当りになったことを表示（報知）するものである。具体的には、例えば、第１特別図柄当否判定の結果が大当り（特定結果）となり、これに基づく第１特別図柄の変動表示が第１特別図柄表示器４１ａで行われた後、前述の７Ｒ第１〜第７大当り図柄の何れかが第１特別図柄表示器４１ａに表示（停止表示）された場合には、「ｂ１■ｂ２■ｂ３□」（例えば、■：点灯、□：消灯とする）というように「ｂ１」及び「ｂ２」のＬＥＤを点灯させて「ｂ３」のＬＥＤを消灯させる。また、第２特別図柄当否判定の結果が大当り（特定結果）となり、これに基づく第２特別図柄の変動表示が第２特別図柄表示器４１ｂで行われた後、前述の１５Ｒ第８大当り図柄又は１５Ｒ第９大当り図柄が第２特別図柄表示器４１ｂに表示（停止表示）された場合には、「ｂ１■ｂ２□ｂ３■」（例えば、■：点灯、□：消灯とする）というように「ｂ１」及び「ｂ３」のＬＥＤを点灯させて「ｂ２」のＬＥＤを消灯させる。
【００７３】
このように当り表示器４８は、「ｂ１〜ｂ３」の３個のＬＥＤの点灯態様によって、大当りが発生したとき（大当り図柄が表示されたとき）の当該大当りの契機となった特別図柄当否判定が、第１特別図柄当否判定と第２特別図柄当否判定の何れであるのかを報知することが可能となっている。こうした当り表示器４８による大当りの契機となった特別図柄当否判定の種別の報知のことを「判定報知」ともいい、当り表示器４８のことを「判定報知手段」ともいう。
【００７４】
当り表示器４８による判定報知は、大当りの発生（大当り図柄の表示）から所定期間に亘って行われ、本実施例では、大当りの発生（大当り図柄の表示）から、次の大当りが発生するまで（次の大当り図柄が表示されるまで）の間、行われるものとなっている。例えば、左打ちで遊技を進める中（第１特別図柄の変動表示が行われる中）、第１特別図柄表示器４１ａに大当り図柄が表示（停止表示）されて、その後、大当り遊技を経て右打ちで遊技を進める中（第２特別図柄の変動表示が行われる中）、第２特別図柄表示器４１ｂに大当り図柄が表示（停止表示）される場合、第１特別図柄表示器４１ａでの大当り図柄の表示を契機として当り表示器４８の表示態様（点灯態様）が「ｂ１■ｂ２■ｂ３□」となり、その後、第２特別図柄表示器４１ｂに大当り図柄が表示されるまでの間、その当り表示器４８の表示態様「ｂ１■ｂ２■ｂ３□」が維持される。そして、第２特別図柄表示器４１ｂに大当り図柄が表示されると、それまで点灯していた当り表示器４８の２個のＬＥＤ「ｂ１」及び「ｂ２」のうち「ｂ２」が消灯され、当り表示器４８の表示態様（点灯態様）が「ｂ１■ｂ２□ｂ３■」となる。また、例えば、第１特別図柄表示器４１ａに大当り図柄が表示され、その後、大当り遊技を経て再び第１特別図柄表示器４１ａに大当り図柄が表示される場合、第１特別図柄表示器４１ａでの先の大当り図柄の表示を契機として当り表示器４８の表示態様（点灯態様）が「ｂ１■ｂ２■ｂ３□」となり、その後、第１特別図柄表示器４１ａに次の大当りに係る大当り図柄が表示された後も、その当り表示器４８の表示態様「ｂ１■ｂ２■ｂ３□」が維持される。このため、本実施例では、「先（前回）の大当り」と「後（次回）の大当り」との間（大当り間）において、先（前回）の大当りの契機となった特別図柄当否判定の種別を示す（報知する）ことが可能となっている。
【００７５】
なお、当り表示器４８による判定報知の実行期間（判定報知期間）は、本実施例のように大当り間に亘るものでなくてもよい。例えば、大当りの発生（大当り図柄の表示）から当該大当りに係る大当り遊技の終了までとしたり、大当りの発生（大当り図柄の表示）から当該大当りに係る大当り遊技後の所定時間が経過するまでとしたり、大当りの発生（大当り図柄の表示）から当該大当りに係る大当り遊技後の特別図柄の変動表示が所定回数行われるまでとしたりすることが可能である。また、大当り遊技終了後の遊技状態が、後述の高確率状態や時短状態等の通常遊技状態に比して遊技者に有利な遊技状態（「特定遊技状態」ともいう。）となる場合、判定報知期間を、大当りの発生（大当り図柄の表示）からその特定遊技状態が終了するまでの間とすることも可能である。さらに、大当り遊技中に後述する特定領域異常通過が発生した場合、その特定領域異常通過の発生から所定期間を判定報知期間とすることも可能である。この場合、特定領域異常通過が発生したときに実行中の大当り遊技の契機となった特別図柄当否判定の種別（第１特別図柄当否判定又は第２特別図柄当否判定）を示す表示態様（点灯態様）で、当り表示器４８のＬＥＤを点灯させる。
【００７６】
また本実施例では、パチンコ遊技機１の電源を投入したときの当り表示器４８の表示態様（初期表示態様）を、原則、「ｂ１〜ｂ３」の３個のＬＥＤがすべて消灯した態様（全消灯）としている。さらに、本実施例では、当り表示器４８による表示（つまり「判定報知」）をバックアップの対象としている。このため、例えば、当り表示器４８の表示態様が「ｂ１■ｂ２■ｂ３□」である状態で電源断となった場合、その表示態様に係るＬＥＤの点灯パターンデータがＲＡＭに記憶（バックアップ）され、次に電源を投入したときには、そのバックアップされた点灯パターンデータによって、当り表示器４８の表示態様が電源断発生前と同様とされる。但し、パチンコ遊技機１の電源投入の際にＲＡＭクリアを実行した場合には、バックアップされた点灯パターンデータが消去され、当り表示器４８の表示態様は前述の初期表示態様（全消灯）とされる。なお、当り表示器４８による判定報知をバックアップの対象としないように構成してもよい。
【００７７】
次に図２及び図５に基づいて、本パチンコ遊技機１における電気的な構成を説明する。本実施例のパチンコ遊技機１は、特別図柄当否判定や普通図柄当否判定や遊技状態の移行など、遊技進行や遊技利益に関する制御を行う主制御基板８０（「主制御部」ともいい「遊技制御部」ともいう。）、遊技の進行に伴って実行する演出に関する制御を行う副制御基板９０（「副制御部」や「サブ制御部」や「演出制御部」ともいう。）、遊技球の払い出しに関する制御を行う払出制御基板１１０（「払出制御部」ともいう）、画像表示装置７、演出表示器１０２、演出第１特図保留表示器１０３ａ及び演出第２特図保留表示器１０３ｂ等の表示制御を行う画像制御基板１００（「画像制御部」ともいう。）等を備えている。
【００７８】
また、図２に示すように、パチンコ遊技機１の後面側（裏面側）の略中央部には主制御基板８０を収納した主制御基板収納ケースが設けられ、この主制御基板ケースの上方には、音声制御基板１０６、ランプ制御基板１０７及び画像制御基板１００を収納した画像制御基板等収納ケースが設けられ、その画像制御基板等収納ケース上には副制御基板９０を収納した副制御基板収納ケースが設けられている。また、主制御基板ケースの下方左側には、払出制御基板１１０を収納する払出制御基板ケースが設けられ、その右側には、電源基板１０９を収納する電源基板ケースが設けられている。
【００７９】
電源基板１０９は、外部からの供給電力を受けて本パチンコ遊技機１に電力を供給する電力供給手段として機能する。具体的には、図５のブロック図に示された各種の基板類や装置・機器類、センサ、スイッチ、モータ、ソレノイドなど、本パチンコ遊技機１の作動に必要となる様々な電気部品に電力を供給する。電源基板１０９には、電源基板ケースの外部に露出した状態で電源スイッチ（図示せず）が設けられており、電源スイッチをＯＮにすることで電力の供給が開始され、ＯＦＦにすることで電力の供給が停止される。
【００８０】
主制御基板８０には、プログラムに従ってパチンコ遊技機１の遊技の進行を制御する遊技制御用ワンチップマイコン（「遊技制御用マイコン」ともいう。）８１が実装されている。遊技制御用マイコン８１には、遊技の進行を制御するためのプログラム等を記憶したＲＯＭ、ワークメモリとして使用されるＲＡＭ、ＲＯＭに記憶されたプログラムを実行するＣＰＵが含まれている。遊技制御用マイコン８１は、入出力回路８７（Ｉ／Ｏポート部）を介して他の基板等とデータ（情報）の送受信を行う。入出力回路８７は、遊技制御用マイコン８１に内蔵されていてもよい。また、ＲＯＭは外付けであってもよい。遊技制御用マイコン８１のＲＡＭには、上述した特図保留記憶部（第１特図保留記憶部及び第２特図保留記憶部）と普図保留記憶部とが設けられている。
【００８１】
主制御基板８０には、中継基板８８を介して各種センサやソレノイドが接続されている。そのため、主制御基板８０には各センサから信号が入力され、各ソレノイドには主制御基板８０から信号が出力される。具体的には、センサ類として、第１始動口センサ２０ａ、第２始動口センサ２１ａ、ゲートセンサ２８ａ、第１大入賞口センサ３０ａ、第２大入賞口センサ３５ａ、特定領域センサ３９ａ、非特定領域センサ４９ａおよび一般入賞口センサ２７ａが接続されている。これら各種センサを「遊技球検知手段」ともいう。
【００８２】
第１始動口センサ２０ａは、第１始動口２０内に設けられて第１始動口２０に入球した遊技球を検知するものである。第２始動口センサ２１ａは、第２始動口２１内に設けられて第２始動口２１に入球した遊技球を検知するものである。ゲートセンサ２８ａは、ゲート２８内に設けられてゲート２８を通過した遊技球を検知するものである。第１大入賞口センサ３０ａは、第１大入賞口３０内に設けられて第１大入賞口３０に入球した遊技球を検知するものである。第２大入賞口センサ３５ａは、第２大入賞口３５内に設けられて第２大入賞口３５に入球した遊技球を検知するものである。特定領域センサ３９ａは、第２大入賞口３５内の特定領域３９に設けられており、第２大入賞口３５に入球した遊技球のうち特定領域３９を通過した遊技球を検知するものである。非特定領域センサ４９ａは、第２大入賞口３５内の非特定領域４９に設けられており、第２大入賞口３５に入球した遊技球のうち非特定領域４９を通過した遊技球を検知するものである。一般入賞口センサ２７ａは、各一般入賞口２７内にそれぞれ設けられて一般入賞口２７に入球した遊技球を検知するものである。そして、遊技制御用マイコン８１（主制御部８０）のＲＡＭには、これらの各センサ（遊技球検知手段）による遊技球の検知数を計数、記憶するための領域が設けられており、遊技制御用マイコン８１の制御（プログラム）により、各センサによる検知数を計数することが可能となっている（計数手段）。
【００８３】
またソレノイド類としては、第２始動口ソレノイド２４、第１大入賞口ソレノイド３３、第２大入賞口ソレノイド３８及び可動片ソレノイド１５１が接続されている。これら各種ソレノイドのことを「電気的駆動源」や「駆動手段」ともいう。第２始動口ソレノイド２４は、可変入賞装置２２の開閉部材２３を駆動するためのもので、第１大入賞口ソレノイド３３は、第１大入賞装置３１の開閉部材３２を駆動するためのものである。また、第２大入賞口ソレノイド３８は、第２大入賞装置３６の開閉部材３７を駆動するためのもので、可動片ソレノイド１５１は、第２大入賞装置３６の可動片１５０を駆動するものである。さらに主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、ラウンド表示器４５、遊技状態表示器４６、発射方向表示器４７及び当り表示器４８が接続されている。これらの各表示器を含む主表示器４０の表示制御は、遊技制御用マイコン８１によりなされる。
【００８４】
また主制御基板８０は、払出制御基板１１０に各種コマンドを送信するとともに、払い出し監視のために払出制御基板１１０から信号を受信する。払出制御基板１１０には、賞球や貸球を払い出す払出装置１２０、及びカードユニット１３５（パチンコ遊技機１に隣接して設置され、挿入されたプリペイドカード（遊技価値記憶媒体）等に記憶されている情報に基づいて球貸しを可能にするもの）が接続されているとともに、発射制御基板１１１（「発射制御部」ともいう。）を介して発射装置１１２が接続されている。発射装置１１２には、発射ハンドル６０（図１を参照）が含まれる。
【００８５】
払出制御基板１１０は、プログラムに従ってパチンコ遊技機１の遊技球の払い出しを制御する払出制御用ワンチップマイコン（「払出制御用マイコン」ともいう。）１１６が実装されている。払出制御用マイコン１１６には、遊技球の払い出しを制御するためのプログラム等を記憶したＲＯＭ、ワークメモリとして使用されるＲＡＭ、ＲＯＭに記憶されたプログラムを実行するＣＰＵが含まれている。払出制御用マイコン１１６は、入出力回路１１７を介し、遊技制御用マイコン８１からの信号や、パチンコ遊技機１に接続されたカードユニット１３５からの信号に基づいて、払出装置１２０の払出モータ１２１を駆動して賞球の払い出しを行ったり、貸球の払い出しを行ったりする。払い出される遊技球は、その計数のため払出センサ１２２、１２３により検知される。遊技者による発射装置１１２のハンドル６０（図１を参照）の操作があった場合には、タッチセンサ１１４が発射ハンドル６０への遊技者の接触を検知し、発射ボリューム１１５が発射ハンドル６０の回転量を検知する。そして、発射ボリューム１１５の検知信号の大きさに応じた強さで遊技球が発射されるよう発射モータ１１３が駆動制御されることとなる。
【００８６】
また主制御基板８０は、副制御基板９０に対し各種コマンドを送信する。主制御基板８０と副制御基板９０との接続は、主制御基板８０から副制御基板９０への信号の送信のみが可能な単方向通信接続となっている。すなわち、主制御基板８０と副制御基板９０との間には、通信方向規制手段としての図示しない単方向性回路（例えばダイオードを用いた回路）が介在している。
【００８７】
また図５に示すように、副制御基板９０には、プログラムに従ってパチンコ遊技機１の演出を制御する演出制御用ワンチップマイコン（「演出制御用マイコン」ともいう。）９１が実装されている。演出制御用マイコン９１には、遊技の進行に伴って遊技演出を制御するためのプログラム等を記憶したＲＯＭ、ワークメモリとして使用されるＲＡＭ、ＲＯＭに記憶されたプログラムを実行するＣＰＵが含まれている。演出制御用マイコン９１は、入出力回路９５を介して他の基板等とデータの送受信を行う。入出力回路９５は、演出制御用マイコン９１に内蔵されていてもよい。また、ＲＯＭは外付けであってもよい。
【００８８】
副制御基板９０には、画像制御基板１００、音声制御基板１０６、ランプ制御基板１０７が接続されている。なお、副制御基板９０（サブ制御部）や画像制御基板１００（画像制御部）、音声制御基板１０６（音声制御部）、ランプ制御基板１０７（ランプ制御部）は、遊技の状況に応じて表示演出や音演出、ランプ演出（光演出）等の各種演出を、対応する演出用の装置や部材等（演出手段）に実行させる制御を行う演出制御手段（「演出実行手段」ともいう。）として機能するものである。
【００８９】
副制御基板９０の演出制御用マイコン９１は、主制御基板８０から受信したコマンドに基づいて、画像制御基板１００の画像制御用ワンチップマイコン１０１（「画像制御用マイコン」ともいう。）のＣＰＵに、画像表示装置７、演出表示器１０２、演出第１特図保留表示器１０３ａおよび演出第２保留表示器１０３ｂの表示制御を行わせる。画像制御基板１００のＲＡＭは、画像データを展開するためのメモリである。画像制御基板１００のＲＯＭには、画像表示装置７に表示される静止画データや動画データ、具体的にはキャラクタ、アイテム、図形、文字、数字及び記号等（演出図柄、保留図柄等を含む）や背景画像等の画像データが格納されている。画像制御用マイコン１０１は、演出制御用マイコン９１からの指令に基づいてＲＯＭから画像データを読み出す。そして、読み出した画像データに基づいて表示制御を実行する。
【００９０】
演出表示器１０２は、２個のＬＥＤからなり、演出図柄８の変動表示及び停止表示にあわせて変動表示及び停止表示を行い、２個のＬＥＤの点灯・消灯又は色の組合せにより、演出図柄８の表示結果（特別図柄当否判定の結果）を示す表示態様で停止表示する。また、演出第１特図保留表示器１０３ａ及び演出第２保留表示器１０３ｂも同様に２個のＬＥＤからなる。そして、演出第１特図保留表示器１０３ａは、２個のＬＥＤの点灯・消灯又は色の組合せにより、第１演出保留表示領域９ｃ及び第１特図保留表示器４３ａに表示される保留個数と同じ保留個数を示す表示態様で表示制御される。同様に、演出第２特図保留表示器１０３ｂは、２個のＬＥＤの点灯・消灯又は色の組合せにより、第２演出保留表示領域９ｄ及び第２特図保留表示器４３ｂに表示される保留個数と同じ保留個数を示す表示態様で表示制御される。これは、演出表示を表示画面７ａ（演出図柄表示部）の略全体に表示したり、可動装飾部材１４を動作させて表示画面７ａの演出図柄表示領域７ｂ（演出図柄表示部）の略全体を被覆したりすることで、演出図柄８や第１演出保留９ａ、第２演出保留９ｂ等、表示画面７ａに表示される各種画像の一部または全部が視認できない状態になることがあるため、この様な保留表示器１０３ａ，１０３ｂが設けられている。なお、画像制御基板１００の画像制御用ワンチップマイコン１０１に換えて、または加えて、ＶＤＰ（Video Display Processor）を設けてもよい。
【００９１】
また演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、副制御基板９０のＲＯＭに格納されている。なお、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵに音声制御を実行させてもよい。さらにこの場合、画像制御基板１００のＲＯＭに音響データを格納してもよい。
【００９２】
また演出制御用マイコン９１は、主制御基板８０から受信したコマンドに基づいて、枠ランプ６６や盤面ランプ５等のランプの発光態様を決める発光パターンデータ（点灯/消灯や発光色等を決めるデータ、ランプデータともいう）を、ＲＯＭに格納されているデータから決定し、ランプ制御基板１０７を介して枠ランプ６６や盤面ランプ５等のランプ（ＬＥＤ）の点灯制御を行う。
【００９３】
さらに演出制御用マイコン９１は、主制御基板８０から受信したコマンドに基づいて、ランプ制御基板１０７に中継基板１０８を介して接続された可動装飾部材１４を動作させる。可動装飾部材１４は、センター装飾体１０に設けられた可動式のいわゆるギミックのことである。演出制御用マイコン９１は、可動装飾部材１４を所定の動作態様で動作させるための動作パターンデータ（「駆動データ」ともいう。）を、副制御基板９０のＲＯＭに格納されているデータから決定し、決定した動作パターンデータに基づいて可動装飾部材１４の動作を制御する。なお、ランプ制御基板１０７にＣＰＵを実装してもよく、その場合、そのＣＰＵにランプの点灯制御や可動装飾部材１４の動作制御を実行させてもよい。さらにこの場合、ランプ制御基板１０７にＲＯＭを実装してもよく、そのＲＯＭに発光パターンや動作パターンに関するデータを格納してもよい。
【００９４】
また副制御基板９０には、第１演出ボタン６３ａ又は第２演出ボタン６３ｂ（図１を参照）が操作（押す、回転、引く等）されたことを検知する第１演出ボタン検知スイッチ６３ｃ及び第２演出ボタン検知スイッチ６３ｄが接続されている。従って、第１演出ボタン６３ａ又は第２演出ボタン６３ｂに対して遊技者が所定の入力操作を行うと、対応する演出ボタン検知スイッチから副制御基板９０に対して信号が出力される。なお、第１演出ボタン検知スイッチ６３ｃおよび第２演出ボタン検知スイッチ６３ｄを総称して単に「演出ボタン検知スイッチ」ともいう。
【００９５】
次に、本実施例のパチンコ遊技機１における当否判定に係る制御について説明する。本実施例では、特別図柄当否判定の結果として「大当り」（特定結果）と「外れ」（非特定結果）とがある。「大当り」のときには、特別図柄表示部に「大当り図柄」が停止表示され、「外れ」のときには、特別図柄表示部に「外れ図柄」が停止表示される。大当りと判定されると、停止表示された特別図柄の種類に応じた開放パターンにしたがって、第１大入賞口３０又は第２大入賞口３５を開放する「特別遊技」が実行される。特別遊技は、所定の開放パターンで開放する第１大入賞口３０又は第２大入賞口３５（特別入球口）に遊技球を入球させる遊技である。大当りとなって実行される特別遊技を「大当り遊技」といもいう。
【００９６】
大当りには複数の種別がある。図６に示すように大当りの種別としては、「７Ｒ（ラウンド）第１大当り」、「７Ｒ第２大当り」、「７Ｒ第３大当り」、「７Ｒ第４大当り」、「７Ｒ第５大当り」、「７Ｒ第６大当り」、「７Ｒ第７大当り」「１５Ｒ第８大当り」及び「１５Ｒ第９大当り」の計９種類がある。７Ｒ第１〜第７大当りは、大入賞口（第１大入賞口３０又は第２大入賞口３５）の開放回数（ラウンド数）が７回の大当りであり、１５Ｒ第８，第９大当りは、大入賞口（第１大入賞口３０又は第２大入賞口３５）の開放回数（ラウンド数）が１５回の大当りである。
【００９７】
ここで、７Ｒ第１〜第７大当りのことを総じて「７Ｒ大当り」ともいい、１５Ｒ第８，第９大当りのことを総じて「１５Ｒ大当り」ともいう。また、７Ｒ大当りに係る大当り遊技のことを「７Ｒ大当り遊技」ともいい、１５Ｒ大当りに係る大当り遊技のことを「１５Ｒ大当り遊技」ともいう。
【００９８】
なお、本実施例では、ラウンド数の違いによる大当り種別を、７Ｒ大当り及び１５Ｒ大当りの２種類としているが、例えば、５Ｒ大当りと１０Ｒ大当りの２種類としたり、７Ｒ大当りの１種類としたりする等、種々の大当り種別を設けることが可能である。また本実施例では、大当り遊技の最大ラウンド数を１５Ｒ（１５Ｒ大当り）としているが、最大ラウンド数はこれに限られず、例えば、１５Ｒ未満（例えば１０Ｒ）とすることも可能である。
【００９９】
本実施例の大当りに係る大当り遊技の各ラウンドでは、第１大入賞口３０及び第２大入賞口３５のうち一方が開放した状態（入球可能状態、遊技球受入可能状態）となり、他方は閉鎖した状態（入球不能状態、遊技球受入不能状態）となる。すなわち、２つの大入賞口３０，３５（特別入球口）が同時に開放することはなく、何れか一方の大入賞口（特別入球口）が開放する。具体的には、１ラウンド目では第１大入賞口３０（下大入賞口）が閉鎖して第２大入賞口３５（上大入賞口）が開放し、２ラウンド目では第１大入賞口３０（下大入賞口）が開放して第２大入賞口３５（上大入賞口）が閉鎖し、３ラウンド目では１ラウンド目と同様に第１大入賞口３０（下大入賞口）が閉鎖して第２大入賞口３５（上大入賞口）が開放し、４ラウンド目では２ラウンド目と同様に第１大入賞口３０（下大入賞口）が開放して第２大入賞口３５（上大入賞口）が閉鎖する。以後、５ラウンド目、６ラウンド目とラウンドが進む毎に、第１大入賞口３０（下大入賞口）の閉鎖および第２大入賞口３５（上大入賞口）の開放と、第１大入賞口３０（下大入賞口）の開放および第２大入賞口３５（上大入賞口）の閉鎖とが、交互に発生する。つまり、本実施例の大当り遊技は、奇数ラウンドで第２大入賞口３５（上大入賞口）が開放し、偶数ラウンドで第１大入賞口３０（下大入賞口）が開放するものとなっており、第１大入賞口３０（下大入賞口）と第２大入賞口３５（上大入賞口）とが、第２大入賞口３５（上大入賞口）の開放を先として交互に開放する。
【０１００】
ここで、大当り遊技中の大入賞口開放パターンについて説明する。本実施例では、第１大入賞口３０と第２大入賞口３５の開放パターンを同様としている。すなわち、大当り遊技中の奇数ラウンドでは、第２大入賞口３５をラウンド開始から２５０００ｍｓ（２５秒）が経過するまで開放させ、２５０００ｍｓ（２５秒）の経過により閉鎖させて、ラウンドを終了させる。つまり、開放時間２５０００ｍｓ、開放回数１回の開放パターンで第２大入賞口３５の開放を行う。この開放パターンで開放する第２大入賞口３５には、右打ちを行うことで遊技球を容易に入球させることが可能となる。一方、大当り遊技中の偶数ラウンドでは、第１大入賞口３０をラウンド開始から２５０００ｍｓ（２５秒）が経過するまで開放させた後、２５０００ｍｓ（２５秒）の経過により閉鎖させて、ラウンドを終了させる。つまり、開放時間２５０００ｍｓ、開放回数１回の開放パターンで、第１大入賞口３０の開放を行う。この開放パターンで開放する第１大入賞口３０には、右打ちを行うことで遊技球を容易に入球させることが可能となる。
【０１０１】
また、大当り遊技中の５ラウンド目では、第２大入賞口３５の開放に加えて、当該第２大入賞口３５に入球した遊技球の数が所定数になることに基づいて可動片１５０を動作させるものとしている。具体的には、第２大入賞口３５に遊技球が入球すると、その入球した遊技球は第２大入賞口センサ３５ａにより検知され、その検知された遊技球の数（つまり、第２大入賞口３５への入球数）が、主制御部８０のＲＡＭに設けられた入球数計数手段（図示しない）によって計数される。この入球数計数手段による計数値が所定値になると、これを契機に可動片１５０が動作する。つまり、所定値（第２大入賞口３５への入球数）によって、可動片１５０の動作タイミングが規定されるものとなっている。
【０１０２】
可動片１５０の動作契機となる所定値（計数値）は、１ラウンド中に第２大入賞口３５への入球が許容される遊技球の数（規定数）の範囲内で設定されるもので、本実施例では、大別して「第１所定値（第１計数値）」と該第１所定値よりも大きな値である「第２所定値（第２計数値）」の２つの所定値を設けている。
【０１０３】
具体的には、図４７に示すように、「大当り種別」と「第１所定値および第２所定値」との対応関係が、主制御部８０のＲＯＭに予め記憶されている（値記憶手段）。本実施例では、第１所定値（第１計数値）を「１」とし、第２所定値（第２計数値）を「２」としている。第１所定値は全ての大当り種別に対して設定される。一方、第２所定値は、特定の大当り種別（本例では７Ｒ第１，第３，第５，第７大当り及び１５Ｒ第８大当り）に対して設定されるものとなっており、それ以外の大当り種別（本例では７Ｒ第２，第４，第６大当り及び１５Ｒ第９大当り）については設定されない。このため、本実施例では、大当り遊技の５ラウンド目で可動片１５０が少なくとも１回動作し、最大で２回動作し得るものとなっている。
【０１０４】
なお、図４７に示す第１所定値および第２所定値の設定態様はあくまでも一例であり、この他にも種々の態様を採ることが可能である。また本実施例では、第２所定値として「２」が設定されるものとしているが、第２所定値は「３」以上の値（例えば「３」〜「９」の何れか）とすることも可能である。さらに第２所定値は、例えば７Ｒ第１大当りが「２」、７Ｒ第３大当りが「３」といったように、大当り種別に応じて異なる値が設定されるようにしてもよい。
【０１０５】
本実施例では、可動片１５０が動作する際の動作態様（動作パターン）として、特定領域３９への遊技球の通過可能性が相対的に異なる２種類の態様が予め設けられている。すなわち、特定領域３９への遊技球の通過可能性が低い態様（第１動作態様）と、特定領域３９への遊技球の通過可能性が高い態様（第２動作態様）との２つの態様が設けられており、可動片１５０が動作する際には何れかの態様で動作するものとなっている。可動片１５０を何れの態様で動作させるかは、可動片１５０が動作する際の当該動作契機となった前述の所定値、すなわち、入球数計数手段による計数値（第２大入賞口センサ３５ａによる遊技球の検知数、つまり、第２大入賞口３５への入球数）によって決まる。
【０１０６】
具体的には、計数値（第２大入賞口３５への入球数）が第１所定値（本例では「１」）となって可動片１５０が動作する場合、可動片１５０は特定領域３９への遊技球の通過可能性が低い態様（第１動作態様）で動作し、計数値（第２大入賞口３５への入球数）が第２所定値（本例では「２」）となって可動片１５０が動作する場合、可動片１５０は特定領域３９への遊技球の通過可能性が高い態様（第２動作態様）で動作する。可動片１５０が第１動作態様で動作する場合、遊技球が特定領域３９を通過する可能性は極めて低いものとなり、特定領域３９への遊技球の通過は困難（実質的に不可能）となる。一方、可動片１５０が第２動作態様で動作する場合、遊技球が特定領域３９を通過する可能性は高いものとなり、特定領域３９への遊技球の通過は容易となる。
【０１０７】
前述したように、第２所定値は特定の大当り種別について設定され、他の大当り種別については設定されない。このため、第２所定値が設定される特定の大当り種別に該当する５種類の大当り、すなわち、７Ｒ第１，第３，第５，第７大当り及び１５Ｒ第８大当りは、特定領域３９への遊技球の通過可能性が高い態様で可動片１５０を動作させる大当り（「Ｖ通過予定大当り」ともいう。）となっている（図４７を参照）。一方、第２所定値が設定されない大当り、すなわち、７Ｒ第２，第４，第６大当り及び１５Ｒ第９大当りは、特定領域３９への遊技球の通過可能性が低い態様で可動片１５０を動作させる大当り（「Ｖ非通過予定大当り」ともいう。）となっている（図４７を参照）。つまり、「Ｖ通過予定大当り」は、後述の高確率状態を発生させる（特典を付与する）ことが前提の大当り（確変大当り）となっており、「Ｖ非通過予定大当り」は、後述の高確率状態を発生させない（特典を付与しない）ことが前提の大当り（非確変大当り）となっている。なお、Ｖ非通過予定大当りに係る大当り遊技（特別遊技）のことを「第１特別遊技」ともいい、Ｖ通過予定大当りに係る大当り遊技（特別遊技）のことを「第２特別遊技」ともいう。
【０１０８】
ここで、可動片１５０の動作と、第２大入賞口３５に入球した遊技球との関係は、次のようになる。図４８に示すように、前述の入球数計数手段による計数値が第１所定値（本例では「１」）になると、可動片１５０を８０ｍｓ動作状態（可動片ソレノイド１５１をＯＮ）とする。すなわち、第２大入賞口３５への１個目の入球が検知されると、特定領域３９が８０ｍｓ（０．０８秒）だけ開放状態（Ｖ開放）となる。つまり、動作時間（開放時間）８０ｍｓ、動作回数（開放回数）１回の動作パターンで可動片１５０の動作を行う。この場合、可動片１５０の動作は８０ｍｓという極短時間（一瞬）だけ行われるので、当該動作の契機となった遊技球（第２大入賞口３５への１個目（最初）の入球に該当する遊技球）が第２大入賞口センサ３５ａを通過して可動片１５０の配設部位に到達する頃には、可動片１５０の動作は終了している（非動作状態となっている）可能性が極めて高い（図４９（ａ）を参照）。よって、当該遊技球が特定領域３９を通過する可能性は極めて低いものとなる。
【０１０９】
一方、前述の入球数計数手段による計数値が第２所定値（本例では「２」）になると、可動片１５０を３０００ｍｓ動作状態（可動片ソレノイド１５１をＯＮ）とする（図４８）。すなわち、第２大入賞口３５への２個目の入球が検知されると、特定領域３９が３０００ｍｓ（３秒）の間、開放状態（Ｖ開放）となる。つまり、動作時間（開放時間）３０００ｍｓ、動作回数（開放回数）１回の動作パターンで可動片１５０の動作を行う。この場合、可動片１５０の動作は３０００ｍｓという比較的長めの時間で行われるので、当該動作の契機となった遊技球（第２大入賞口３５への２個目の入球に該当する遊技球）が第２大入賞口センサ３５ａを通過して可動片１５０の配設部位に到達する頃には、可動片１５０の動作は未だ終了していない（動作状態となっている）可能性が極めて高い（図４９（ｂ）を参照）。よって、当該遊技球が特定領域３９を通過する可能性は極めて高いものとなる。なお、ラウンド遊技が終了するときに可動片１５０が動作状態にある場合、そのラウンド遊技の終了に伴って可動片１５０の動作も終了する。
【０１１０】
このように可動片１５０は、入球数計数手段による計数値が第１所定値となった場合、特定領域３９を極短時間（８０ｍｓ）開放させる短開放動作パターン（第１動作態様）で動作し、入球数計数手段による計数値が第２所定値となった場合、特定領域３９を短開放動作パターンより長い時間（３０００ｍｓ）開放させる長開放動作パターン（第２動作態様）で動作する。そして、「Ｖ非通過予定大当り」では、５ラウンド目に可動片１５０が短開放動作パターン（第１動作態様）で動作するものの、その後に長開放動作パターン（第２動作態様）で動作することはなく、「Ｖ通過予定大当り」では、５ラウンド目に可動片１５０が短開放動作パターン（第１動作態様）で動作した後、長開放動作パターン（第２動作態様）で動作することが可能となっている。
【０１１１】
このため、「Ｖ非通過予定大当り」は、５ラウンド目に遊技球が第２大入賞口３５に入球しても当該ラウンド中に遊技球が特定領域３９を通過する可能性は極めて低い（実質的にゼロである）ことから、大当り遊技終了後の遊技状態が後述の高確率状態となる可能性が低い大当り、換言すると、後述の通常状態（低確率状態）となる可能性が高い大当りとなる。一方、「Ｖ通過予定大当り」は、５ラウンド目に遊技球が第２大入賞口３５に２個以上入球すれば、当該ラウンド中に遊技球が特定領域３９を通過する可能性は極めて高い（略１００％である）ことから、大当り遊技終了後の遊技状態が後述の高確率状態となる可能性が高い大当りとなる。このように、本実施例では、大当り遊技の５ラウンド目を、特定領域３９への遊技球の通過有無に基づいて大当り遊技終了後の遊技状態を高確率状態とするか否かを決定するＶラウンドとしている。このようなＶラウンドのことを「特典決定遊技」や「特定ラウンド遊技」、「特定ラウンド」ともいう。
【０１１２】
ここで、可動片１５０は、Ｖアタッカー（第２大入賞口３５）に入球した遊技球を特定領域３９または非特定領域４９に誘導する（振り分ける）部材であり、Ｖアタッカー内の遊技球に関与するものである。このため、可動片１５０は、例えば、Ｖアタッカーの内部や奥側など等、遊技盤２（遊技領域３）やＶアタッカー周りを一見しただけでは分かり難い部位に設けられるのが通常である（図４９を参照）。加えて、本実施例の大当り遊技中における大入賞口（第１大入賞口３０及び第２大入賞口３５）の開放パターンは、７Ｒ大当り及び１５Ｒ大当りの各々について、Ｖ通過予定大当りとＶ非通過予定大当りとで、開放時間や開放回数、開放順序は同じとなっており、Ｖラウンド（本例では５ラウンド目）での開放パターンも同じとなっている（図６を参照）。これらのことと、Ｖラウンドでの入球数計数手段による計数値（Ｖアタッカーへの入球数）に基づく可動片１５０の動作制御により、例えば、「Ｖアタッカーに入球した遊技球がどのタイミングで特定領域３９を通過し得るのか」や「遊技球が特定領域３９を通過したか否か」等、Ｖラウンドでの遊技球の特定領域通過状況（Ｖ通過状況）を判別し難くすることが可能となる。
【０１１３】
この結果、本実施例のパチンコ遊技機１によれば、例えば、従来のようにＶアタッカーの動き（開放パターン）を注視したとしても、Ｖラウンドの結果をその確定前に判別（把握、予測）することは難しいものとなるので、Ｖラウンドの結果（特定領域への遊技球の通過有無）が事前に判別（予測）できてしまうことによる遊技興趣の低下を排除することが可能となる。
【０１１４】
なお、大入賞口開放パターンは本実施例に限定されるものではなく、第１大入賞口３０と第２大入賞口３５とで開放パターンを異ならせてもよい。また、本実施例では、大当りの種別によってラウンド数が異なる（７Ｒまたは１５Ｒ）だけで、大入賞口開放パターンは同様となっているが、大当りの種別によって大入賞口開放パターンを異ならせてもよい。さらに、可動片１５０の動作パターン（第１動作態様、第２動作態様）についても本実施例に限定されるものではない。
【０１１５】
第１特別図柄（特図１）の当否判定における各大当りの振分確率は、７Ｒ第１大当りが５％、７Ｒ第２大当りが１５％、７Ｒ第３大当りが１２％、７Ｒ第４大当りが１５％、７Ｒ第５大当りが１８％、７Ｒ第６大当りが１０％、７Ｒ第７大当りが２５％となっている。これらをＶ通過予定大当りとＶ非通過予定大当りとに分けると、Ｖ通過予定大当りが６０％（５％＋１２％＋１８％＋２５％＝６０％）、Ｖ非通過予定大当りが４０％（１５％＋１５％＋１０％＝４０％）となっている（図６、図８を参照）。一方、第２特別図柄（特図２）の当否判定における各大当りの振分確率は、１５Ｒ第８大当りが８０％、１５Ｒ第９大当りが２０％となっており、Ｖ通過予定大当りとＶ非通過予定大当りとに分けると、Ｖ通過予定大当りが８０％、Ｖ非通過予定大当りが２０％となっている（図６、図８を参照）。このため、後述の開放延長機能の作動（高ベース状態の発生）により入球容易となった第２始動口２１への入球に基づく第２特別図柄の当否判定により大当りとなった場合には、第１始動口２０への入球に基づく第１特別図柄の当否判定によって大当りになった場合に比べ、Ｖ通過予定大当りとなる可能性が高くなる。また、第２始動口２１への入球に基づく第２特別図柄の当否判定により大当りとなった場合には、第１始動口２０への入球に基づく第１特別図柄の当否判定では出現しない１５Ｒ大当りが出現する。
【０１１６】
このように本パチンコ遊技機１では、第１始動口２０に遊技球が入球して行われる当否判定（第１特別図柄当否判定）で大当りとなるよりも、第２始動口２１に遊技球が入球して行われる当否判定（第２特別図柄当否判定）で大当りとなる方が、遊技者にとって有利となる可能性が高くなるように設定されている。このため、遊技者は、第２始動口２１への入球を期待して遊技を行う。特に第２始動口２１への入球頻度が高まる開放延長機能の作動中においては顕著である。
【０１１７】
本パチンコ遊技機１では、特別図柄当否判定（大当り判定）は特別図柄当否判定用乱数（「当否判定用情報」ともいう。）に基づいて行われ、大当りとなった場合の大当りの種別の判定は大当り種別決定用乱数（「図柄決定用乱数」や「図柄決定用情報」ともいう。）に基づいて行われる。図７（Ａ）に示すように、特別図柄当否判定用乱数は「０〜６２９」の範囲で値をとり、大当り種別決定用乱数は「０〜９９」の範囲で値をとる。また、第１始動口２０や第２始動口２１への入球に基づいて取得される乱数（取得情報）には、特別図柄当否判定用乱数および大当り種別決定用乱数の他に変動パターン乱数（「変動パターン情報」ともいう。）がある。
【０１１８】
変動パターン乱数は、変動時間を含む変動パターンを決めるための乱数である。変動パターン乱数は「０〜１９８」の範囲で値をとる。また、ゲート２８の通過に基づいて取得される乱数には、図７（Ｂ）に示す普通図柄当否判定用乱数がある。普通図柄当否判定用乱数は、第２始動口２１を開放させる補助遊技を行うか否かの判定（普通図柄抽選）のための乱数である。普通図柄乱数は「０〜２４０」の範囲で値をとる。
【０１１９】
次に、本実施例のパチンコ遊技機１の遊技状態について説明する。本実施例のパチンコ遊技機１は、変動遊技が実行されるときの遊技状態を、特別図柄及び普通図柄に対する確率変動機能、変動時間短縮機能（時短機能）、及び、開放延長機能の各機能が作動状態又は非作動状態となる組合せにより制御することが可能となっている。変動遊技が実行されるときの遊技状態は、変動遊技のモード（「変動モード」ともいう。）の一例である。
【０１２０】
特別図柄（第１特別図柄及び第２特別図柄）について確率変動機能が作動している状態を「高確率状態」といい、作動していない状態を「通常状態」や「低確率状態」という。通常状態では、通常状態用の大当り判定テーブルを用いて当否判定を行い、高確率状態では、大当りと判定される特別図柄当否判定用乱数の値が通常状態よりも多くされた高確率状態用の大当り判定テーブルを用いて、当否判定を行う（図８（Ａ）を参照）。このため高確率状態では、特別図柄当否判定において大当りと判定される確率が通常状態よりも高くなる。すなわち、特別図柄の確率変動機能が作動しているときは、作動していないときに比して、特別図柄の変動表示の結果が大当りとなる（停止図柄が大当り図柄となる）確率が高くなる。
【０１２１】
また、特別図柄（第１特別図柄及び第２特別図柄）について変動時間短縮機能（時短機能）が作動している状態を「時短状態」といい、作動していない状態を「非時短状態」という。時短状態では、特別図柄の変動時間（変動表示の開始時から確定表示時までの時間）の平均が、非時短状態における特別図柄の変動時間の平均よりも短くなっている。すなわち、時短状態においては、変動時間の短い変動パターンが選択されることが非時短状態よりも多くなるように定められた変動パターンテーブルを用いて、変動パターンの判定を行う（図９を参照）。その結果、時短状態では、特図保留の消化のペースが速くなり、始動口への有効な入球（特図保留として記憶され得る入球）が発生しやすくなる。そのため、スムーズな遊技の進行のもとで大当りを狙うことができる。
【０１２２】
特別図柄（第１特別図柄及び第２特別図柄）についての確率変動機能と変動時間短縮機能とは同時に作動することもあるし、片方のみが作動することもある。また、普通図柄についての確率変動機能及び変動時間短縮機能は、特別図柄の変動時間短縮機能に同期して作動するようになっている。すなわち、普通図柄の確率変動機能及び変動時間短縮機能は、特別図柄の時短状態において作動し、非時短状態において作動しないものとなっている。このため、時短状態では、普通図柄当否判定における当り確率が非時短状態よりも高くなる。具体的に、時短状態では、当りと判定される普通図柄乱数（当り乱数）の値が非時短状態で用いる普通図柄当り判定テーブルよりも多い普通図柄当り判定テーブルを用いて、普通図柄当否判定（普通図柄の判定）を行う（図８（Ｃ）を参照）。これにより、時短状態（普通図柄についての確率変動機能が作動しているとき）は、非時短状態（普通図柄についての確率変動機能が作動していないとき）に比して、普通図柄の変動表示の表示結果が当りとなる（停止図柄が普通当り図柄となる）確率が高くなる。
【０１２３】
また時短状態では、普通図柄の変動時間が非時短状態よりも短くなっている。本実施例では、普通図柄の変動時間を非時短状態では３０秒とし、時短状態では１秒としている（図８（Ｄ）参照）。さらに時短状態では、可変入賞装置２２（第２始動口２１）の開放時間延長機能が作動し、補助遊技における第２始動口２１の開放時間が、非時短状態よりも長くなっている。加えて時短状態では、可変入賞装置２２の開放回数増加機能が作動し、補助遊技における第２始動口２１の開放回数が非時短状態よりも多くなっている。具体的には、非時短状態において普通図柄当否判定の結果が当りになると、可変入賞装置２２（第２始動口２１）の開閉部材２３が０．２秒の開放動作を１回行い、時短状態において普通図柄当否判定の結果が当りになると、可変入賞装置２２（第２始動口２１）の開閉部材２３が２．０秒の開放動作を３回行うものとなっている。
【０１２４】
普通図柄についての確率変動機能及び変動時間短縮機能、並びに、可変入賞装置２２の開放時間延長機能及び開放回数増加機能が作動している状況下では、これらの機能が作動していない場合に比して、第２始動口２１が頻繁に開放され、第２始動口２１へ遊技球の入球頻度が高くなる（これを「高頻度状態」ともいう。）。その結果、発射球数に対する賞球数の割合であるベースが高くなる。従って、これらの機能が作動している状態を「高ベース状態」や「電サポ状態」といい、作動していない状態を「低ベース状態」という。高ベース状態（高頻度状態）では、手持ちの遊技球を大きく減らすことなく大当りを狙うことができる。
【０１２５】
なお、高ベース状態は、上記した全ての機能が作動するものでなくてもよい。すなわち、普通図柄の確率変動機能及び変動時間短縮機能、並びに、可変入賞装置２２の開放時間延長機能及び開放回数増加機能のうち少なくとも一つの機能の作動によって、その機能が作動していないときに比べ第２始動口２１が開放され易く（入球頻度が高く）なっていればよい。また、高ベース状態は、特別図柄の時短状態に付随せずに独立して制御されるようにしてもよい。この様な高ベース状態を発生させる機能を「高ベース発生機能」ということもできる。
【０１２６】
本実施例のパチンコ遊技機１では、７Ｒ第１，第３，第５，第７大当り及び１５Ｒ第８大当りの何れかになった場合の大当り遊技後の遊技状態は、その大当り遊技中に遊技球が特定領域３９を通過する可能性が極めて高いことから、特定領域３９への遊技球の通過に基づいて特別図柄の高確率状態になるとともに、特別図柄の時短状態かつ高ベース状態となる（図６を参照）。この遊技状態のことを「高確高ベース状態」ともいう。高確高ベース状態は、いわゆる「確変遊技状態」であり、予め定められた回数の特別図柄の変動表示（変動遊技）が実行されるか、大当りとなって大当り遊技が実行されることにより終了する。なお、特定領域３９への遊技球の通過がなされていなければ、特別図柄の通常状態かつ時短状態かつ高ベース状態（低確高ベース状態）となる。
【０１２７】
そして、７Ｒ第１，第３，第５大当りの何れかに係る大当り遊技後の高確高ベース状態で、大当りが発生することなく所定回数（例えば、５０回、７５回又は１００回）の特別図柄の変動表示が実行されると、特別図柄の高確率状態かつ非時短状態かつ低ベース状態となる（図６を参照）。この遊技状態のことを「高確低ベース状態」ともいう。
【０１２８】
また、７Ｒ第２，第４，第６大当り及び１５Ｒ第９大当りの何れかになった場合の大当り遊技後の遊技状態は、その大当り遊技中に遊技球が特定領域３９を通過する可能性は極めて低いことから、特別図柄の通常状態になるとともに、特別図柄の時短状態かつ高ベース状態となる（図６参照）。この遊技状態のことを「低確高ベース状態」ともいう。低確高ベース状態は、いわゆる「時短遊技状態」（「時短状態」ともいう。）であり、所定回数（例えば、５０回、７５回又は１００回）の特別図柄の変動表示（変動遊技）が実行されるか、大当りとなって大当り遊技が実行されることにより終了する。なお、可能性は限りなく低いが、仮に遊技球が特定領域３９を通過した場合には「高確高ベース状態」となる。
【０１２９】
高確高ベース状態や低確高ベース状態といった高ベース状態では、右打ちにより右遊技領域３Ｂへ遊技球を進入させた方が有利に遊技を進行できる。高ベース状態では、低ベース状態と比べて第２始動口２１が開放されやすくなっており、第１始動口２０への入球よりも第２始動口２１への入球の方が容易となるからである。そのため、普通図柄当否判定の契機となるゲート２８へ遊技球を通過させつつ、第２始動口２１へ遊技球を入球させるべく右打ちを行う。これにより、左打ちを行う場合に比べ、多数の始動入球（特別図柄当否判定の機会）を得ることができる。この状態のとき、発射方向表示器４７が所定の態様で点灯制御され、右遊技領域３Ｂを狙って遊技球を発射すべきことを報知する（右打ち指示報知）。
【０１３０】
これに対して、低ベース状態（例えば低確低ベース状態）では、左打ちにより左遊技領域３Ａへ遊技球を進入させた方が有利に遊技を進行できる。低ベース状態では、高ベース状態と比べて第２始動口２１が開放されにくくなっており、第２始動口２１への入球よりも第１始動口２０への入球の方が容易となるからである。そのため、第１始動口２０へ遊技球を入球させるべく左打ちを行う。これにより、右打ちを行う場合に比べ、多数の始動入球（特別図柄当否判定の機会）を得ることができる。この状態のとき、発射方向表示器４７が所定の態様で点灯制御（表示制御）され、左遊技領域３Ａを狙って遊技球を発射すべきことを報知する（左打ち指示報知）。
【０１３１】
具体的には発射方向表示器４７は、「ｙｚ」の２個のＬＥＤで構成されており、遊技状態に応じてＬＥＤを点灯させることにより発射方向を示すものである。例えば、低ベース状態では、「ｙ□ｚ□」（例えば、□：消灯、■：点灯とする）というように両ＬＥＤを消灯する表示態様として左遊技領域へ発射すべきことを報知することができる。また、高ベース状態では、「ｙ■ｚ■」（例えば、□：消灯、■：点灯とする）というように両ＬＥＤを点灯する表示態様として右遊技領域へ発射すべきことを報知することができる。
【０１３２】
また、本実施例では、遊技領域３のうち左遊技領域３Ａと右遊技領域３Ｂの何れに向けて遊技球を発射するかを指示する指示報知を、発射方向表示器４７によるＬＥＤの表示態様だけでなく、画像表示装置７（表示画面７ａ）における発射指示画像の表示によっても行うこととしている。遊技者にしてみれば、発射方向表示器４７に比べ画像表示装置７（表示画面７ａ）の方が、表示内容の視認や理解等が容易である。したがって、遊技者は、一般的には、画像表示装置７（表示画面７ａ）に表示される発射指示画像を見て、「左打ち」と「右打ち」の何れを行うべきなのか、つまり、現在の遊技状態が左打ちを行う「左打ち遊技状態」なのか右打ちを行う「右打ち遊技状態」なのかを認識する。左打ち遊技状態は、変動遊技が実行される低ベース状態であり、右打ち遊技状態は、大当り遊技が実行される状態（特別遊技状態）及び変動遊技が実行される高ベース状態である。発射方向の指示報知についての詳細は後述する。
【０１３３】
以上のように、本実施例のパチンコ遊技機１においては、大当り遊技が行われていない低確低ベース状態を基準とすると、この低確低ベース状態を「通常遊技状態」もしくは「通常状態」として捉えることができ、低確低ベース状態にて行われる変動遊技を「通常遊技」として捉えることができる。また、大当り遊技は、特別図柄を変動表示させて大当り図柄が停止表示されることで実行され得る遊技であって、遊技者にとっては大入賞口（第１大入賞口３０、第２大入賞口３５）への遊技球の入球により多量の賞球を得ることが可能な有利な遊技であることから、大当り遊技を「特別遊技」として捉えることができ、当該大当り遊技が行われる遊技状態を「特別遊技状態」として捉えることができる。
【０１３４】
本実施例では、遊技状態（変動モード）が低ベース状態にあるときは左打ちにより遊技を進行させるため、第１始動口２０への入球に基づく第１特別図柄当否判定（第１特別図柄変動遊技）が主として実行される。一方、遊技状態（変動モード）が高ベース状態にあるときは右打ちにより遊技を進行させるため、第２始動口２１への入球に基づく第２特別図柄当否判定（第２特別図柄変動遊技）が主として実行される。そして、低確低ベース状態（通常遊技状態）において７Ｒ第１〜第７大当りの何れかが発生した場合、当該大当りに係る大当り遊技終了後の遊技状態が「低確高ベース状態」と「高確高ベース状態」との何れに設定（制御）されるのかを、その大当りの発生から大当り遊技終了後の所定期間に亘って演出上報知せず（秘匿し）、当該所定期間内に所定条件が成立したことに基づいて、そのときの遊技状態を演出で報知する構成としている。この構成についての詳細は後述する。
【０１３５】
なお、低確低ベース状態（通常遊技状態）や高確低ベース状態のこと（つまり、「低ベース状態」のこと）を「第１遊技状態」ともいい、低確高ベース状態（時短遊技状態）や高確高ベース状態（確変遊技状態）のこと（つまり、「高ベース状態」のこと）を「第２遊技状態」ともいう。また、第２遊技状態（高ベース状態）のうち低確高ベース状態のことを「第１モード」又は「第１変動モード」ともいい、低確高ベース状態よりも遊技者にとって有利な高確高ベース状態のことを「第２モード」又は「第２変動モード」ともいう。さらに、高確低ベース状態について、大当り確率を基準とすると、低確低べース状態や低確高ベース状態よりも遊技者にとって有利な遊技状態であるといえることから、この場合、低確低べース状態及び／又は低確高ベース状態態のことを「第１モード」又は「第１変動モード」ともいい、高確低ベース状態のことを「第２モード」又は「第２変動モード」ともいう。
【０１３６】
［主制御メイン処理］
次に、図１０〜図３８に基づいて遊技制御用マイコン８１の動作（主制御部８０による制御処理）について説明する。なお、遊技制御用マイコン８１の動作説明にて登場するカウンタ、フラグ、ステータス、バッファ等は、主制御基板８０のＲＡＭに設けられている。また、本明細書においてS101等の「S」（フローチャート中の「S」）はステップを意味する。
【０１３７】
主制御基板８０に備えられた遊技制御用マイコン８１は、パチンコ遊技機１の電源がオンされると、図１０に示す主制御メイン処理のプログラムを主制御基板８０のＲＯＭから読み出して実行する。同図に示すように、主制御メイン処理では、まず初期設定を行う（S101）。初期設定では例えば、スタックの設定、定数設定、割り込み時間の設定、主制御基板８０のＣＰＵの設定、ＳＩＯ、ＰＩＯ、ＣＴＣ（割り込み時間用コントローラ）の設定や、各種のフラグ、ステータス及びカウンタのリセット等を行う。フラグの初期値は「０」つまり「ＯＦＦ」であり、ステータスの初期値は「１」であり、カウンタの初期値は「０」である。なお、初期設定（S101）は、電源投入後に一度だけ実行され、それ以降は実行されない。
【０１３８】
初期設定（S101）に次いで、割り込みを禁止し（S102）、普通図柄・特別図柄主要乱数更新処理（S103）を実行する。この普通図柄・特別図柄主要乱数更新処理（S103）では、図７に示した種々の乱数カウンタの値を１加算する更新を行う。各乱数カウンタの値は上限値に至ると「０」に戻って再び加算される。なお各乱数カウンタの初期値は「０」以外の値であってもよく、ランダムに変更されるものであってもよい。更新された乱数カウンタ値は主制御基板８０のＲＡＭの所定の更新値記憶領域（図示せず）に逐次記憶される。
【０１３９】
普通図柄・特別図柄主要乱数更新処理（S103）が終了すると、割り込みを許可する（S104）。割り込み許可中は、割り込み処理（S105）の実行が可能となる。この割り込み処理（S105）は、例えば４ｍｓ周期で主制御基板８０のＣＰＵに繰り返し入力される割り込みパルスに基づいて実行される。そして、割り込み処理（S105）が終了してから、次に割り込み処理（S105）が開始されるまでの間に、普通図柄・特別図柄主要乱数更新処理（S103）による各種カウンタ値の更新処理が繰り返し実行される。なお、割り込み禁止状態のときにＣＰＵに割り込みパルスが入力された場合、割り込み処理（S105）はすぐには開始されず、割り込み許可（S104）がされてから開始される。
【０１４０】
［割り込み処理］
次に、割り込み処理（S105）について説明する。図１１に示すように、割り込み処理（S105）では、まず出力処理（S201）を実行する。出力処理（S201）では、以下に説明する各処理において主制御基板８０のＲＡＭに設けられた出力バッファにセットされたコマンド（制御信号）等を、副制御基板９０や払出制御基板１１０等に出力する。出力するコマンド等には、遊技状態、特別図柄当否判定の結果、大当り種別としての図柄（大当り図柄）、変動パターン等に関する情報等が含まれる。なお、コマンドは、例えば２バイトの情報からなる。この場合、上位１バイトは、コマンドの種類に関する情報であり、下位１バイトはコマンドの内容に関する情報である。
【０１４１】
出力処理（S201）に次いで行われる入力処理（S202）では、主にパチンコ遊技機１に設けられている各種センサ（第１始動口センサ２０ａ、第２始動口センサ２１ａ、第１大入賞口センサ３０ａ、第２大入賞口センサ３５ａ、一般入賞口センサ２７ａ等（図５参照））が検知した検知信号を読み込み、賞球情報としてＲＡＭの出力バッファに記憶する。また、下皿６２の満杯を検知する下皿満杯検知センサからの検知信号も取り込み、下皿満杯データとしてＲＡＭの出力バッファに記憶する。
【０１４２】
次に行われる普通図柄・特別図柄主要乱数更新処理（S203）は、図１０の主制御メイン処理で行う普通図柄・特別図柄主要乱数更新処理（S103）と同じである。即ち、図７に示した各種乱数カウンタ値（普通図柄乱数カウンタ値も含む）の更新処理は、タイマ割り込み処理（S105）の実行期間と、それ以外の期間（割り込み処理（S105）の終了後、次の割り込み処理（S105）が開始されるまでの期間）との両方で行われる。
【０１４３】
普通図柄・特別図柄主要乱数更新処理（S203）に次いで、後述する始動口センサ検知処理（S204）、普図動作処理（S205）、特図動作処理（S206）、特定領域センサ検知処理（S207）、非特定領域センサ検知処理（S208）、始動入球時処理（S209）および電源断監視処理（S210）を実行する。その後、本発明に深く関連しないその他の処理（S211）を実行して、割り込み処理（S105）を終了する。そして、次に主制御基板８０のＣＰＵに割り込みパルスが入力されるまでは主制御メイン処理のS102〜S104の処理が繰り返し実行され（図１０参照）、割り込みパルスが入力されると（約４ｍｓ後）、再び割り込み処理（S105）が実行される。再び実行された割り込み処理（S105）の出力処理（S201）においては、前回の割り込み処理（S105）にてＲＡＭの出力バッファにセットされたコマンド等が出力される。
【０１４４】
［始動口センサ検知処理］
図１２に示すように、始動口センサ検知処理（S204）ではまず、遊技球がゲート２８を通過したか否か、即ち、ゲートセンサ２８ａによって遊技球が検知されたか否かを判定する（S301）。遊技球がゲート２８を通過していなければ（S301でNO）、S305に進み、ゲート２８を遊技球が通過していれば（S301でYES）、普通図柄保留球数（普図保留の数、具体的にはＲＡＭに設けた普図保留の数をカウントするカウンタの値）が４未満であるか否かを判定する（S302）。
【０１４５】
普通図柄保留球数が４未満でなければ（S302でNO）、S305に進む。一方、普通図柄保留球数が４未満であれば（S302でYES）、普通図柄保留球数に「１」を加算し（S303）、普通図柄乱数取得処理（S304）を行う。普通図柄乱数取得処理（S304）では、ＲＡＭの更新値記憶領域（図示せず）に記憶されている普通図柄当否判定用乱数カウンタの値（ラベル−ＴＲＮＤ−Ｈ）を取得し、その取得乱数値（取得情報）を、主制御基板８０のＲＡＭに設けられた普図保留記憶部のうち現在の普通図柄保留球数に応じたアドレス空間に格納する。
【０１４６】
S305では、第２始動口２１に遊技球が入球したか否か、即ち、第２始動口センサ２１ａによって遊技球が検知されたか否かを判定する（S305）。第２始動口２１に遊技球が入球していない場合には（S305でNO）、S306〜S308の処理を行うことなくS309に進み、第２始動口２１に遊技球が入球した場合には（S305でYES）、特図２保留球数（第２特図保留の数、具体的には主制御部８０のＲＡＭに設けた第２特図保留の数をカウントするカウンタの数値）が４（上限数）未満であるか否か判定する（S306）。そして、特図２保留球数が４未満でない場合（S306でNO）には、S307及びS308の処理を行うことなくS309に進みが、特図２保留球数が４未満である場合には（S306でYES）、特図２保留球数に１を加算する（S307）。
【０１４７】
続いて特図２関係乱数取得処理（S308）を行う。特図２関係乱数取得処理（S308）では、ＲＡＭの更新値記憶領域（図示せず）に記憶されている特別図柄当否判定用乱数カウンタの値（ラベル−ＴＲＮＤ−Ａ）、大当り種別決定用乱数カウンタの値（ラベル−ＴＲＮＤ−ＡＳ）及び変動パターン乱数カウンタの値（ラベル−ＴＲＮＤ−Ｔ１）を取得し（つまり図７（Ａ）に示す乱数の値を取得し）、それら取得乱数値（取得情報）を第２特図保留記憶部のうち現在の特図２保留球数に応じたアドレス空間に格納する。
【０１４８】
続いて始動口センサ検知処理（S204）では、第１始動口２０に遊技球が入球したか否か、即ち、第１始動口センサ２０ａによって遊技球が検知されたか否かを判定する（S309）。第１始動口２０に遊技球が入球していない場合（S309でNO）には、S310以降の処理を行うことなく本処理を終え、第１始動口２０に遊技球が入球した場合には（S309でYES）、特図１保留球数（第１特図保留の数、具体的には主制御部８０のＲＡＭに設けた第１特図保留の数をカウントするカウンタの数値）が４（上限数）未満であるか否かを判定する（S310）。そして、特図１保留球数が４未満でない場合（S310でNO）には、S311以降の処理を行うことなく本処理を終え、特図１保留球数が４未満である場合には（S310でYES）、特図１保留球数に「１」を加算する（S311）。
【０１４９】
続いて特図１関係乱数取得処理（S312）を行う。特図１関係乱数取得処理（S312）では、特図２関係乱数取得処理（S308）と同様に、ＲＡＭの更新値記憶領域（図示せず）に記憶されている特別図柄当否判定用カウンタの値（ラベル−ＴＲＮＤ−Ａ）、大当り種別決定用乱数カウンタの値（ラベル−ＴＲＮＤ−ＡＳ）及び変動パターン乱数カウンタの値（ラベル−ＴＲＮＤ−Ｔ１）を取得し（つまり図７（Ａ）に示す乱数値を取得し）、それら取得乱数値を第１特図保留記憶部のうち現在の特図１保留球数に応じたアドレス空間に格納する。
【０１５０】
[普図動作処理]
遊技制御用マイコン８１は、始動口センサ検知処理（S204）に次いで、図１３に示す普図動作処理（S205）を行う。普図動作処理（S205）では、普通図柄表示器４２及び可変入賞装置２２に関する処理を４つの段階に分け、それらの各段階に「普図動作ステータス１、２、３、４」を割り当てている。そして、普図動作ステータスが「１」である場合には（S401でYES）、普通図柄待機処理（S402）を行い、「２」である場合には（S401でNO、S403でYES）、普通図柄変動中処理（S404）を行い、「３」である場合には（S401、S403で共にNO、S405でYES）、普通図柄確定処理（S406）を行い、「４」である場合には（S401、S403、S405の全てがNO）、普通電動役物処理（S407）を行う。なお普図動作ステータスは、初期設定では「１」である。
【０１５１】
［普通図柄待機処理］
図１４に示すように、普通図柄待機処理（S402）ではまず、普通図柄の保留球数が「０」であるか否かを判定し（S501）、「０」であれば（S501でYES）、S502以降の処理を行うことなく本処理を終える。一方、普通図柄の保留球数が「０」でなければ（S501でNO）、後述の普通図柄当否判定処理を行い（S502）、次いで普通図柄変動パターン選択処理を行う（S503）。普通図柄変動パターン選択処理では、図８（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。
【０１５２】
次いで、後述の普通図柄乱数シフト処理（S504）を行った後、普通図柄変動開始処理を行い（S505）、本処理を終える。普通図柄変動開始処理（S505）では、S503で選択した普通図柄変動パターンにて普通図柄の変動表示を開始するとともに、普通動作ステータスを「２」にセットする。また普通図柄変動開始処理では、副制御基板９０に普通図柄の変動開始を知らせるため、普通図柄変動開始コマンドをセットする。
【０１５３】
［普通図柄当否判定処理］
図１５に示すように、普通図柄当否判定処理（S502）ではまず、普図保留記憶部に格納されている普通図柄当否判定用乱数カウンタの値（ラベル−ＴＲＮＤ−Ｈ）を読み出す（S601）。次いで、時短フラグがＯＮであるか否か（遊技状態が時短状態であるか否か）を判定する（S602）。時短フラグがＯＮである、すなわち時短状態であると判定した場合（S602でYES）、図８（Ｃ）に示す普通図柄当り判定テーブルのうち時短状態用のテーブル（当り判定値が「０」〜「２３９」）に基づく高確率普図当否判定により、当りか否かを判定し（S604）、S605の処理に移行する。すなわち、読み出した普通図柄当否判定用乱数カウンタの値（ラベル−ＴＲＮＤ−Ｈ）が当り判定値の何れかと一致するか否かを判定する。一方、S602で時短フラグがＯＮでない、すなわち、非時短状態であると判定した場合（S602でNO）、図８（Ｃ）に示す普通図柄当り判定テーブルのうち非時短状態用のテーブル（当り判定値が「０」、「１」）に基づく低確率普図当否判定により、当りか否かを判定し（S603）、S605の処理に移行する。そして、普図当否判定（S603、S604）の結果が当り（普図当り）であるか否かを判定し（S605）、外れと判定した場合（S605でNO）、停止表示する外れ普通図柄（普図外れ図柄）を決定し（S606）、処理を終える。一方、S605で当り（普図当り）と判定した場合（S605でYES）、停止表示する当り普通図柄（普図当り図柄）を決定し（S607）、普図当りフラグをＯＮにして（S608）、処理を終える。
【０１５４】
［普通図柄乱数シフト処理］
図１６に示すように、普通図柄乱数シフト処理（S504）ではまず、普通図柄保留球数を１ディクリメントする（S701）。次いで、普図保留記憶部における各普図保留の格納場所を、現在の位置から読み出される側に一つシフトする（S702）。そして、普図保留記憶部における最上位の保留記憶の格納場所であるアドレス空間を空（「０」）にして、即ち普図保留の４個目に対応するＲＡＭ領域を０クリアして（S703）、本処理を終える。このようにして、普図保留が保留順に消化されるようにしている。
【０１５５】
［普通図柄変動中処理］
図１７に示すように、普通図柄変動中処理（S404）ではまず、普通図柄の変動時間が経過したか否か判定し（S801）、経過していなければ（S801でNO）、S802以降の処理を行うことなく本処理を終える。一方、普通図柄の変動時間が経過していれば（S801でYES）、普通図柄変動停止コマンドをセットする（S802）とともに、普図動作ステータスを「３」にセットする（S803）。そして、普通図柄の変動表示を、普通図柄当否判定用乱数の判定結果に応じた表示結果（当り普通図柄又は外れ普通図柄）で停止させる等のその他の処理を行い（S804）、本処理を終える。
【０１５６】
［普通図柄確定処理］
図１８に示すように、普通図柄確定処理（S406）ではまず、普図当りフラグがＯＮであるか否かを判定する（S901）。普図当りフラグがＯＮでなければ（S901でNO）、普図動作ステータスを「１」にセットして（S905）、本処理を終える。一方、普図当りフラグがＯＮであれば（S901でYES）、時短フラグがＯＮであるか否か、すなわち時短状態中か否かを判定する（S902）。そして時短状態中であれば（S902でYES）、可変入賞装置２２（第２始動口２１）の開放パターンとして時短状態中の開放パターンをセットする（S903）。時短状態中の開放パターンは、前述の通り、２．０秒の開放を３回繰り返す開放パターンである。従って、第２始動口２１の開放回数をカウントする第２始動口開放カウンタに「３」をセットする。
【０１５７】
これに対して、非時短状態中であれば（S902でNO）、可変入賞装置２２（第２始動口２１）の開放パターンとして非時短状態中の開放パターンをセットする（S906）。非時短状態中の開放パターンは、前述の通り、０．２秒の開放を１回行う開放パターンである。従って、第２始動口開放カウンタに「１」をセットする。そして、開放パターンのセット（S903、S906）に続いて、普図動作ステータスを「４」にセットし（S904）、本処理を終える。
【０１５８】
［普通電動役物処理］
図１９に示すように、普通電動役物処理（S407）ではまず、普図当り終了フラグがＯＮであるか否かを判定する（S1001）。普図当り終了フラグは、当りとなって実行された補助遊技において、第２始動口２１の開放が終了したことを示すフラグである。
【０１５９】
普図当り終了フラグがＯＮでなければ（S1001でNO）、第２始動口２１の開放中であるか否かを判定する（S1002）。開放中でなければ（S1002でNO）、第２始動口２１を開放させる時期（タイミング）に至ったか否かを判定し（S1003）、至っていなければ（S1003でNO）本処理を終え、至っていれば第２始動口２１を開放させ（S1004）、本処理を終える。一方、第２始動口２１の開放中であれば（S1002でYES）、第２始動口２１を閉鎖させる時期（タイミング）に至ったか否か（すなわち第２始動口２１を開放してから予め定められた開放時間が経過したか否か）を判定し（S1005）、至っていなければ（S1005でNO）本処理を終え、至っていれば（S1005でYES）第２始動口２１を閉状態（閉鎖）とする（S1006）。
【０１６０】
第２始動口２１の閉鎖処理（S1006）に次いで、第２始動口開放カウンタの値を１ディクリメントし（S1007）、第２始動口開放カウンタの値が「０」であるか否か判定する（S1008）。「０」でなければ（S1008でNO）、再び第２始動口２１を開放させるためにそのまま本処理を終える。一方、第２始動口開放カウンタの値が「０」であれば（S1008でYES）、補助遊技を終了させる普図当り終了処理（S1009）を行うとともに、普図当り終了フラグをセットして（S1010）、本処理を終える。なお、第２始動口開放カウンタは、時短状態中であれば第２始動口２１の開放（開閉部材２３の開放動作）が３回なされると「０」になり、非時短状態中であれば第２始動口２１の開放が１回なされると「０」になる。
【０１６１】
これに対して、S1001において普図当り終了フラグがＯＮであると判定した場合（S1001でYES）、S903又はS906にてセットされた回数の第２始動口２１の開放動作は終了しているので、普図当り終了フラグをＯＦＦにするとともに（S1011）、普図当りフラグをＯＦＦにし（S1012）、普図動作ステータスを「１」にセットして（S1013）、本処理を終える。これにより、次回の割り込み処理において、普図動作処理（S205）として再び普通図柄待機処理（S402）が実行されることになる。
【０１６２】
［特図動作処理］
図１１に示すように遊技制御用マイコン８１は、普図動作処理（S205）に次いで特図動作処理（S206）を行う。図２０に示すように、特図動作処理（S206）では、特別図柄表示器４１および大入賞装置（第１大入賞装置３１、第２大入賞装置３６）に関する処理を４つの段階に分け、それらの各段階に「特図動作ステータス１、２、３、４」を割り当てている。そして、特図動作ステータスが「１」である場合には（S1101でYES）、特別図柄待機処理（S1102）を行い、「２」である場合には（S1101でNO、S1103でYES）、特別図柄変動中処理（S1104）を行い、「３」である場合には（S1101、S1103で共にNO、S1105でYES）、特別図柄確定処理（S1106）を行い、「４」である場合には（S1101、S1103、S1105で共にNO）、大当り遊技としての特別電動役物処理（S1107）を行う。なお、特図動作ステータスは、初期設定では「１」である。
【０１６３】
［特別図柄待機処理］
図２１に示すように、特別図柄待機処理（S1102）ではまず、第２始動口２１の保留球数（即ち特図２保留球数）が「０」であるか否かを判定する（S1201）。特図２保留球数が「０」である場合（S1201でYES）、即ち、第２始動口２１への入球に起因して取得した乱数カウンタ値の記憶がない場合には、第１始動口２０の保留球数（即ち特図１保留球数）が「０」であるか否かを判定する（S1206）。そして、特図１保留球数も「０」である場合（S1206でYES）、即ち、第１始動口２０への入球に起因して取得した乱数カウンタ値の記憶もない場合には、画像表示装置７の表示画面７ａを待機画面とする処理中（客待ち用のデモ画面の実行中）であるか否かを判定し（S1211）、そうであれば（S1211でYES）、S1212の処理を行うことなく本処理を終え、そうでなければ（S1211でNO）、待機画面を表示するために待機画面設定処理を実行する（S1212）。
【０１６４】
S1201で特図２保留球数が「０」でないと判定した場合（S1201でNO）、即ち、第２始動口２１への入球に起因して取得した乱数カウンタ値の記憶が１つ以上ある場合には、後述の特図２当否判定処理（S1202）、特図２変動パターン選択処理（S1203）、特図２乱数シフト処理（S1204）、特図２変動開始処理（S1205）をこの順に行う。また、特図２保留球数が「０」であるが特図１保留球数が「０」でない場合（S1201でYES、S1206でNO）、即ち、第２始動口２１に係る乱数カウンタ値の記憶はないが、第１始動口２０への入球に起因して取得した乱数カウンタ値の記憶が１つ以上ある場合には、後述の特図１当否判定処理（S1207）、特図１変動パターン選択処理（S1208）、特図１乱数シフト処理（S1209）、特図１変動開始処理（S1210）をこの順に行う。このように本実施例では、第１特図保留に基づく第１特別図柄の変動表示は、特図２保留球数が「０」の場合（S1201でYESの場合）に限って行われる。すなわち第２特図保留の消化（第２特別図柄の変動表示）は、第１特図保留の消化（第１特別図柄の変動表示）に優先して実行される。そして本実施例では、第２特図保留に基づく当否判定の方が、第1特図保留に基づく当否判定よりも、遊技者にとって利益の大きい大当りになりやすくなっている（図８（Ｂ）を参照）。
【０１６５】
［特図２当否判定処理］
図２２に示すように、特図２当否判定処理（S1202）ではまず、判定値として、ＲＡＭの第２特図保留記憶部の最下位の領域（即ち第２特図保留の１個目に対応するＲＡＭ領域）に記憶されている（最も古い記憶の）特別図柄当否判定用乱数カウンタの値（ラベル−ＴＲＮＤ−Ａ）を読み出す（S1301）。次いで、確変フラグがＯＮであるか否か、すなわち高確率状態であるか否かを判定する（S1302）。そして、高確率状態でなければ（S1302でNO）、すなわち通常状態であれば、大当り判定テーブル（図８（Ａ）を参照）のうち通常状態用の大当り判定テーブル（大当り判定値が「３」及び「３９７」）に基づいて当否判定を行う（S1303）。一方、高確率状態であれば（S1302でYES）、大当り判定テーブル（図８（Ａ）を参照）のうち高確率状態用の大当り判定テーブルに基づいて当否判定を行う（S1304）。高確率状態用の大当り判定テーブルでは、大当り判定値は、「３」、「５３」、「１１３」、「１７３」、「２２７」、「２８１」、「３３７」、「３９７」、「４４９」、「５０３」とされている。
【０１６６】
当否判定（S1303、S1304）の結果が「大当り」である場合（S1305でYES）、大当り種別決定用乱数カウンタの値（ラベル−ＴＲＮＤ−ＡＳ）を読み出して、図８（Ｂ）に示す大当り種別判定テーブルに基づいて大当り種別を判定し（S1307）、当該大当り種別決定用乱数の値に基づいて大当り図柄を決定し（S1308）、大当りフラグをＯＮにして（S1309）、本処理を終える。一方、当否判定（S1303、S1304）の結果が「大当り」でない（「外れ」である）場合（S1305でNO）、外れ図柄を決定し（S1306）、本処理を終える。
【０１６７】
ここで、大当り種別を判定するにあたり、第１特別図柄に係る当否判定の場合は、第１特別図柄用の大当り種別判定テーブルを用いて大当り種別を判定し、第２特別図柄に係る当否判定の場合は、第２特別図柄用の大当り種別判定テーブルを用いて大当り種別を判定する。なお、特別図柄当否判定や大当り種別決定判定を、夫々「判定」といってもよいし、大当り判定を行い何れの大当り図柄となるかを含めて「判定」といってもよい。また、第２特別図柄に係る当否判定（S1303、S1304）を実行する主制御部８０（遊技制御用マイコン８１）は「第２当否判定手段」として機能するものである。
【０１６８】
［特図２変動パターン選択処理］
図２１に示すように、特別図柄待機処理（S1102）では、特図２当否判定処理（S1202）に次いで、特図２変動パターン選択処理を行う（S1203）。図２３及び図２４に示すように、特図２変動パターン選択処理（S1203）ではまず、遊技状態が時短状態であるか否か（時短フラグがＯＮであるか否か）を判定する（S1401）。その結果、時短状態でないと判定した場合（S1401でNO）、すなわち非時短状態であれば、次いで、大当りフラグがＯＮであるか否かを判定する（S1402）。
【０１６９】
S1402で、大当りフラグがＯＮであると判定した場合（S1402でYES）、非時短状態大当り用テーブル（図９に示す変動パターンテーブルのうち非時短状態かつ大当りに該当する部分）を参照して、変動パターン乱数カウンタ値（ラベル−ＴＲＮＤ−Ｔ１）に基づいて変動パターンを選択する（S1403）。本実施例では、変動パターンＰ１〜Ｐ３の何れかが選択される。なお、本実施例では、変動パターンが決まれば変動時間も決まるものとされている。次いで、S1404の処理に移行する。
【０１７０】
一方、S1402で、大当りフラグがＯＮでないと判定した場合（S1402でNO）、次いで第２特別図柄の保留数が「１」又は「２」であるか否かを判定する（S1405）。ここでいう保留数とは、本処理により変動パターンを決定している情報も含めた記憶数であるので、保留記憶の数は「１」〜「４」の何れかの値とされる。そして、S1405で保留数が「１」又は「２」の何れかであると判定した場合（S1405でYES）、第１保留数外れ用テーブル（図９に示す変動パターンテーブルのうち非時短状態かつ外れかつ保留球数「１、２」に該当する部分）を参照して、変動パターン乱数カウンタ値（ラベル−ＴＲＮＤ−Ｔ１）に基づいて変動パターンを選択する（S1406）。本実施例では、変動パターンＰ４〜Ｐ７の何れかが選択される。一方、S1405で、保留数が「１」又は「２」の何れでもない、すなわち「３」又は「４」の何れかであると判定した場合（S1405でNO）、第２保留数外れ用テーブル（図９に示す変動パターンテーブルのうち非時短状態かつ外れかつ保留球数「３、４」に該当する部分）を参照して、変動パターン乱数カウンタ値（ラベル−ＴＲＮＤ−Ｔ１）に基づいて変動パターンを選択する（S1407）。本実施例では、変動パターンＰ８〜Ｐ１１の何れかが選択される。また、第１保留数外れ用テーブルは、第２保留数外れ用テーブルよりも、比較的長時間の変動時間の変動パターンを選択する可能性が高く設定されている。また、選択可能な最も短時間の変動時間（１２０００ｍｓ）も、第２保留数外れ用テーブルのもの（４０００ｍｓ）よりも長い時間とされている。
【０１７１】
また、S1401で時短状態であると判定した場合（S1401でYES）、図２４に示すように、大当りフラグがＯＮであるか否かを判定する（S1408）。その結果、大当りフラグがＯＮであると判定した場合（S1408でYES）、時短状態大当り用テーブル（図９に示す変動パターンテーブルのうち時短状態かつ大当りに該当する部分）を参照して、変動パターン乱数カウンタ値（ラベル−ＴＲＮＤ−Ｔ１）に基づいて変動パターンを選択する（S1409）。本実施例では、変動パターンＰ１２〜Ｐ１４の何れかが選択される。
【０１７２】
一方、S1408で大当りフラグがＯＮでないと判定した場合（S1408でNO）、保留数が「１」であるか否かを判定する（S1410）。ここでいう保留数も前述と同様であり、保留数は「１」〜「４」の何れかの値とされている。S1410で保留数が「１」であると判定した場合（S1410でYES）、第３保留数外れ用テーブル（図９に示す変動パターンテーブルのうち時短状態かつ外れかつ保留球数「１」に該当する部分）を参照して、変動パターン乱数カウンタ値（ラベル−ＴＲＮＤ−Ｔ１）に基づいて変動パターンを選択する（S1411）。本実施例では、変動パターンＰ１５〜Ｐ１８の何れかが選択される。
【０１７３】
また、S1410で保留数が「１」でない、すなわち、保留数が「２」〜「４」のうちの何れかであると判定した場合（S1410でNO）、第４保留数外れ用テーブル（図９に示す変動パターンテーブルのうち時短状態かつ外れかつ保留球数「２〜４」に該当する部分）を参照して、変動パターン乱数カウンタ値（ラベル−ＴＲＮＤ−Ｔ１）に基づいて変動パターンを選択する（S1411）。本実施例では、変動パターンＰ１９〜Ｐ２２の何れかが選択される。ここで、時短状態でかつ外れの場合に選択される変動パターンは、非時短状態でかつ外れの場合に選択される変動パターンと比較して、短い変動パターンが選択される可能性が高くされている。これは、時短状態において変動時間の短い変動パターンがより多く選択されようにすることで、特図保留の消化スピードを早める（時短中の遊技を迅速に進行させる）ためである。
【０１７４】
前述のようにして変動パターンの選択を行った後は、図２３に示すその他の処理を行い（S1404）、本処理を終える。なお、その他の処理（S1404）では、選択した変動パターンに応じた変動パターン指定コマンドをＲＡＭの出力バッファにセットする等の処理を行う。また、この処理でセットされた変動パターン指定コマンドは、後述の変動開始コマンドに含められて、出力処理（S201）によりサブ制御部９０に送信される。
【０１７５】
［特図２乱数シフト処理］
図２５に示すように、特図２乱数シフト処理（S1204）ではまず、特図２保留球数を１ディクリメントする（S1501）。次いで、第２特図保留記憶部における各種カウンタ値の格納場所を、１つ下位側（例えば第２特図保留記憶部がアドレス「００００」〜「０００３」に対応するアドレス空間からなる場合、アドレス「００００」側）にシフトする（S1502）。そして、第２特図保留記憶部の最上位のアドレス空間に「０」をセットして、即ち、（上限数まで記憶されていた場合）第２特図保留の４個目に対応するＲＡＭ領域を０クリアして（S1503）、本処理を終える。
【０１７６】
特図２乱数シフト処理（S1204）を実行した後は、図２１に示すように特図２変動開始処理（S1205）を実行する。特図２変動開始処理（S1205）では、特図動作ステータスを「２」にセットすると共に、変動開始コマンドをＲＡＭの出力バッファにセットして、第２特別図柄の変動表示を開始する。
【０１７７】
また、図２１に示す特別図柄待機処理（S1102）において、特図２保留球数が「０」であり、かつ、特図１保留球数が「０」でない場合（S1201でYES、S1206でNO）には、特図１当否判定処理（S1207）、特図１変動パターン選択処理（S1208）、特図１乱数シフト処理（S1209）、特図１変動開始処理（S1210）をこの順に行う。
【０１７８】
［特図１当否判定処理］
図２６に示すように、特図１当否判定処理（S1207）では、図２２に示した特図２当否判定処理（S1202）と同様の流れでS1601〜S1609の各処理を行う。従って、本処理の詳細な説明は省略する。但し、本処理は特図１に関する処理であるので、S1601では、ＲＡＭの第１特図保留記憶部の最下位の領域（即ち第１特図保留の１個目に対応するＲＡＭ領域）に記憶されている特別図柄当否判定用乱数カウンタ値（ラベル−ＴＲＮＤ−Ａ）を読み出して処理を行う。なお、第１特別図柄に係る当否判定（S1603、S1604）を実行する主制御部８０（遊技制御用マイコン８１）は「第１当否判定手段」として機能するものである。
【０１７９】
［特図１変動パターン選択処理］
図２７及び図２８に示すように、特図１変動パターン選択処理（S1208）では、図２３及び図２４に示した特図２変動パターン選択処理（S1403）と同様の流れで処理（S1701〜S1712）を行う。従って本処理の詳細な説明は割愛する。
【０１８０】
［特図１乱数シフト処理］
図２９に示すように、特図１乱数シフト処理（S1209）ではまず、特図１保留球数を１ディクリメントする（S1801）。次いで、第１特図保留記憶部における各種カウンタ値の格納場所を、１つ下位側にシフトする（S2002）。そして、第１特図保留記憶部の最上位のアドレス空間に「０」をセットして、即ち、（上限数まで記憶されていた場合）第１特図保留の４個目に対応するＲＡＭ領域を０クリアして（S1803）、本処理を終える。
【０１８１】
特図１乱数シフト処理（S1209）を実行した後は、図２１に示すように特図１変動開始処理（S1210）を実行する。特図１変動開始処理（S1210）では、特図動作ステータスを「２」にセットすると共に、変動開始コマンドをＲＡＭの出力バッファにセットして、第１特別図柄の変動表示を開始する。
【０１８２】
［特別図柄変動中処理］
図３０に示すように、特別図柄変動中処理（S1104）ではまず、特別図柄の変動時間（図２１のS1203又はS1208で選択された変動パターンに応じて決まる変動時間、図９を参照）が経過したか否かを判定する（S1901）。変動時間が経過していないと判定した場合（S1901でNO）、処理を終える。これにより特別図柄の変動表示が継続される。
【０１８３】
一方、変動時間が経過したと判定した場合（S1901でYES）、変動停止コマンドをセットする（S1902）。次いで、確変フラグがＯＮであるか否か判定し（S1903）、ＯＮであれば（S1903でYES）、確変カウンタを１減算し（S1904）、確変カウンタの値が「０」であるか否かを判定する（S1905）。確変カウンタの値が「０」であると判定した場合（S1905でYES）、確変フラグをＯＦＦにし（S1906）、S1907の処理に移行する。一方、確変フラグがＯＮでないと判定した場合（S1903でNO）、又は、確変カウンタの値が「０」でないと判定した場合（S1905でNO）、S1907の処理に移行する。
【０１８４】
S1907では、時短フラグがＯＮであるか否かを判定し（S1907）、時短フラグがＯＮであると判定した場合（S1907でYES）、時短状態中に実行した特別図柄の変動表示回数をカウントする時短カウンタの値を１減算し（S1908）、時短カウンタの値が「０」であるか否かを判定する（S1909）。時短カウンタの値が「０」であれば（S1909でYES）、時短フラグをＯＦＦにし（S1910）、S1911の処理に進む。また、時短フラグがＯＮでないと判定した場合（S1907でNO）、又は、時短カウンタの値が「０」でないと判定した場合（S1909でNO）、S1911の処理に進む。
【０１８５】
S1911では、特図動作ステータスを「３」にセットする（S1911）。次いで、特別図柄の変動表示を、特別図柄当否判定乱数及び大当り種別決定用乱数の判定結果に応じた結果で停止させる等のその他の処理を行い（S1912）、本処理を終える。遊技制御用マイコン８１は、特別図柄の変動表示を停止（終了）する際、特別図柄（停止図柄）の停止表示時間（停止表示期間）を設定する。そして、その設定した停止表示時間（停止表示期間）が経過すると、特別図柄確定処理（S1106）を行う。
【０１８６】
なお、確変カウンタの値が「０」になったことに基づいて確変フラグをＯＦＦにしたり、時短カウンタの値が「０」になったことに基づいて時短フラグをＯＦＦにしたりする処理（S1906、S1910）を実行する主制御部８０（遊技制御用マイコン８１）は、「遊技状態制御手段」又は「モード設定手段」として機能するものである。
【０１８７】
［特別図柄確定処理］
図３１に示すように、特別図柄確定処理（S1106）ではまず、大当りフラグがＯＮであるか否かを判定する（S2001）。大当りフラグがＯＮであれば（S2001でYES）、今回の大当りの種別が１５Ｒ大当り（１５Ｒ第８大当り又は１５Ｒ第９大当り）であるか否かを判定する（S2002）。その結果、今回の大当りの種別が１５Ｒ大当りであると判定した場合（S2002でYES）、大当り遊技中に実行するラウンドの回数をカウントするラウンドカウンタの値に「１５」をセットし（S2003）、S2006の処理に移行する。一方、今回の大当りの種別が１５Ｒ大当りでないと判定した場合（S2002でNO）、大当り種別は７Ｒ大当り（７Ｒ第１〜第７大当りの何れか）であるため、ラウンドカウンタの値に「７」をセットし（S2005）、S2006の処理に移行する。
【０１８８】
S2006では、ラウンド表示器４５の表示態様（点灯態様）を決める点灯パターンデータをセットし（S2006）、S2007の処理に移行する。具体的に、前述のS2002の判定結果、すなわち、今回の大当りの種別（ラウンド数）に応じて、ラウンド表示器４５を構成する２個のＬＥＤ（７Ｒ用ランプ、１５Ｒ用ランプ）の点灯パターンデータをセットする（S2006）。このセットした点灯パターンデータが出力処理（S201）により出力されると、その点灯パターンデータにしたがってラウンド表示器４５のＬＥＤ（ラウンドランプ）が点灯する。
【０１８９】
S2007では、当り表示器４８の表示態様（点灯態様）を決める点灯パターンデータをセットし（S2007）、S2008の処理に移行する。前述したように、当り表示器４８は、大当りが発生したとき（大当り図柄が表示されたとき）の当該大当りの契機となった特別図柄当否判定が、第１特別図柄当否判定と第２特別図柄当否判定の何れであるのかを示すものである。本実施例のパチンコ遊技機１は、大当りの種別として「７Ｒ大当り」（７Ｒ第１〜第７大当り）と「１５Ｒ大当り」（１５Ｒ第８，第９大当り）の２種類があり、「７Ｒ大当り」は第１特別図柄当否判定で大当りとなった場合の大当り種別であり、「１５Ｒ大当り」は第２特別図柄当否判定で大当りとなった場合の大当り種別である（図６を参照）。そこで、本実施例では、前述のS2002の判定結果に基づいて、当り表示器４８を構成する３個のＬＥＤの点灯パターンデータをセットする（S2007）。すなわち、S2002にて今回の大当りの種別が１５Ｒ大当りであると判定した場合（S2002でYES）、今回の大当りは第２特別図柄当否判定によるもの（「特図２大当り」ともいう。）であるため、これに応じた点灯パターンデータとして、図４に示す「ｂ１〜ｂ３」の３個のＬＥＤのうち「ｂ１」及び「ｂ３」のＬＥＤを点灯させるデータをセットする。一方、S2002にて今回の大当りの種別が１５Ｒ大当りでないと判定した場合（S2002でNO）、今回の大当りの種別は７Ｒ大当りであり、その大当りは第１特別図柄当否判定によるもの（「特図１大当り」ともいう。）であるため、これに応じた点灯パターンデータとして、図４に示す「ｂ１〜ｂ３」の３個のＬＥＤのうち「ｂ１」及び「ｂ２」のＬＥＤを点灯させるデータをセットする。このセットした点灯パターンデータが出力処理（S201）により出力されると、その点灯パターンデータにしたがって当り表示器４８のＬＥＤが点灯する。
【０１９０】
なお、本実施例では、７Ｒ大当りを特図１大当りとして設定するとともに、１５Ｒ大当りを特図２大当りとして設定しており、第１特別図柄当否判定の結果として１５Ｒ大当りが導出されず、第２特別図柄当否判定の結果として７Ｒ大当りが導出されない構成となっている（図６を参照）。このため、S2007にて当り表示器４８の点灯パターンデータをセットするにあたり、S2002の判定結果（発生した大当りの種別）に基づいてセットするものとしている。これに対し、例えば、特図１大当りと特図２大当りとで共通する大当りの種別が設定されている場合、発生した大当りの種別だけでは当該大当りの契機となった特別図柄当否判定の種別（第１特別図柄当否判定又は第２特別図柄当否判定）を判別することはできないため、発生した大当りの種別に基づいて当り表示器４８の点灯パターンデータを定めることはできない。そこで、そのような場合には、例えば、前述のS1309及びS1609でセットされる大当りフラグを、特図１大当りに対応するもの（例えば「特図１大当りフラグ」）と特図２大当りに対応するもの（例えば「特図２大当りフラグ」）とに分けて設けるようにすればよい。こうすれば、ＯＮになっている大当りフラグの種類（特図１大当りフラグ又は特図２大当りフラグ）を判定することで、大当りが発生したときの当該大当りの契機となった特別図柄当否判定の種別を判別することが可能となり、これにより、当り表示器４８の点灯パターンデータを適切に定めることが可能となる。
【０１９１】
次いでS2008では、大当りの種別（大当りの種類）に応じた大入賞口開放パターンをセットし（S2008）、S2009の処理に移行する。前述したように、大入賞口の開放パターンは、大当りの種別に応じて定められている（図６を参照）。具体的には、７Ｒ第１大当り〜第７大当りの何れかであれば、それぞれの大当りに対応した７Ｒ大当り用の開放パターンをセットし、１５Ｒ第８大当り又は１５Ｒ第９大当りであれば、それぞれの大当りに対応した１５Ｒ大当り用の開放パターンをセットする。そして、夫々の大当り遊技において、対応する大当り用開放パターンにしたがって大入賞口（特別入球口）の開閉動作が実行される。
【０１９２】
次いで、大当りの種別に応じた可動片動作タイミングをセットし（S2009）、S2010の処理に移行する。前述したように、Ｖラウンド（本実施例では５ラウンド目）での可動片１５０の動作は、第２大入賞口３５（Ｖアタッカー）への遊技球の入球数に基づいて行われるものとなっており、その動作契機となる入球数が、大当りの種別に応じて定められている（図４７を参照）。具体的には、大当りの種別に応じて予め定められた「１回目の動作タイミングを規定する入球数に該当する第１所定値（ｃ１）」と「２回目の動作タイミングを規定する入球数に該当する第２所定値（ｃ２）」とをセットする（所定値設定手段）。本実施例では、第１所定値（ｃ１）として「１」とセットし、第２所定値（ｃ２）として「２」をセットする。このS2009でセットした値と、Ｖラウンド（５ラウンド目）での入球数計数手段による計数値（Ｖアタッカーへの入球数）とに基づいて、可動片１５０の動作制御が行われる。なお、第２所定値（ｃ２）は、大当りの種別が「Ｖ非通過予定大当り」である場合にはセットせず、「Ｖ通過予定大当り」である場合にのみセットするものである。
【０１９３】
S2010では、大当り遊技を開始するべく、大当りのオープニングコマンドをセットする（S2010）。オープニングコマンドは、大当りの種別によって定められており、７Ｒ第１大当り用オープニングコマンド、７Ｒ第２大当り用オープニングコマンド等、各大当りに対応して夫々設けられている。そして、セットされたオープニングコマンドに対応するオープニング期間が設定される。
【０１９４】
主制御部８０は、セットしたオープニングコマンドを出力処理（S201）により所定のタイミングでサブ制御部９０に対して送信する。そして、オープニングコマンドを受信したサブ制御部９０では、オープニング期間に対応した所定の遊技演出を行うものとされる。
【０１９５】
またS2011では、大当り遊技のオープニング期間を開始し（S2011）、特図動作ステータスを「４」にセットする（S2012）。また、S2001において大当りフラグがＯＮでないと判定された場合（S2001でNO）、特図動作ステータスを「１」にセットし（S2013）、処理を終える。
【０１９６】
オープニング期間は、大当り遊技における大入賞口の最初の開放動作を開始する前であって、大当り図柄で停止表示した特別図柄（演出図柄）の停止表示時間（停止表示期間）の経過後に設定される期間であり、特別図柄（演出図柄）の変動表示が実行不能とされる期間である。オープニング期間のことを「開始期間」ともいう。また、オープニング期間（開始期間）に実行する演出を「オープニング演出」又は「開始演出」ともいう。オープニング期間の長さ（オープニング時間）は、大当り遊技が開始されることを遊技者に認識させることができる程度の長さとされるのが一般的であり、大当り停止表示時間よりも長い時間であっても短い時間であってもよく、大当り停止表示時間と同じ時間であってもよい。また、大当りが発生したときの遊技状態や大当りの種別に応じてオープニング期間の長さ（オープニング時間）を異ならせてもよい。
【０１９７】
なお、S2010及びS2011の処理を実行する主制御部８０（遊技制御用マイコン８１）は、「オープニング期間設定手段」として機能するものである。
【０１９８】
［特別電動役物処理（大当り遊技）］
図３２に示すように、特別電動役物処理（S1107）ではまず、確変フラグがＯＮであるか否かを判定し（S2101）、確変フラグがＯＮであると判定した場合（S2101でYES）、確変フラグをＯＦＦにし（S2102）、次いで、時短フラグがＯＮであるか否かを判定する（S2103）。S2103で、時短フラグがＯＮであると判定した場合（S2103でYES）、時短フラグをＯＦＦにし（S2104）、S2105の処理に移行する。なお、S2101で確変フラグがＯＮでないと判定した場合（S2101でNO）、確変フラグはＯＦＦであるため、S2102の処理を行うことなくS2103の処理に移行する。また、S2103で時短フラグがＯＮでないと判定した場合（S2103でNO）、時短フラグはＯＦＦであるため、S2104の処理を行うことなくS2105の処理に移行する。つまり、大当り遊技の実行中は、低確率状態かつ非時短状態に制御される。本実施例では非時短状態中は常に低ベース状態であるので、大当り遊技の実行中は低ベース状態に制御されることにもなる。
【０１９９】
次に、大当り終了フラグがＯＮであるか否かを判定する（S2105）。大当り終了フラグは、大当り遊技において大入賞装置（第１大入賞装置３１及び第２大入賞装置３６）の開放処理が全て終了（全ラウンドが終了）したことを示すフラグである。大当り終了フラグがＯＮでないと判定した場合（S2105でNO）、次いでラウンドの開始時期であるか否かを判定する（S2106）。これは、前述した大当り種別毎に設定した大入賞口開放パターンに基づいて判定する。例えば、１ラウンド目の開始前であれば、オープニング期間が終了して１ラウンド目の最初の開放処理を実行するタイミングであるか否かによって判定する。また、既に１ラウンド目を開始した後であれば、前のラウンドが終了し、かつ、所定のインターバル期間が終了したか否かによって判定する。なお、ラウンドを単に「Ｒ」ともいい、「ラウンド遊技」ともいう。
【０２００】
S2106にてラウンド開始時期であると判定した場合（S2106でYES）、対応するラウンドのラウンド開始コマンドをセットし（S2107）、大入賞口開放処理を行って（S2108）、本処理を終える。これにより、大入賞口が開放状態となり所定のラウンドが開始することとなる。なお、S2107では、１ラウンド目の開始であれば「１Ｒ開始コマンド」、２ラウンド目の開始であれば「２Ｒ開始コマンド」のように、開始するラウンドを特定可能なラウンド開始コマンドがセットされる。セットされたラウンド開始コマンドは、S201の出力処理により、サブ制御部９０に送信される。また、S2108の大入賞口開放処理では、実行される大当りの種別に応じて定められた大入賞口開放パターンであって、開始されるラウンドに定められた開放パターンが開始される。
【０２０１】
一方、S2106にてラウンド開始時期でないと判定した場合（S2106でNO）、S2111の処理に移行する。ここで、ラウンド開始時期でないと判定する場合として、例えば、１ラウンド開始前のオープニング期間中、ラウンド実行中、ラウンド終了後のインターバル期間中などを挙げることができる。S2111では、ラウンドの実行中であるか否か、すなわち、S2108で開始した所定の開放パターンに基づく大入賞口開放動作の実行中であるか否かを判定する（S2111）。その結果、ラウンド実行中（大入賞口開放動作の実行中）であると判定した場合（S2111でYES）、その実行中のラウンドがＶラウンドであるか否かを判定する（S2112）。前述したように、本実施例では大当り遊技の５ラウンド目をＶラウンドとしていることから、ここでは５ラウンド目であるか否かを判定する。そして、実行中のラウンドがＶラウンド（５ラウンド目）であれば（S2112でYES）、後述するＶラウンド処理を行い（S2113）、Ｖラウンドでなければ（S2112でNO）、Ｖラウンド処理（S2113）を行うことなくS2114の処理に移行する。
【０２０２】
S2114では、実行中のラウンドのラウンド終了条件が成立したか否かを判定する（S2114）。ここで、本実施例のラウンド終了条件として、（１）実行中のラウンドに定められたラウンド実行時間（本実施例では「２５秒」）が経過したこと（又は、実行中のラウンドに定められた開放パターンを終了したこと）、（２）実行中のラウンドにおいて当該実行中のラウンドに定められた規定数（本実施例では「９個」）の遊技球が入球したこと、の２つの条件が定められている。そして、何れか一方の条件が成立すると、当該先に成立した条件に基づいてラウンド終了条件が成立となる。S2114でラウンド終了条件が成立していないと判定した場合（S2114でNO）、S2115以降の処理を行うことなく本処理を終える。
【０２０３】
一方、S2114でラウンド終了条件が成立したと判定した場合（S2114でYES）、対応するラウンドのラウンド終了コマンドをセットし（S2115）、S2116の処理に移行する。S2115では、１ラウンド目の終了であれば「１Ｒ終了コマンド」、２ラウンド目の終了であれば「２Ｒ終了コマンド」のように、終了するラウンドを特定可能なラウンド終了コマンドがセットされる。セットされたラウンド終了コマンドは、S201の出力処理により、サブ制御部９０に送信される。
【０２０４】
S2116では、ラウンド終了に伴い大入賞口（第１大入賞口３０又は第２大入賞口３５）を閉鎖するとともに、所定のインターバル時間をセットする処理（大入賞口閉鎖処理）を行う（S2116）。本実施例では、ラウンド間のインターバル時間として「２０００ｍｓ（２秒）」と「２００ｍｓ（０．２秒）」の２種類の時間を備えており、Ｖラウンド終了に際してセットするインターバル時間（５ラウンド目と６ラウンド目との間のインターバル期間）を「２０００ｍｓ」とし、それ以外のラウンド終了に際してセットするインターバル時間を「２００ｍｓ」としている。Ｖラウンドの終了に際しては、前述した球詰まり有無の監視や不正防止等の観点から当該Ｖラウンドでの入球数と排出数の一致・不一致を判定するための時間を確保すべく、Ｖラウンド終了後のインターバル時間を「２０００ｍｓ」とし、それ以外のラウンドのラウンド間のインターバル時間は「２００ｍｓ」としている。これにより、Ｖラウンドでの球詰まり監視や不正防止を図りつつ、その他のラウンドについては第１大入賞口３０と第２大入賞口３５の交互開放を素早く円滑に進行させることが可能となる。
【０２０５】
次いでS2117では、先の大入賞口閉鎖処理（S2116）でセットしたインターバル時間が経過したか否かを判定する（S2117）。このS2117の処理は、S2111にてラウンド実行中でないと判定した場合（S2111でNO）に続いて行われる処理でもある。S2117で、インターバル時間が経過していないと判定した場合（S2117でNO）、そのまま本処理を終え、経過したと判定した場合（S2117でYES）、ラウンドカウンタの値を１ディクリメントし（S2118）、ラウンドカウンタの値が「０」であるか否かを判定する（S2119）。そして、ラウンドカウンタの値が「０」でないと判定した場合（S2119でNO）、次のラウンドを開始するため、本処理を終える。一方、ラウンドカウンタの値が「０」であると判定した場合（S2119でYES）、大当り遊技を終了させる大当り終了処理（S2120）を実行する。大当り終了処理（S2120）では、大当りのエンディングコマンドをセットするとともに大当りのエンディング期間を開始する。次いで、大当り終了フラグをＯＮにし（S2121）、本処理を終える。なお、ラウンドカウンタの値は、実行する大当りにおける全てのラウンドが終了すると「０」になる。
【０２０６】
ここで、大当り終了処理（S2120）では、エンディングコマンドをセットする処理が行われるところ、セットされるエンディングコマンドは、複数のエンディングコマンドの中から、大当りとなった際の遊技状態、大当りの種別情報及びＶフラグのＯＮ／ＯＦＦに基づいて、何れかのエンディングコマンドを選択し、セットするものとされる。セットされるエンディングコマンドの種類によって、実行される（設定される）エンディング期間が異なるものとなっている。
【０２０７】
エンディング期間は、大当り遊技における大入賞口（第１大入賞口３０および第２大入賞口３５）の全ての開放動作を終了した後であって、特別図柄（演出図柄）の変動表示を実行可能とする前に設定される期間である。エンディング期間のことを「終了期間」ともいう。エンディング期間（終了期間）では大入賞口が閉鎖状態とされる。エンディング期間（終了期間）に実行する演出を「エンディング演出」又は「終了演出」ともいう。
【０２０８】
また、Ｖラウンドにおいて（大当り遊技において）、遊技球が特定領域を通過したか否かの特定領域通過結果を示す情報を「特定領域情報」ともいう。この特定領域情報は、Ｖラウンドにおいて遊技球が特定領域を通過したこと（Ｖフラグ：ＯＮ）を示す情報と、Ｖラウンドにおいて遊技球が特定領域を通過しなかったこと（Ｖフラグ：ＯＦＦ）を示す情報と、を有し、エンディング期間を決定するエンディング期間決定手段（終了期間決定手段）は、この特定領域情報に基づいてエンディング期間を決定することが可能である。
【０２０９】
S2105において、大当り終了フラグがＯＮであると判定した場合（S2105でYES）、大当り遊技における最終ラウンドが終了しているので、大当りのエンディング演出の実行時間が経過したか否かを判定し（S2122）、エンディング時間が経過していないと判定した場合（S2122でNO）、処理を終える。一方、エンディング時間が経過したと判定した場合（S2122でYES）、大当り終了フラグをＯＦＦにし（S2123）、後述する遊技状態設定処理（S2124）を行う。次いで、大当りフラグをＯＦＦにし（S2125）、特図動作ステータスを「１」にセットし（S2126）、処理を終える。これにより、次回の割り込み処理において、特図動作処理（S206）として再び特別図柄待機処理（S1102）が実行されることになる。
【０２１０】
以上の特別電動役物処理（S1107）を実行する主制御部８０（遊技制御用マイコン８１）は「特別遊技実行手段」として機能するものである。また、特図動作処理（S206）のうち、特別図柄待機処理（S1102）、特別図柄変動中処理（S1104）及び特別図柄確定処理（S1106）を実行する主制御部８０（遊技制御用マイコン８１）は「変動遊技実行手段」として機能するものである。
【０２１１】
［Ｖラウンド処理］
図３３に示すように、Ｖラウンド処理（S2113）では、まず、Ｖラウンド中のＶアタッカー（第２大入賞口３５）への遊技球の入球数、すなわち、前述の入球数計数手段による計数値が第１所定値（ｃ１）であるか否かを判定する（S2701）。前述したように、Ｖラウンドでは、Ｖラウンド中のＶアタッカーへの遊技球の入球数に基づいて可動片１５０を動作させるものとなっており、その動作契機となる入球数を定める「第１所定値（第１計数値）」および「第２所定値（第２計数値）」が、前述のS2009でセットされている。S2701では、今回のＶラウンドでの入球数計数手段による計数値が、S2009でセットした「１回目の動作タイミングを規定する入球数に該当する第１所定値（ｃ１）」となっているか否かを判定するのである。本実施例では、第１所定値（ｃ１）を大当り種別にかかわらず「１」としているので（図４７を参照）、入球数計数手段による計数値が「１」であれば（S2701でYES）、S2702の処理を行い、「１」でなければ（S2701でNO）、S2702の処理を行うことなくS2703の処理に移行する。
【０２１２】
S2702では、可動片１５０を動作させることで特定領域３９を開閉させる特定領域開閉処理を行う（S2702）。ここでの特定領域開閉処理は、Ｖアタッカーへの入球数が「１」であることに基づく１回目の可動片１５０の動作に該当することから、この場合における可動片１５０の動作は、特定領域３９を８０ｍｓだけ開放させる短開放動作パターン（第１動作態様）で行う（図４８を参照）。
【０２１３】
また、S2702では、可動片１５０を動作させることに伴い、特定領域有効期間が設定される。特定領域有効期間は、特定領域センサ３９ａによる遊技球の検知を有効（特典付与）と判定する期間のことである。そして、当該有効期間以外の期間は、特定領域センサ３９ａによる遊技球の検知を無効（特典非付与）と判定する期間としている。特定領域有効期間以外の期間（特定領域有効期間外）に遊技球が特定領域センサ３９ａにより検知された場合、当該検知は無効と判定されるとともに、特定領域３９への遊技球の通過に関するエラーの一種である「特定領域異常通過」が発生したと判定される（エラー判定手段）。本実施例では、Ｖラウンドでの可動片１５０の動作開始から、当該動作終了後の所定時間（例えば２秒）が経過するまでの間を、特定領域有効期間として設定するものとしている。可動片１５０の動作終了後も有効期間を継続させるのは、可動片１５０の動作終了間際に遊技球が特定領域３９を通過して当該遊技球が特定領域３９ａにより検知された場合、その検知を有効なものとして扱うためである。なお、S2702での可動片１５０の動作は短開放動作パターンによるものであることから、当該動作によって遊技球が特定領域センサ３９ａにより検知される可能性は極めて低いものとなる。
【０２１４】
次いでS2703では、実行中のＶラウンド（大当り遊技）が「Ｖ通過予定大当り」に係るものであるか否かを判定する（S2703）。Ｖ通過予定大当りの場合、Ｖラウンド中に可動片１５０の１回目の動作（短開放動作パターン）が行われた後、その後のＶアタッカーへの遊技球の入球により２回目の動作が実行可能となっている。そこで、S2703では、実行中のＶラウンドが「Ｖ通過予定大当り」に係るものであるか否かを判定し、Ｖ通過予定大当りでないと判定した場合（S2703でNO）、すなわち、実行中のＶラウンドが「Ｖ非通過予定大当り」に係るものである場合、S2704及びS2705の処理を行うことなく本処理を終える。
【０２１５】
これに対し、実行中のＶラウンドが「Ｖ通過予定大当り」に係るものであると判定した場合（S2703でYES）、入球数計数手段による計数値が第２所定値（ｃ２）であるか否かを判定する（S2704）。ここでは、当該Ｖラウンドでの入球数計数手段による計数値（Ｖアタッカーへの入球数）が、S2009でセットした「２回目の動作タイミングを規定する入球数に該当する第２所定値（ｃ２）」となっているか否かを判定する。本実施例では、第２所定値（ｃ２）を「２」としているので（図４７を参照）、入球数計数手段による計数値が「２」であれば（S2704でYES）、S2705の処理を行い、「２」でなければ（S2704でNO）、S2705の処理を行うことなく本処理を終える。
【０２１６】
S2705では、前述のS2702と同様、可動片１５０を動作させることで特定領域３９を開閉させる特定領域開閉処理を行う（S2705）。但し、S2705の特定領域開閉処理は、Ｖアタッカーへの入球数が「２」であることに基づく２回目の可動片１５０の動作に該当することから、この場合における可動片１５０の動作は、特定領域３９を３０００ｍｓ（３秒）開放させる長開放動作パターン（第２動作態様）で行う（図４８を参照）。また、S2705においても、可動片１５０を動作させることに伴い、特定領域有効期間が設定される。これにより、S2705での可動片１５０の動作によって特定領域３９が開放し、特定領域有効期間中に遊技球が特定領域センサ３９ａにより検知されると、その検知は有効と判定されることとなる。一方、特定領域有効期間以外の期間に遊技球が特定領域センサ３９ａにより検知されると、その検知は無効と判定されるとともに特定領域異常通過（特定領域エラー）の発生と判定される（エラー判定手段）。
【０２１７】
ここで、特定領域センサ３９ａによって遊技球が検知され、ＶフラグがＯＮになったタイミング（有効期間内に特定領域センサ３９ａで遊技球を検知したタイミング）で、遊技状態表示器４６を所定の表示態様とし、大当り遊技終了後の遊技状態が高確率状態となることを報知する。具体的には、遊技状態表示器４６は「ａ１ａ２ａ３」の３個のＬＥＤで構成されている。そして、本実施例では、通常状態（低確率状態）においては、「ａ１□ａ２□ａ３□」（例えば、□：消灯、■：点灯）の表示態様とされる。また、大当り遊技中の特定領域センサ３９ａによって遊技球が検知され、ＶフラグがＯＮになったタイミングで「ａ１■ａ２■ａ３■」の表示態様とされる。そして、大当り遊技が終了し、遊技状態が高確率状態に設定されると「ａ１□ａ２□ａ３□」の表示態様とされる。また、遊技状態表示器４６の点灯制御タイミングはこのようなタイミングに限定されず、大当り遊技中は、遊技球が特定領域を通過しても「ａ１□ａ２□ａ３□」の表示態様のままとし、大当り遊技終了後の高確率状態へ移行するタイミングで「ａ１■ａ２■ａ３■」とし、高確率状態から低確率状態に移行するタイミングで「ａ１□ａ２□ａ３□」の表示態様としてもよい。
【０２１８】
すなわち、後述の特定領域センサ検知処理（S207）では、特定領域有効期間中のＶ通過（特定領域３９への遊技球の通過）の検知時のみＶフラグをＯＮし、特定領域有効期間外（Ｖ無効期間中）のＶ通過検知時にはＶフラグをＯＮしないこととしている。なお、ＶフラグがＯＮである場合には、確変フラグがＯＮされる。すなわち、大当り遊技後の遊技状態が高確率状態に設定される（後述の遊技状態設定処理（S2124）を参照）。こうすることで、不正行為によるＶ通過に基づいてＶフラグがＯＮされることのないように、すなわち、不正に高確率状態に設定されることのないようにしている。
【０２１９】
［遊技状態設定処理］
図３４に示すように、遊技状態設定処理（S2124）ではまず、ＶフラグがＯＮであるか否かを判定する（S2201）。Ｖフラグは、後述の特定領域センサ検知処理（S207）においてＯＮにするフラグである。S2201でＶフラグがＯＮであると判定した場合（S2201でYES）、確変フラグをＯＮにすると共に（S2202）、確変カウンタをセットし（S2203）、ＶフラグをＯＦＦにする（S2204）。
【０２２０】
S2203では、高確率状態で実行可能な変動遊技（特別図柄当否判定）の回数に相当する値を確変カウンタにセットする。本実施例では、その確変カウンタに「１０，０００」をセットする（S2203）。この「１０，０００」という値（１０，０００回）は、高確率状態における大当り確率や遊技店の１日の営業時間、当該営業時間内に実行可能な変動遊技の回数等を考慮すると、実質的には次回の大当りが発生するまで又は営業時間が終了するまで、高確率状態を保証しているのと同じことである。従って、遊技状態が高確率状態に設定された場合には、次回の大当りが発生するまで高確率状態が保証されるといってもよい（実質的に同義である）。なお、本実施例のように確変カウンタに「１０，０００」の値を設定して、実質的に次回大当りまで高確率状態を設定するようにしてもよいし、確変フラグをＯＮにする場合には確変カウンタをセットすることなく、次回大当りが発生するまで高確率状態を設定するようにしてもよい。
【０２２１】
S2201でＶフラグがＯＮであると判定し（S2201でYES）、S2202〜S2204の処理を行った場合、又は、S2201でＶフラグがＯＮでない（ＯＦＦである）と判定した場合（S2201でNO）YES）、次いで、時短フラグをＯＮにすると共に（S2206）、時短カウンタをセットし（S2207）、本処理を終える。
【０２２２】
S2207では、時短状態かつ高ベース状態（高頻度状態）で実行可能な変動遊技（特別図柄当否判定）の回数に相当する値を時短カウンタにセットする。時短機能及び高ベース発生機能の作動期間（「時短期間」又は「電サポ期間」ともいう。）は、特別図柄の変動回数（変動遊技の実行回数）により定められる。本実施例では、その回数が大当りの種別に応じて予め定められており、大当りの種別によって異なるものとなっている。具体的には、図６に示すように、７Ｒ第１大当り及び７Ｒ第２大当りの場合は「５０回」、７Ｒ第３大当り及び７Ｒ第４大当りの場合は「７５回」、７Ｒ第５大当り、７Ｒ第６大当り及び１５Ｒ第９大当りの場合は「１００回」、７Ｒ第７大当り及び１５Ｒ第８大当りの場合は「１０，０００回」、となっている。このことに対応して、S2207では、終了した大当り（今回の大当り）の種別に応じて、「５０」、「７５」、「１００」又は「１０，０００」をセットする。
【０２２３】
ここで、確変カウンタに「１０，０００」がセットされた場合、１０，０００回の特別図柄の変動表示（変動遊技）が実行されるまで（実質的には次回大当りまで）、高確率状態は継続されるが、時短カウンタにセットされた値によって、高確高ベース状態の終了時期（終期）は異なるものとなる。
【０２２４】
すなわち、確変カウンタに「１０，０００」、時短カウンタに「５０」がそれぞれセットされた場合、大当り遊技終了後、変動遊技（特別図柄の変動表示）が５０回実行されるまで高確高ベース状態となり、５０回目の変動遊技が終了すると高確高ベース状態が終了して、高確低ベース状態となる。その後（５１回目以降）、大当りが発生するまで高確低ベース状態は継続される。なお、高確高ベース状態において変動遊技の実行回数が５０回になるまでに大当りが発生した場合、当該大当りの発生を契機に高確高ベース状態は終了する。
【０２２５】
また、確変カウンタに「１０，０００」、時短カウンタに「７５」がそれぞれセットされた場合、大当り遊技終了後、変動遊技（特別図柄の変動表示）が７５回実行されるまで高確高ベース状態となり、７５回目の変動遊技が終了すると高確高ベース状態が終了して、高確低ベース状態となる。その後（７６回目以降）、大当りが発生するまで高確低ベース状態は継続される。なお、高確高ベース状態において変動遊技の実行回数が７５回になるまでに大当りが発生した場合、当該大当りの発生を契機に高確高ベース状態は終了する。
【０２２６】
また、確変カウンタに「１０，０００」、時短カウンタに「１００」がそれぞれセットされた場合、大当り遊技終了後、変動遊技（特別図柄の変動表示）が１００回実行されるまで高確高ベース状態となり、１００回目の変動遊技が終了すると高確高ベース状態が終了して、高確低ベース状態となる。その後（１０１回目以降）、大当りが発生するまで高確低ベース状態は継続される。なお、高確高ベース状態において変動遊技の実行回数が１００回になるまでに大当りが発生した場合、当該大当りの発生を契機に高確高ベース状態は終了する。
【０２２７】
一方、確変カウンタがセットされない場合、時短カウンタにセットされた値によって、低確高ベース状態の終了時期（終期）は異なるものとなる。すなわち、確変カウンタがセットされずに時短カウンタに「５０」がセットされた場合、大当り遊技終了後、変動遊技（特別図柄の変動表示）が５０回実行されるまで低確高ベース状態となり、５０回目の変動遊技が終了すると低確高ベース状態が終了して、低確低ベース状態となる。なお、低確高ベース状態において変動遊技の実行回数が５０回になるまでに大当りが発生した場合、当該大当りの発生を契機に低確高ベース状態は終了する。
【０２２８】
また、確変カウンタがセットされずに時短カウンタに「７５」がセットされた場合、大当り遊技終了後、変動遊技（特別図柄の変動表示）が７５回実行されるまで低確高ベース状態となり、７５回目の変動遊技が終了すると低確高ベース状態が終了して、低確低ベース状態となる。なお、低確高ベース状態において変動遊技の実行回数が７５回になるまでに大当りが発生した場合、当該大当りの発生を契機に低確高ベース状態は終了する。
【０２２９】
また、確変カウンタがセットされずに時短カウンタに「１００」がセットされた場合、大当り遊技終了後、変動遊技（特別図柄の変動表示）が１００回実行されるまで低確高ベース状態となり、１００回目の変動遊技が終了すると低確高ベース状態が終了して、低確低ベース状態となる。なお、低確高ベース状態において変動遊技の実行回数が１００回になるまでに大当りが発生した場合、当該大当りの発生を契機に低確高ベース状態は終了する。
【０２３０】
時短カウンタ及び確変カウンタは、第１特別図柄の変動表示回数と第２特別図柄の変動表示回数とを合算した回数を計数するものである。時短カウンタ及び確変カウンタにセットする値は本実施例に限定されるものではなく、遊技性や出球率等を考慮して値を定めることが可能である。
【０２３１】
以上の遊技状態設定処理（S2124）を実行する主制御部８０（遊技制御用マイコン８１）は、「遊技状態制御手段」又は「モード設定手段」として機能するものである。
【０２３２】
［特定領域センサ検知処理］
図１１に示すように遊技制御用マイコン８１は、特図動作処理（S206）に次いで特定領域センサ検知処理（S207）を行う。図３５に示すように、特定領域センサ検知処理（S207）ではまず、特定領域センサ３９ａによる遊技球の検知があったか否かを判定する（S2401）。その結果、特定領域センサ３９ａによる検知がないと判定した場合（S2401でNO）、S2402以降の処理を行うことなく本処理を終える。一方、特定領域センサ３９ａによる検知があったと判定した場合（S2401でYES）、その検知が特定領域有効期間中であるか否かを判定する（S2402）。
【０２３３】
S2402にて特定領域有効期間中であると判定した場合（S2402でYES）、ＶフラグをＯＮにすると共に（S2403）、特定領域通過コマンドをＲＡＭの出力バッファにセットして（S2404）、本処理を終える。つまり、Ｖラウンド（５ラウンド目）にて第２大入賞口３５に入球した遊技球が特定領域有効期間中に特定領域３９を通過すると（特定領域センサ３９ａにより検知されると）、これを契機にＶフラグがＯＮになり（S2403）、特定領域通過コマンドがセットされる（S2404）。
【０２３４】
S2403及びS2404の処理は、Ｖ通過予定大当り又はＶ非通過予定大当りのＶラウンドにて可動片１５０が短開放動作パターンで動作したことを契機に遊技球が特定領域３９を通過した場合と、Ｖ通過予定大当りのＶラウンドにて可動片１５０が長開放動作パターンで動作したことを契機に遊技球が特定領域３９を通過した場合との何れにおいても実行される。したがって、本実施例では、Ｖ通過を前提としないＶ非通過予定大当りでＶ通過するというイレギュラーな事象が発生しても、そのイレギュラーなＶ通過は有効なＶ通過として処理される。
【０２３５】
S2404でセットされた特定領域通過コマンドは、出力処理（S201）により、所定のタイミングで副制御基板９０に送信される。副制御基板９０は、特定領域通過コマンドを受信したことに基づいて、ＶラウンドでＶ通過が発生したこと（Ｖ通過が発生してＶラウンドが終了したこと）を認識する。
【０２３６】
一方、S2402にて特定領域有効期間中でない（無効期間である）と判定した場合（S2402でNO）、ＶフラグをＯＮにすることなく、無効期間通過コマンドをＲＡＭの出力バッファにセットして（S2405）、本処理を終える。つまり、特定領域有効期間以外の期間（無効期間）にて遊技球が特定領域３９を通過した場合（特定領域センサ３９ａにより検知された場合）、当該通過は特定領域異常通過（特定領域エラー）であり、そのことを示す無効期間通過コマンドがセットされる。この無効期間通過コマンドが、出力処理（S201）により、所定のタイミングで副制御基板９０に送信されると、副制御基板９０は、受信した無効期間通過コマンドに基づいて、画像表示装置７（表示画面７ａ）や枠ランプ６６、盤面ランプ５、スピーカ６７等を用いて所定のエラー報知を行う。こうした無効期間通過コマンドのセット（S2405）の契機となり得るS2402の処理を実行する主制御部８０（遊技制御用マイコン８１）は、「エラー判定手段」として機能するものである。
【０２３７】
［非特定領域センサ検知処理］
図１１に示すように遊技制御用マイコン８１は、特定領域センサ検知処理（S207）に次いで、非特定領域センサ検知処理（S208）を行う。図３６に示すように、非特定領域センサ検知処理（S208）ではまず、非特定領域センサ４９ａによる遊技球の検知があったか否かを判定する（S2411）。その結果、非特定領域センサ４９ａによる検知がないと判定した場合（S2401でNO）、S2412以降の処理を行うことなく本処理を終える。これに対し、非特定領域センサ４９ａによる検知があったと判定した場合（S2411でYES）、ＶフラグがＯＦＦであるか否かを判定し（S2412）、ＯＦＦであれば（S2412でYES）、S2413に進み、ＯＦＦでなければ（S2412でNO）、S2413以降の処理を行うことなく本処理を終える。なお、ＶフラグがＯＦＦでない場合（S2412でNO）、すなわちＶフラグがＯＮである場合、ＶラウンドでＶ通過が発生しているため、S2413以降の処理を行わないこととしている。
【０２３８】
S2413では、非特定領域４９を通過した遊技球の数が「９」であるか否かを判定する（S2413）。前述したように、非特定領域センサ４９ａにより遊技球が検知されると、その検知数が図示しない非特定領域通過計数手段によって非特定領域通過数として計数されるので、S2413ではその計数値（カウント値）を参照して、非特定領域通過数が「９」であるか否かを判定する。そして、非特定領域４９を通過した遊技球の数が「９」でない場合には（S2413でNO）、そのまま本処理を終え、非特定領域４９を通過した遊技球の数が「９」である場合には（S2413でYES）、特定領域非通過コマンドをＲＡＭの出力バッファにセットして（S2414）、本処理を終える。つまり、Ｖラウンド（５ラウンド目）で遊技球がＶアタッカー（第２大入賞口３５）に入球するなか、ＶフラグがＯＮになることなく（Ｖ通過せず）９個（規定数）の遊技球が非特定領域４９を通過すると（非特定領域センサ４９ａにより９個の遊技球が検知されると）、これを契機に特定領域非通過コマンドがセットされる（S2414）。
【０２３９】
S2414でセットされた特定領域非通過コマンドは、出力処理（S201）により、所定のタイミングで副制御基板９０に送信される。副制御基板９０は、特定領域非通過コマンドを受信したことに基づいて、ＶラウンドでＶ通過が発生しなかったこと（Ｖ通過が発生せずにＶラウンドが終了したこと）を認識する。
【０２４０】
［始動入球時処理］
図１１に示すように遊技制御用マイコン８１は、非特定領域センサ検知処理（S208）に次いで始動入球時処理（S209）を行う。図３７に示すように、始動入球時処理（S209）ではまず、主制御基板８０のＲＡＭに記憶されている特図１保留球数、特図２保留球数及び普通図柄保留球数を読み出す（S2501）。
【０２４１】
次いでS2502では、特図２保留球数が「１」増加したか否かを判定する（S2502）。その結果、特図２保留球数が「１」増加したと判定した場合（S2502でYES）、S2503の処理に移行する。これは、第２始動口２１に遊技球が入球したことに基づいて、始動口センサ検知処理(S204)におけるS307で特図２保留球数に「１」を加算した場合が該当する。一方、特図２保留球数が増加していないと判定した場合（S2502でNO）、S2503〜S2505の処理を行うことなく、S2506の処理に移行する。
【０２４２】
S2503では、直前の始動口センサ検知処理(S204)における特図２関係乱数取得処理（S308）で取得して第２特図保留記憶部に記憶した最新の取得乱数値（取得情報）を読み出す（S2503）。次いでS2504にて、読み出した第２特別図柄に係る取得乱数値を判定する（S2504）。具体的には、始動口への入球時に取得した特別図柄当否判定用乱数カウンタの値（特別図柄当否判定用乱数値）が、現在の遊技状態（低確率状態又は高確率状態）に応じて、大当りなのか外れなのかを判定する。また、判定結果（事前判定結果）が大当りである場合には、大当りの種別を判定する。このS2504の処理は、特図２保留についての当否判定（大当りか否かの判定）を、特図２当否判定処理（S1202）における当否判定（S1303、S1304）に先立って行う事前判定（所謂「保留先読み」）に相当するものである。
【０２４３】
事前判定では、大当り判定テーブル（図８（Ａ）を参照）、すなわち、高確率状態であれば高確率状態用の大当り判定テーブル、通常状態（低確率状態）であれば通常状態用の大当り判定テーブルに基づいて、大当り判定値と一致するか否かを判定することが可能である。
【０２４４】
なお、他の事前判定態様としては、例えば、変動パターン情報を判定可能な変動パターン情報判定テーブルとして、通常状態用（低確率状態用）の変動パターン情報判定テーブルと、高確率状態用（高確率状態用）の変動パターン情報判定テーブルと、を有するものとし、遊技状態に応じた変動パターン情報判定テーブルと、取得乱数値（特別図柄当否判定用乱数カウンタの値等）とに基づいて変動パターン情報を判定することが可能である。この変動パターン情報から、大当りか否かや、大当り種別、大当り信頼度の高い遊技演出が実行されるか否か等を事前に判定することができる。
【０２４５】
次いでS2505では、S2501で読み出した第２特別図柄に係る保留球数データと、S2504で事前判定した情報（事前判定情報）と、を少なくとも含む遊技情報を、特図２始動入球コマンドとして生成し、ＲＡＭの出力バッファにセットする（S2505）。なお、特図２始動入球コマンドとして、S2503で読み出した特図２取得乱数の値の一部又は全部を、そのまま副制御基板に送信するようにしてもよいし、特図２取得乱数の値はそのまま送信せず、特図２取得乱数の値に基づいて取得した遊技情報（例えば、前述の変動パターン情報等）を送信するようにしてもよい。
【０２４６】
サブ制御部９０（副制御基板）では、主制御部８０により送信された特図２始動入球コマンドを解析することで、大当りに係る情報であるかどうか、第２特別図柄の保留球数はいくつか、大当り種別は何れか等を識別（判別）することができるものとされている。また、本実施例では、これに加えて、特図２始動入球コマンドを解析することで、取得した特図２取得乱数が高確率状態で判定した場合に大当りとなるか否か、及び低確率状態で判定した場合に大当りとなるか否かを特定可能としている。これにより、サブ制御部９０は、受信した特図２始動入球コマンドを保留（演出保留情報）として記憶し、特定のタイミングで当該演出保留情報を事前判定し、低確率状態で当否判定した場合に大当りと判定される演出保留情報が記憶されているか否かを判定することが可能となる。
【０２４７】
なお、不正防止の観点から、S2503で読み出した取得乱数値のうち特別図柄当否判定用乱数値を、そのままサブ制御部に送信することはせず、その他の大当り種別決定用乱数カウンタの値（大当り種別決定用乱数値）と変動パターン乱数カウンタの値（変動パターン乱数値）を示す情報と、事前判定の結果を示す情報とを含むコマンドデータを特図２始動入球コマンドとして生成し、セットすることが可能である。
【０２４８】
次いでS2506では、前述の特図２に係る処理と同様に、特図１保留球数が「１」増加したか否かを判定する（S2506）。その結果、特図１保留球数が「１」増加したと判定した場合（S2506でYES）、S2507の処理に移行する。これは、第１始動口に遊技球が入球したことに基づいて、始動口センサ検知処理(S204)におけるS311で特図１保留球数に「１」を加算した場合が該当する。一方、特図１保留球数が増加していないと判定した場合（S2506でNO）、S2507以降の処理を行うことなく本処理を終える。
【０２４９】
S2507では、時短フラグがＯＮであるか否かを判定し（S2507）、時短フラグがＯＮである、すなわち高ベース状態であると判定した場合（S2507でYES）、S2508以降の処理を行うことなく本処理を終える。一方、時短フラグがＯＦＦである、すなわち低ベース状態であると判定した場合（S2507でNO）、S2508以降の事前判定に係る処理に進む。
【０２５０】
ここで、時短フラグがＯＮである場合、すなわち現在の遊技状態が高ベース状態である場合、第２始動口２１への入球頻度が高まる開放延長機能が作動しており、特図２の当否判定（第２特別図柄当否判定）が行われやすい状態となっている。また本実施例では、特図２保留の消化（第２特別図柄の変動表示）を特図１保留の消化（第１特別図柄の変動表示）に優先して実行するもの（所謂「特図２優先変動機」）としている。このような構成において、例えば、高ベース状態にて特図１の事前判定を行い、その結果を予告等の演出により遊技者に報知し、その事前判定の結果が大当りであることが明示された場合、遊技者は、特図２保留消化の優先を利用して、任意のタイミングで特図２保留を意図的に無くして（「０」にして）、事前判定の結果が示された特図１に係る大当りを意図的に発生させるといった技術介入が可能となる。このような大当りの発生タイミングを遊技者が調整できることは、遊技の公平性の観点から好ましくない。このため、現在の遊技状態が低ベース状態でなく高ベース状態である場合（S2507でYES）、S2508以降の特図１の事前判定に係る処理を行わず、本処理を終えることとしている。
【０２５１】
S2508〜S2510の処理は、前述したS316〜S318と同様の処理を特図１について行うものである。すなわち、始動口センサ検知処理(S204)における特図１関係乱数取得処理（S312）で取得して第１特図保留記憶部に記憶した最新の取得乱数値（取得情報）を読み出し（S2508）、読み出した取得乱数値について事前判定を行い（S2509）、S2501で読み出した第１特別図柄に係る保留球数データと、S2509で事前判定した情報（事前判定情報）と、を少なくとも含む遊技情報を、特図１始動入球コマンドとして生成し、ＲＡＭの出力バッファにセットする（S2510）。なお、S2509の事前判定（保留先読み）は、特図１当否判定処理（S1207）における当否判定（S1603、S1604）に先立って行うものである。
【０２５２】
［電源断監視処理］
図１１に示すように遊技制御用マイコン８１は、始動入球時処理（S209）に次いで電源断監視処理（S210）を行う。図３８に示すように、電源断監視処理（S210）ではまず、電源断信号の入力の有無を判定し（S2601）、入力がなければ（S2601でNO）、本処理を終了する。一方、電源断信号の入力があれば（S2601でYES）、現在の遊技機の状態（高確率状態であるか否か、大当り遊技中であるか否か、保留球数はいくつか、確変・時短の残り変動回数はいくつか等）に関するデータをＲＡＭに記憶（バックアップ）するとともに（S2602）、電源断フラグをＯＮにし（S2603）、割り込み処理（S105）に戻ることなくループ処理を行う。S2602では、現在の遊技機の状態に関するデータの他にも、バックアップの対象として予め定めた任意のデータを記憶（バックアップ）することが可能である。本実施例では、前述したように当り表示器４８の表示態様を定める点灯パターンデータをバックアップ対象としていることから、S2602ではその表示態様に係る点灯パターンデータも記憶される。
【０２５３】
［サブ制御メイン処理］
次に、図３９〜図４５に基づいて演出制御用マイコン９１の動作（サブ制御部９０による制御処理）について説明する。なお、演出制御用マイコン９１の動作説明にて登場するカウンタ、フラグ、ステータス、バッファ等は、副制御基板９０（サブ制御部）のＲＡＭに設けられている。副制御基板９０に備えられた演出制御用マイコン９１は、パチンコ遊技機１の電源がオンされると（電源基板１０９による電力の供給が開始されると）、図３９に示すサブ制御メイン処理のプログラムを副制御基板９０のＲＯＭから読み出して実行する。同図に示すように、サブ制御メイン処理では、まずＣＰＵ初期化処理を行う（S4001）。ＣＰＵ初期化処理（S4001）では、スタックの設定、定数設定、ＣＰＵの設定、ＳＩＯ、ＰＩＯ、ＣＴＣ（割り込み時間用コントローラ）等の設定や各種のフラグ、ステータス及びカウンタのリセット等を行う。
【０２５４】
次いでS4002では、電源断信号がＯＮでかつ副制御基板９０のＲＡＭの内容が正常であるか否かを判定する（S4002）。電源断信号は、本パチンコ遊技機１の電源を投入すると、電源基板１０９から副制御基板９０に出力される。そして、S4002の判定結果がＮＯであれば（S4002でNO）、副制御基板９０のＲＡＭの初期化をし（S4003）、S4004に進む。一方、S4002の判定結果がＹＥＳであれば（S4002でYES）、副制御基板９０のＲＡＭを初期化することなくS4004に進む。すなわち、電源断信号がＯＮでない場合又は電源断信号がＯＮであってもＲＡＭの内容が正常でない場合には（S4002でNO）、副制御基板９０のＲＡＭを初期化するが、電源断信号がＯＮであってＲＡＭの内容が正常に保たれている場合には（S4002でYES）、ＲＡＭを初期化しない。ＲＡＭを初期化すれば、各種のフラグ、ステータス及びカウンタの値はリセットされる。なお、このS4001〜S4003は、電源投入後に（電源投入に際して）一度だけ実行され、それ以降は実行されない。このことから、S4001〜S4003の処理のことを「電源投入時処理」ともいう。
【０２５５】
ここで、演出制御用マイコン９１は、電源投入時処理（S4001〜S4003）を実行する場合、その電源投入時処理が終了するまでの間、電源投入時処理の実行中である旨の報知（電源投入時報知）を実行する（第２報知手段）。具体的に、電源投入時処理の実行中である旨を示すメッセージを画像表示装置７の表示画面７ａに表示するとともに、その旨を示す報知音をスピーカ６７から出力する（第２報知手段）。前述したように、電源投入に際しては、少なくともＣＰＵ初期化処理（S4001）が実行され、S4002の判定が否定判定の場合（S4002でNO）にはＲＡＭの初期化（S4003）も実行されるが、ＣＰＵ初期化処理（S4001）を実行してＲＡＭの初期化（S4003）を実行しない場合には「電源復旧中」のメッセージを表示し、ＣＰＵ初期化処理（S4001）とＲＡＭの初期化（S4003）の両方を実行する場合には「ラムクリア中」のメッセージを表示する。これらメッセージの表示は、副制御基板９０から画像制御基板１００に向けてコマンド（電源投入時コマンド）を送信し、当該コマンドを受信した画像制御基板１００のＣＰＵ（画像制御用マイコン１０１）の処理によって実行される。「電源復旧中」と「ラムクリア中」の何れのメッセージを表示するかは、副制御基板９０から画像制御基板１００へ送信されるコマンドの内容（種類）によって定まる。また、本実施例では電源投入時処理の報知音を１種類としており、音声制御基板１０６を介してスピーカ６７から出力される。
【０２５６】
S4004では、割り込みを禁止する。次いで、乱数シード更新処理を実行する（S4005）。乱数シード更新処理（S4005）では、種々の演出決定用乱数カウンタの値を更新する。更新された乱数カウンタ値は副制御基板９０のＲＡＭの所定の更新値記憶領域（図示せず）に逐次記憶される。なお、演出決定用乱数には、予告演出を決定する予告演出決定用乱数や、演出図柄を決定する演出図柄決定用乱数がある。乱数の更新方法は、前述の主制御基板８０が行う乱数更新処理と同様の方法をとることができる。更新に際して乱数値を１ずつ加算するのではなく、２ずつ加算するなどしてもよい。演出決定用乱数は、予め定められたタイミングで取得される。このタイミングとしては、例えば主制御基板８０から始動入球があった旨を通知する制御信号（始動入球コマンド）が送信されてきたときや、主制御基板８０から変動開始を通知する制御信号（変動開始コマンド）が送信されてきたときや、後述の変動演出パターンを決定するとき等とすることができる。取得した演出決定用乱数の格納場所は、副制御基板９０のＲＡＭの所定の乱数カウンタ値記憶領域（図示せず）である。
【０２５７】
乱数シード更新処理（S4005）が終了すると、コマンド送信処理を実行する（S4006）。コマンド送信処理では、副制御基板９０のＲＡＭの出力バッファ（「サブ出力バッファ」ともいう。）に格納されている各種のコマンド（制御信号）を、画像制御基板１００、音声制御基板１０６、及びランプ制御基板１０７に送信する。コマンドを受信した各制御基板（各制御部）は、受信したコマンドに従って各種の演出装置（画像表示装置７、スピーカ６７、盤面ランプ５、枠ランプ６６及び可動装飾部材１４等）を用いて各種の演出（演出図柄遊技演出、大当り遊技に係る特別遊技演出等）を実行する。
【０２５８】
次いでS4007で割り込みを許可し、以降、S4004〜S4007をループさせる。割り込み許可中においては、受信割り込み処理（S4008）、２ｍｓタイマ割り込み処理（S4009）及び１０ｍｓタイマ割り込み処理（S4010）の実行が可能となる。これらの制御処理を実行することで、画像表示装置７の表示画面７ａ（演出図柄表示領域７ｂ）上で実行される演出図柄等の表示制御や各種ランプの点灯制御、可動装飾部材の動作制御、スピーカからの音声出力制御等を行うことが可能となる。
【０２５９】
［受信割り込み処理］
図４０に示すように、受信割り込み処理（S4008）ではまず、ストローブ信号（ＳＴＢ信号）がＯＮであるか否か、すなわち主制御基板８０から送られたストローブ信号が演出制御用マイコン９１の外部ＩＮＴ入力部に入力されたか否かを判定する（S4101）。その結果、ストローブ信号がＯＮでないと判定した場合（S4101でNO）、S4102の処理を行うことなく本処理を終える。一方、ストローブ信号がＯＮであると判定した場合（S4101でYES）、主制御基板８０から送信されてきた各種のコマンドを副制御基板９０のＲＡＭに格納して（S4102）、本処理を終える。この受信割り込み処理（S4008）は、他の割り込み処理（S4009、S4010）に優先して実行される処理である。
【０２６０】
［２ｍｓタイマ割り込み処理］
２ｍｓタイマ割り込み処理（S4009）は、副制御基板９０に２ｍｓｅｃ周期の割り込みパルスが入力する度に実行する処理である。図４１に示すように、２ｍｓタイマ割り込み処理（S4009）ではまず、演出ボタン検知スイッチ６３ｃ、６３ｄからの検知信号に基づいてスイッチデータ（エッジデータ及びレベルデータ）を作成する入力処理を行う（S4201）。このスイッチデータは、第１演出ボタン６３ａ及び第２演出ボタン６３ｂの夫々についての操作有無（ＯＮ、ＯＦＦ）を示すもので、演出ボタン６３の操作に基づく操作対応演出の実行に供されるものである。次いで、枠ランプ６６や盤面ランプ５等のランプ類を発光させるためのランプデータを出力するランプデータ出力処理（S4202）と、可動演出部材１４（電気的駆動源）を駆動するための駆動データを出力する駆動データ出力処理（S4203）とを行う。ランプデータおよび駆動データは、後述の１０ｍｓタイマ割り込み処理で作成される。そして、ウォッチドッグタイマのリセット処理を行うウォッチドッグタイマ処理を行う（S4204）。
【０２６１】
［１０ｍｓタイマ割り込み処理］
１０ｍｓタイマ割り込み処理（S4010）は、副制御基板９０に１０ｍｓｅｃ周期の割り込みパルスが入力する度に実行する処理である。図４２に示すように、１０ｍｓタイマ割り込み処理（S4010）ではまず、後述する受信コマンド解析処理（S4302）を行う。次いで、２ｍｓタイマ割り込み処理で作成したスイッチデータを１０ｍｓタイマ割り込み処理用のスイッチデータとして副制御基板９０のＲＡＭに格納するスイッチ状態取得処理を行い（S4303）、当該スイッチ状態取得処理にて格納したスイッチデータに基づいて表示画面７ａの表示内容等を設定するスイッチ処理を行う（S4304）。その後、ランプデータ（盤面ランプ５や枠ランプ６６の点灯を制御するデータ）を作成したり、演出決定用乱数を更新したりする等のその他の処理を実行する（S4305）。
【０２６２】
［受信コマンド解析処理］
図４３に示すように、受信コマンド解析処理（S4302）ではまず、主制御基板８０から始動入球コマンドを受信したか否かを判定し（S4395）、始動入球コマンドを受信していないと判定した場合（S4395でNO）、S4401の処理に移行し、始動入球コマンドを受信したと判定した場合（S4395でYES）、演出保留情報記憶処理（S4400）を行って、S4401の処理に移行する。
【０２６３】
演出保留情報記憶処理（S4400）は、S4395で受信した始動入球コマンド（特図１始動入球コマンド又は特図２始動入球コマンド）に含まれる各種情報（事前判定結果、大当り種別決定用乱数値、変動パターン乱数値等の遊技情報）を、特別図柄の種類（第１特別図柄、第２特別図柄）及び始動入球コマンドの送受信時（コマンド生成時）の特図保留球数に応じて、副制御基板９０のＲＡＭの所定の演出保留情報記憶領域にシフトメモリ形式で記憶する。例えば、受信した始動入球コマンドが特図１の保留球数「４」に対応する特図１始動入球コマンドである場合、その特図１始動入球コマンドに含まれる事前判定結果や当り種別等の情報を、特図１演出保留情報記憶領域のうち保留数４に対応する領域に、特図１演出保留情報として記憶する。こうして記憶される演出保留情報は、後述する変動演出や予告演出、演出モード等の各種演出の実行に用いられる。副制御基板９０における演出保留情報記憶領域の記憶内容（演出保留情報）は、前述の主制御基板（主制御部）８０における特図保留記憶部（第１特図保留記憶部、第２特図保留記憶部）の記憶内容（取得情報）と一致するものである。このことから、副制御基板９０の演出保留情報記憶領域も「取得情報記憶手段」といえる。
【０２６４】
S4401では、主制御基板８０から変動開始コマンドを受信したか否かを判定する（S4401）。その結果、変動開始コマンドを受信したと判定した場合（S4401でYES）、後述する変動演出開始処理（S4402）を行って、S4406の処理に移行し、変動開始コマンドを受信していないと判定した場合（S4401でNO）、変動演出開始処理（S4402）を行うことなく、S4406の処理に移行する。
【０２６５】
S4406では、主制御基板８０から変動停止コマンドを受信したか否かを判定する（S4406）。その結果、変動停止コマンドを受信したと判定した場合（S4406でYES）、後述する変動演出終了処理（S4407）を行って、S4408の処理に移行し、変動停止コマンドを受信していないと判定した場合（S4406でNO）、変動演出終了処理（S4407）を行うことなく、S4408の処理に移行する。
【０２６６】
S4408では、主制御基板８０からオープニングコマンドを受信したか否かを判定する（S4408）。その結果、オープニングコマンドを受信したと判定した場合（S4408でYES）、特別遊技（大当り遊技）の際に実行する特別遊技演出の演出パターン（演出態様）を選択する特別遊技演出選択処理（S4409）を行い、S4410の処理に移行する。一方、オープニングコマンドを受信していないと判定した場合（S4408でNO）、特別遊技演出選択処理（S4409）を行うことなく、S4410の処理に移行する。
【０２６７】
ここで、特別遊技演出には、少なくとも、特別遊技開始に伴う大入賞口開放前（１ラウンド目開始前）のオープニング期間中に実行するオープニング演出と、特別遊技中（大当り遊技中）のラウンド遊技（大入賞口入球遊技）の進行に合わせて実行するラウンド演出（大当り遊技演出）と、が含まれる。
【０２６８】
本実施例では、大当りの種別に応じたオープニングコマンドが主制御基板８０から送信されるものとなっており、そのオープニングコマンドによって、今回開始される大当りの種別に応じたオープニング期間の長さ（オープニング時間）やオープニング演出、ラウンド演出等が特定される。そして、特別遊技演出選択処理（S4409）では、選択した特別遊技演出（オープニング演出、ラウンド演出等）の演出パターンや、受信したオープニングコマンドに基づく情報（オープニングコマンドの種類、オープニング時間、開始タイミングにある大当り遊技に係る大当り種別等）を特定可能な特別遊技開始時コマンドをサブ出力バッファにセットする。このセットした特別遊技開始時コマンドがコマンド送信処理（S4006）により画像制御基板１００に送信されると、画像制御用マイコン１０１は、大当り遊技の進行状況に合わせて、対応する特別遊技演出を画像表示装置７の表示画面７ａ上で実行する。
【０２６９】
具体的には、例えば、今回開始される大当りの種別が７Ｒ大当り（７Ｒ第１〜第７大当りの何れか）の場合、その大当りが「Ｖ通過予定大当り」であるか「Ｖ非通過予定大当り」であるかを問わず、７Ｒ大当り遊技の開始に対応する同じ態様（共通）のオープニング演出を画像表示装置７の表示画面７ａ上で行う。この場合のオープニング演出は、今回開始される大当りが「Ｖ通過予定大当り」なのか「Ｖ非通過予定大当り」なのかを示さない態様の演出とされ、例えば、画像表示装置７の表示画面７ａ上に「大当り」や「バトル突入ボーナス」等の文字画像を表示することにより行われる。そして、オープニング演出に続いて、７Ｒ大当りに対応するラウンド演出が、ラウンドの進行に合わせて（後述するS4418でのラウンド開始コマンド受信に基づいて）画像表示装置７の表示画面７ａ上で展開される。なお、７Ｒ大当り遊技が終了した後の高ベース状態（高確高ベース状態又は低確高ベース状態）では、味方キャラクタ（単に「味方キャラ」ともいう。）と敵キャラクタ（単に「敵キャラ」ともいう。）との対決を描いた「バトルモード」が展開される。バトルモードについては後述する。
【０２７０】
また、今回開始される大当りの種別が１５Ｒ第８大当りの場合には、「Ｖ通過予定大当り」に係る大当り遊技、すなわち、高確率状態を発生させることが前提の１５Ｒ大当り遊技の開始に対応するオープニング演出を画像表示装置７の表示画面７ａ上で行う。この場合のオープニング演出は、多量の賞球獲得とともに高確高ベース状態への移行を前提とする大当り遊技の開始を印象付ける演出とされ、例えば、画像表示装置７の表示画面７ａ上に「超大当り」や「Ｖ大当り」、「ビッグボーナス」等の文字画像を表示することにより行われる。そして、オープニング演出に続いて、１５ＲＶ通過予定大当りに対応するラウンド演出が、ラウンドの進行に合わせて（後述するS4418でのラウンド開始コマンド受信に基づいて）画像表示装置７の表示画面７ａ上で展開される。
【０２７１】
また、今回開始される大当りの種別が１５Ｒ第９大当りの場合には、「Ｖ非通過予定大当り」に係る大当り遊技、すなわち、高確率状態を発生させないことが前提の１５Ｒ大当り遊技の開始に対応するオープニング演出を画像表示装置７の表示画面７ａ上で行う。この場合のオープニング演出は、多量の賞球獲得とともに時短状態（低確高ベース状態）への移行を前提とする大当り遊技の開始を印象付ける演出とされ、例えば、画像表示装置７の表示画面７ａ上に「大当り」や「ノーマルボーナス」等の文字画像を表示したりする。そして、オープニング演出に続いて、１５ＲＶ非通過予定大当りに対応するラウンド演出が、ラウンドの進行に合わせて（後述するS4418でのラウンド開始コマンド受信に基づいて）画像表示装置７の表示画面７ａ上で展開される。
【０２７２】
次いでS4410では、主制御基板８０からエンディングコマンドを受信したか否かを判定する（S4410）。その結果、エンディングコマンドを受信したと判定した場合（S4410でYES）、特別遊技終了時演出（エンディング演出）のパターンや特別遊技終了後の演出モード等を選択するエンディング演出選択処理（S4411）を行い、図４４に示すS4412の処理に移行する。一方、エンディングコマンドを受信していないと判定した場合（S4410でNO）、エンディング演出選択処理（S4411）を行うことなく、S4412の処理に移行する。
【０２７３】
本実施例では、今回の大当りに係る大当り種別及びＶ通過有無に応じたエンディングコマンドが主制御基板８０から送信されるものとなっており、そのエンディングコマンドによってエンディング期間の長さ（エンディング時間）が特定される。そして、エンディング演出選択処理（S4411）では、選択したエンディング演出の演出パターンや、受信したエンディングコマンドに基づく情報（エンディングコマンドの種類、エンディング時間、終了した大当り遊技に係る大当りの種別、大当り遊技後の演出モード等）を特定可能な特別遊技終了時コマンドをサブ出力バッファにセットする。このセットした特別遊技終了時コマンドがコマンド送信処理（S4006）により画像制御基板１００に送信されると、画像制御用マイコン１０１が、大当り遊技の終了に係るエンディング演出を画像表示装置７の表示画面７ａ上で実行する。
【０２７４】
具体的には、例えば、終了した大当り遊技の大当り種別が７Ｒ大当り（７Ｒ第１〜第７大当りの何れか）の場合、その大当りが「Ｖ通過予定大当り」であるか「Ｖ非通過予定大当り」であるか、及び、Ｖ通過したか否かを問わず、７Ｒ大当り遊技の終了に対応する同じ態様（共通）のエンディング演出を画像表示装置７の表示画面７ａ上で行う。この場合のエンディング演出は、バトルモードの開始を印象付ける演出とされ、例えば、画像表示装置７の表示画面７ａ上に「バトルモード突入」等の文字画像を表示することにより行われる。
【０２７５】
また、終了した大当り遊技の大当り種別が１５Ｒ第８大当り（Ｖ通過予定大当り）であって当該大当り遊技中にＶ通過した場合、１５Ｒ大当り遊技の終了に対応するエンディング演出として、確変遊技状態（高確高ベース状態）への移行を示すエンディング演出を画像表示装置７の表示画面７ａ上で行う。この場合のエンディング演出は、確変遊技状態（高確高ベース状態）の開始を印象付ける演出とされ、例えば、画像表示装置７の表示画面７ａ上に「確率変動スタート」や「天国モード突入」等の文字画像を表示することにより行われる。
【０２７６】
また、終了した大当り遊技の大当り種別が１５Ｒ第９大当り（Ｖ非通過予定大当り）であって当該大当り遊技中にＶ通過しなかった場合、１５Ｒ大当り遊技の終了に対応するエンディング演出として、時短遊技状態（低確高ベース状態）への移行を示すエンディング演出を画像表示装置７の表示画面７ａ上で行う。この場合のエンディング演出は、時短遊技状態（低確高ベース状態）の開始を印象付ける演出とされ、例えば、画像表示装置７の表示画面７ａ上に「時短スタート」や「チャンスモード突入」等の文字画像を表示することにより行われる。
【０２７７】
次いでS4412では、主制御基板８０から特定領域通過コマンドを受信したか否かを判定する（S4412）。その結果、特定領域通過コマンドを受信していないと判定した場合（S4412でNO）、S4413及びS4414の処理を行うことなくS4418の処理に移行し、特定領域通過コマンドを受信したと判定した場合（S4412でYES）、その特定領域通過コマンドが１５Ｒ大当りでのＶ通過に基づくものであるか否かを判定する（S4413）。
【０２７８】
受信した特定領域通過コマンドが１５Ｒ大当りでのＶ通過に基づくものである場合（S4413でYES）、Ｖ通過指定コマンドをサブ出力バッファにセットする（S4414）。一方、受信した特定領域通過コマンドが１５Ｒ大当りでのＶ通過に基づくものでない場合（S4413でNO）、すなわち７Ｒ大当りでのＶ通過に基づくものである場合、S4414の処理を行うことなくS4418の処理に移行する。
【０２７９】
S4414でセットしたＶ通過指定コマンドがコマンド送信処理（S4006）により画像制御基板１００に送信されると、画像制御用マイコン１０１は、Ｖ通過があったことを報知するための画像データを画像制御基板１００のＲＯＭから読み出して、該読み出した画像データによるＶ通過報知演出を画像表示装置７の表示画面７ａ上で実行する。Ｖ通過報知演出としては、例えば「Ｖ」の文字画像を表示画面７ａに表示したり、Ｖ通過を表す効果音を出力したりすることが挙げられる。Ｖ通過報知演出は、１５Ｒ大当りでＶ通過した場合に実行されるものであり、７Ｒ大当りでＶ通過した場合には実行されない。７Ｒ大当りでは、その大当りが「Ｖ通過予定大当り」なのか「Ｖ非通過予定大当り」なのかを遊技者に報知しない（秘匿する）からである。なお、可能性は限りなく低いが、Ｖ非通過予定大当りである１５Ｒ第９大当りでＶ通過した場合にも、Ｖ通過指定コマンドがセットされ（S4414）、Ｖ通過報知演出が実行される。
【０２８０】
次いでS4418では、主制御基板８０からラウンド開始コマンドを受信したか否かを判定する（S4418）。その結果、ラウンド開始コマンドを受信していないと判定した場合（S4418でNO）、S4419の処理を行うことなくS4420の処理に移行する。一方、ラウンド開始コマンドを受信したと判定した場合（S4418でYES）、受信したラウンド開始コマンドに対応するラウンド指定コマンドをサブ出力バッファにセットして（S4419）、S4420の処理に移行する。
【０２８１】
主制御基板８０から送信されるラウンド開始コマンドには、開始するラウンド（開始ラウンド）が何ラウンド目なのかを特定することが可能な情報が含まれており、副制御基板９０のＣＰＵ（演出制御用マイコン９１）は、受信したラウンド開始コマンドに基づいて開始ラウンドのラウンド数を特定し、当該ラウンド数を示すラウンド指定コマンドをサブ出力バッファにセットする。ラウンド指定コマンドがコマンド送信処理（S4006）により画像制御基板１００に送信されると、画像制御用マイコン１０１は、ラウンド指定コマンドに基づき特定されるラウンド数に応じて、実行中の大当り遊技に即したラウンド演出を画像表示装置７の表示画面７ａ上で実行する。
【０２８２】
最後にS4420で、その他の演出制御に係る処理を行い（S4420）、本処理を終える。S4420で行うその他の処理としては、前述のコマンド以外の受信コマンド（例えば、普通図柄変動開始コマンド、普通図柄変動停止コマンド、無効期間通過コマンド、特定領域非通過コマンド等）に基づく処理を行う。
【０２８３】
［変動演出開始処理］
次に、受信コマンド解析処理（S4302）において、主制御基板８０から変動開始コマンドを受信したことに基づいて実行される変動演出開始処理（S4402）について説明する。図４５に示すように、変動演出開始処理（S4402）ではまず、変動演出決定用乱数や予告演出決定用乱数、演出図柄決定用乱数、特定演出決定用乱数等の各種演出決定用乱数を取得する演出決定用乱数処理を行う（S4501）。本実施例では、主制御部８０から変動開始コマンドを受信したタイミングでS4501の処理を行い、夫々の乱数から所定の値（取得情報）を取得する。この取得した値に基づいて、実行する変動演出や予告演出、停止表示する演出図柄等を決定する。なお、変動演出とは、特別図柄が変動表示を開始してから終了（停止表示）するまでの当該変動表示（変動遊技）に伴って実行される演出を意味し、演出図柄遊技演出（演出図柄８の変動表示及び停止表示）を含む。
【０２８４】
次いでS4502では、前述のS4401で受信した変動開始コマンドを解析する（S4502）。変動開始コマンドには、第１特別図柄又は第２特別図柄の変動パターン選択処理で選択された変動パターンを指定する変動パターン指定コマンド（変動パターンを指定する情報）が含まれている。変動パターン指定コマンドには、例えば、図９に示す変動パターン情報（Ｐ１〜Ｐ２２）、現在の遊技状態を指定する遊技状態情報、第１特別図柄当否判定または第２特別図柄当否判定の判定結果を指定する判定結果情報、大当り種別（大当り図柄）を指定する図柄情報等が含まれる（図８を参照）。また変動パターン指定コマンドには、第１特別図柄に対応するものと第２特別図柄に対応するものとが存在し、変動パターン指定コマンドを解析することで、今回開始する演出図柄遊技演出（変動演出）が特図１に係るものなのか特図２に係るものなのかを判別することが可能となる。なお、変動パターン指定コマンドに含まれる変動パターン情報や遊技状態情報、図柄情報等は、これ以降に実行する変動演出開始処理以外の他の処理においても利用可能である。
【０２８５】
次いでS4503では、現在のモードステータスを参照する（S4503）。モードステータスは、実行する演出モードを決めるためのものである。モードステータスは「１」〜「５」までの何れかの値とされ、各値は演出モードＡ〜Ｅに対して割り当てられている。具体的には、モードステータス「１」が演出モードＡに対応し、モードステータス「２」が演出モードＢに対応し、モードステータス「３」が演出モードＣに対応し、モードステータス「４」が演出モードＤに対応し、モードステータス「５」が演出モードＥに対応する。現在のモードステータスを参照することで、現在の演出モードを特定することが可能である。
【０２８６】
ここで、演出モードとは、変動遊技が実行されるときの演出環境（演出形式）のことであり、演出モードが異なると、表示画面７ａの背景や変動演出、リーチ演出、予告演出等の各種演出の演出態様の一部又は全部が異なるものとされる。具体的に、登場するキャラクタ、アイテム、背景画像が異なる等、画像表示装置７に表示される画像が異なり、演出図柄遊技演出も演出モードに応じた態様で実行されるものとすることができる。また、複数の遊技演出（リーチ演出、予告演出等）を設ける場合に、演出モードによって異なる遊技演出を実行可能としてもよい。
【０２８７】
演出モードＡ（モードステータス「１」）は、遊技状態が低確低ベース状態に制御されているときに設定される演出モードである。本実施例では、演出モードＡを通常モードとしている。演出モードＡが設定されているとき、遊技者はその演出モードを通じて、現在の遊技状態が低確低ベース状態であることを認識することができる。
【０２８８】
演出モードＢ（モードステータス「２」）は、７Ｒ大当り遊技の終了後に設定される演出モードである。本実施例では、演出モードＢをバトルモードとしている。演出モードＢ（バトルモード）が設定されているときの遊技状態は低確高ベース状態又は高確高ベース状態であるが、このとき遊技者は、その演出モードを通じて、現在の遊技状態が低確高ベース状態であるか高確高ベース状態であるかを認識することはできない。演出モードＢ（バトルモード）は、低確高ベース状態と高確高ベース状態とで共通（同様）の演出モードであるといえる。
【０２８９】
演出モードＣ（モードステータス「３」）は、演出モードＢ（バトルモード）で大当りが発生することなく所定回数（例えば、５０回、７５回又は１００回）の変動遊技が実行されて遊技状態が高確低ベース状態に移行した場合に設定される演出モードである。本実施例では、演出モードＣをリベンジモードとしている。演出モードＣ（リベンジモード）が設定されているとき、遊技者はその演出モードを通じて、現在の遊技状態が高確低ベース状態であることを認識することができる。なお、演出モードＢ（バトルモード）で大当りが発生することなく所定回数の変動遊技が実行されて遊技状態が低確低ベース状態に移行した場合、演出モードはＢ（モードステータス「２」）からＡ（モードステータス「１」）に移行する。
【０２９０】
演出モードＤ（モードステータス「４」）は、演出モードＢ（バトルモード）で大当りが発生することなく所定回数（例えば１００回）の変動遊技が実行されてもなお遊技状態が高確高ベース状態となる場合に設定される演出モードである。また、１５Ｒ第８大当り（１５ＲＶ通過予定大当り）に係る大当り遊技後に遊技状態が高確高ベース状態に制御された場合に設定される演出モードでもある。本実施例では、演出モードＤを天国モードとしている。演出モードＤが設定されているとき、遊技者はその演出モードを通じて、現在の遊技状態が高確高ベース状態（確変遊技状態）であることを認識することができる。
【０２９１】
演出モードＥ（モードステータス「５」）は、１５Ｒ第９大当り（１５ＲＶ非通過予定大当り）に係る大当り遊技後に遊技状態が低確高ベース状態に制御された場合に設定される演出モードである。本実施例では、演出モードＥをチャンスモードとしている。演出モードＥが設定されているとき、遊技者はその演出モードを通じて、現在の遊技状態が低確高ベース状態（時短遊技状態）であることを認識することができる。
【０２９２】
なお、可能性は限りなく低いが、１５Ｒ第８大当りに係る大当り遊技でＶ通過が発生せず当該大当り遊技後の遊技状態が低確高ベース状態に制御された場合には、演出モードＥが設定される。また、可能性は限りなく低いが、１５Ｒ第９大当りに係る大当り遊技でＶ通過が発生して当該大当り遊技後の遊技状態が高確高ベース状態に制御された場合には、演出モードＤが設定される。
【０２９３】
次いでS4504では、画像表示装置７、盤面ランプ５、可動装飾部材１４等を用いて行う変動演出の演出パターン（「変動演出パターン」ともいう。）を決めるための図示しない変動演出パターン決定テーブルをセットする（S4504）。具体的には、S4503で参照したモードステータス（現在の演出モード）と主制御部８０から受信した変動パターン指定コマンドとに基づいて、使用する変動演出パターン決定テーブルをセットする。例えば、受信した変動パターン指定コマンドの指定する変動パターン情報が「Ｐ１（変動パターンＰ１）」（図９を参照）である場合、変動演出パターン決定テーブルとして、現在の演出モードに対応した大当り時変動演出パターン決定テーブルがセットされる。本実施例では、演出モード（モードステータス）に対応した複数の変動演出パターン決定テーブルが副制御基板９０のＲＯＭに予め格納されているので、S4504では、それらの変動演出パターン決定テーブルの中から、S4503で参照したモードステータス（現在の演出モード）に対応するテーブルが選択されてセットされる。変動演出パターン決定テーブルは、主に、演出図柄遊技演出の実行態様（演出図柄の変動態様等）を決定するためのもので、複数の変動演出パターン決定テーブルが副制御基板９０のＲＯＭに予め格納されている。S4504では、それら複数の変動演出パターン決定テーブルのうちの何れかをセットする。
【０２９４】
次いでS4505では、S4501で取得した変動演出決定用乱数及びS4504でセットした変動演出パターン決定テーブルに基づいて、指定された変動パターンに適合した変動演出パターンを選択し、これを設定する（S4505）。変動演出パターンとしては、主に、演出図柄表示領域７ｂで表示される演出図柄８の変動態様（演出図柄遊技演出の実行態様）が設定される。これにより、演出図柄遊技演出（変動演出）において、リーチ演出を実行する場合（リーチあり変動演出）、特定のキャラクタを用いて行うキャラクタ演出を実行する場合（キャラクタ変動演出）、リーチ演出やキャラクタ演出を実行しない場合（ノーマル変動演出）等が決定される。また、変動演出パターンには、演出図柄８の変動態様の他、演出図柄８の変動表示に付随して実行される表示演出や音演出、光演出、可動演出等の実行態様も含まれ、これら演出の実行有無についても決定される。
【０２９５】
なお、リーチ演出とは、例えば、特別図柄当否判定の結果が大当りであることを示す場合の演出図柄８の表示態様として、３個の演出図柄８Ｌ，８Ｃ，８Ｒがすべて同一（ゾロ目）となる態様（大当り態様、特定態様）を設けている場合において、３個の演出図柄８Ｌ，８Ｃ，８Ｒのうちの２個（例えば第１停止図柄及び第２停止図柄）が大当り態様を構成する図柄（「リーチ図柄」又は「リーチ態様」ともいう。）で停止表示（仮停止）され、残り１個（例えば第３停止図柄）が変動表示を続けている状態（「リーチ状態」ともいう。）で、その残り１個の演出図柄が大当り態様を完成させる図柄で停止表示されるか否かを示す演出のことをいう。このリーチ演出によれば、大当りを狙う遊技者の期待感を効果的に煽ることが可能となる。
【０２９６】
またS4505では、S4501で取得した演出図柄決定用乱数および図示しない停止図柄決定テーブルに基づいて、停止表示する演出図柄８（「停止演出図柄」ともいう）を決定し、これを設定する。停止表示の種類には、仮停止表示（仮停止）と確定停止表示（確定停止）とがある。仮停止とは、演出図柄のスクロール表示（変動表示）が一旦停止（一時停止）され、演出図柄が表示画面上の所定の停止位置（例えば演出図柄表示領域７ｂ）にて、その数字やキャラクタ等を認識できる程度に僅かに動いた状態で表示されることを意味する。僅かに動いた状態のことを「揺れ変動」ともいう。一方、確定停止とは、演出図柄のスクロール表示（変動表示）が終了して、演出図柄が表示画面上の所定の停止位置（例えば演出図柄表示領域７ｂ）にて、その数字やキャラクタ等を認識できる状態で完全に停止して表示されることを意味する。演出図柄が変動表示を経て確定停止されると、その変動表示の表示結果（変動演出の結果）が確定的に表示（確定表示）されること（導出表示されること）となる。したがって、演出図柄の仮停止は、確定停止に至るまで１回または複数回行うことが可能である。
【０２９７】
S4505で決定（選択）する停止演出図柄は、仮停止する図柄（「仮停止図柄」ともいう。）と、確定停止する図柄（「確定停止図柄」ともいう。）である。具体的には、変動演出の結果として停止表示（確定停止）される演出図柄８、すなわち確定停止図柄は、特別図柄当否判定の結果が外れであって、リーチあり外れの場合は「７８７」等の３個の演出図柄８Ｌ，８Ｃ，８Ｒのうち１個の演出図柄が他の演出図柄と異なるバラケ目（リーチ外れ目）とされ、リーチなし外れのときは「６３５」等の３個の演出図柄８Ｌ，８Ｃ，８Ｒのうち少なくとも１個の演出図柄が他の演出図柄が異なるバラケ目（完全バラケ目）とされる。一方、特別図柄当否判定の結果が大当りであって、７Ｒ第１〜第７大当り及び１５Ｒ第９大当りの何れかの場合は、「７７７」以外のゾロ目とされ、１５Ｒ第８大当りの場合は「７７７」のゾロ目とされる。これにより、７Ｒ大当りについては、演出図柄８の停止表示態様を通じて、その大当りがＶ通過予定大当りなのかＶ非通過予定大当りなのかを判別することは不可能となる。また、１５Ｒ第８大当り及び１５Ｒ第９大当りについては、演出図柄８の停止表示態様を通じて、その大当りがＶ通過予定大当りなのかＶ非通過予定大当りなのかを判別することが可能となる。
【０２９８】
また、確定停止に至る前の変動表示の途中で一旦仮停止される演出図柄８、すなわち仮停止図柄は、基本的には前述のゾロ目（大当り態様）以外の出目（リーチ外れ目、完全外れ目等）とされる。但し、例えば、演出図柄８をゾロ目で停止した後に再度変動表示させる所謂「再抽選」を実行する変動演出パターンの場合には、仮停止図柄がゾロ目（大当り態様）とされる。この場合、仮停止図柄は、相対的に有利度合の低い大当り（例えば、１５ＲＶ通過予定大当りよりも有利度合の低い１５ＲＶ非通過予定大当り）に対応する出目とされる。また、再抽選後の確定停止図柄は、再度、相対的に有利度合の低い大当りに対応する出目としたり、相対的に有利度合の高い大当りに対応する出目としたりすることができる。さらに演出図柄８は、変動表示が終了して確定停止する直前（間際）にも仮停止されることから、確定停止直前に仮停止する演出図柄８も仮停止図柄であるが、この場合の仮停止図柄は確定停止図柄と同じとなる。なお、前述した演出図柄８の停止表示態様はあくまでも一例であり、停止演出図柄として何を停止表示するかは適宜設定可能である。
【０２９９】
本実施例のパチンコ遊技機１には、演出図柄８の変動態様（変動演出パターン）として、リーチＡ、リーチＢ、リーチＣ、スーパーリーチ（「ＳＰリーチ」ともいう。）Ａ、スーパーリーチＢ、スーパーリーチＣ、キャラクタ演出等が設定されている。S4505では、変動演出パターン決定テーブルに基づいて、これらのうち何れの演出を行うか、又はこれらの演出を行わない（これを「ノーマル変動」ともいう。）かが決定される。
【０３００】
そして、例えば、リーチあり変動演出が実行される場合には、変動パターン指定コマンド及び変動演出パターン決定テーブルに基づいて、何れかのリーチ演出が設定される。ここで、スーパーリーチ演出（ＳＰリーチＡ〜Ｃの何れか）が実行される場合には、ノーマルリーチ演出（リーチＡ〜Ｃの何れか）が実行される場合と比較して、大当りとなる可能性が高くなるように設定されている。すなわち、スーパーリーチ演出はノーマルリーチ演出と比較して大当りとなる可能性（大当り期待度）の高い遊技演出であるといえる。
【０３０１】
本実施例では、主制御基板８０からの変動パターン指定コマンドとして、変動時間が３００００ｍｓ以上の変動パターン（図９を参照）を指定する変動パターン指定コマンドを副制御基板９０が受信した場合に、当該コマンドに基づいてリーチ演出（リーチあり変動演出）が設定（実行）され得る。そのうち、変動時間が３００００ｍｓの場合には、リーチ演出としてノーマルリーチ演出が設定（実行）され（ノーマルリーチ変動演出）、変動時間が４５０００ｍｓ以上の場合には、リーチ演出としてＳＰリーチ演出が設定（実行）される（ＳＰリーチ変動演出）。なお、本実施例では、リーチ演出の種類としてリーチＡ〜Ｃの３種類のノーマルリーチと、ＳＰリーチＡ〜Ｃの３種類のスーパーリーチを備えるものとしているが、リーチ演出の種類（数）はこれに限定されるものではなく、さらに多くのリーチ演出を備えることとしてもよい。
【０３０２】
ここで、演出図柄８の変動表示は、基本的に次のようにして行われる。すなわち、３つの演出図柄８Ｌ，８Ｃ，８Ｒが変動表示を開始した後、全図柄の変動速度が高速で略一定となり、その後、所定時間（例えば９秒）が経過したタイミングで、第１停止図柄（本例では左演出図柄８Ｌ）の変動速度が低下して第１停止図柄が停止（仮停止）する。これに次いで第２停止図柄（本例では右演出図柄８Ｒ）の変動速度が低下して第２停止図柄が停止（仮停止）し、最後に第３停止図柄（本例では中演出図柄８Ｃ）の変動速度が低下して第３停止図柄が停止（仮停止）する。この後、３つの演出図柄８Ｌ，８Ｃ，８Ｒが確定停止することで、変動表示の表示結果が導出表示され、これをもって１回の変動表示が終了する。このような変動表示の開始から終了までの流れをベースとして、ノーマル変動やリーチ演出等が行われる。
【０３０３】
例えば、特図保留球数や遊技状態に応じた特別図柄の変動時間短縮機能が作動していない場合（変動時間短縮機能非作動時）において、３つの演出図柄８Ｌ，８Ｃ，８Ｒが変動表示を開始した場合、当該変動開始から所定時間（例えば９秒）が経過したタイミングで左演出図柄８Ｌ（第１停止図柄）が停止（仮停止）し、これに続いて右演出図柄８Ｒ（第２停止図柄）が停止（仮停止）する。このとき、左右の演出図柄８Ｌ，８Ｒが同じ数字の図柄（リーチ態様）で停止（仮停止）すればリーチ成立となり、その後、リーチ演出に発展する。一方、リーチ成立とならなければ（つまり、ノーマル変動であれば）、右演出図柄８Ｒ（第２停止図柄）の停止（仮停止）に続いて中演出図柄８Ｃ（第３停止図柄）が停止（仮停止）する。本実施例では、ノーマル変動にて、演出図柄８の変動開始から第３停止図柄（本例では中演出図柄８Ｃ）が停止（仮停止）するまでにかかる時間は約１１秒となっている。但し、特別図柄の変動時間短縮機能が作動している場合のノーマル変動では、変動表示の開始から左演出図柄８Ｌ（第１停止図柄）が停止（仮停止）するまでにかかる時間が通常（変動時間短縮機能非作動時）よりも短くなり、これに伴って、右演出図柄８Ｒ（第２停止図柄）および中演出図柄８Ｃ（第３停止図柄）が停止（仮停止）するまでにかかる時間も短くなる。
【０３０４】
なお、S4505にて設定される変動演出パターンや、後述のS4506で設定される予告演出パターンによっては、例えば、演出図柄８の変動表示の開始後、３つの演出図柄８Ｌ，８Ｃ，８Ｒが同時期に一斉に停止（仮停止）したり、第１停止図柄が停止するまでの所定時間（例えば９秒）を越えても全図柄が変動し続けたりする等、演出図柄の停止表示の順序やタイミング等が前述した態様と異なる場合がある。
【０３０５】
次いでS4506では、予告演出の設定に係る処理（予告演出設定処理）を行う（S4506）。予告演出とは、現在実行中の変動表示に関する示唆や、記憶されている保留（後に実行される変動表示）に関する示唆を行う演出のことであり、例えば、現在実行中の変動表示の表示結果が大当り態様となる可能性を示唆したり、後に実行される変動表示の表示結果が大当り態様となる可能性を示唆したりする演出である。予告演出のことを「示唆演出」ともいう。本実施例では、S4400で記憶した演出保留情報（事前判定結果）に基づく予告演出（「保留先読み予告」ともいう。）や、現在（今回）の変動表示（「当該変動」ともいう。）に係る予告演出（「当該変動予告」ともいう。）など、種々の予告演出が実行可能となっていることから、S4506では、各予告演出について実行するか否か（実行有無）を判定したり、実行する予告演出の実行パターン（予告演出パターン）を設定したりする。具体的には、S4501で取得した予告演出決定用乱数と、副制御基板９０のＲＯＭに記憶された予告演出決定テーブル（図示せず）とに基づいて、予告演出の実行有無や予告演出パターンを決定し、この決定結果に基づいて予告演出パターンを設定する。予告演出（示唆演出）は、例えば、大当り期待度を示唆する画像（「予告画像」又は「示唆画像」ともいう。）を表示画面７ａに表示すること（「予告表示」又は「示唆表示」ともいう。）により行われる。なお、予告演出は、そのような表示演出（予告表示、示唆表示）の他、音演出や光演出、可動演出によっても行うことが可能であり、これら各演出の組み合わせにより行うことも可能である。
【０３０６】
S4400で記憶される演出保留情報の記憶内容（演出保留情報記憶領域の記憶内容）や、S4502での変動開始コマンドの解析結果により特定される特別図柄当否判定の結果（今回の特図変動表示に係る当否判定の結果）、同じく変動開始コマンドの解析結果により特定される特別図柄の変動パターン情報（今回の特図変動表示に係る変動パターンや停止図柄）によって、S4506で設定する予告演出パターン、すなわち、実行する予告演出の種類（予告種）や態様、予告演出の有無等は、異なるものとなる。予告演出を実行する場合、複数の予告演出のうち、一の予告演出（一種類の予告演出）を実行することもあれば、二以上の予告演出（複数種の予告演出）を実行すること、すなわち、一の変動表示中（変動演出中）に複数種の予告演出を各々の実行タイミングで実行することもある。
【０３０７】
次いでS4507では、S4505で設定した変動演出パターン及びS4506で設定した予告演出パターンに基づいて変動演出等を開始するための変動演出開始コマンドをサブ出力バッファにセットし（S4507）、変動演出開始処理を終える。S4507でセットされた変動演出開始コマンドが、コマンド送信処理（S4006）により画像制御基板１００に送信されると、画像制御用マイコン１０１は、変動演出開始コマンドに基づき特定される変動演出パターン、すなわちS4505で設定された変動演出パターンに対応する所定の変動演出用画像データ（演出図柄８の変動開始、変動中、変動停止等を構成する画像データ）と、変動演出開始コマンドに基づき特定される予告演出パターン、すなわちS4506で設定された予告演出パターンに対応する所定の予告演出用画像データを画像制御基板１００のＲＯＭから読み出して、該読み出した画像データによる変動演出や予告演出等を画像表示装置７の表示画面７ａ上で実行する。また、演出表示器１０２での２個のＬＥＤによる変動表示（点滅表示）も実行する。さらに、当該変動演出の実行に合わせて、音声制御基板１０６及びランプ制御基板１０７を介して、音演出や光演出、可動演出等の各演出が実行される。
【０３０８】
［変動演出終了処理］
次に、受信コマンド解析処理（S4302）において、主制御基板８０から変動停止コマンド（S1902を参照）を受信したことに基づいて実行される変動演出終了処理（S4407）について説明する。図４６Ａ及び図４６Ｂに示すように、変動演出終了処理（S4407）ではまず、変動停止した今回の変動表示（当該変動）が外れ変動であるか否かを判定する（S4601）。その結果、外れ変動でないと判定した場合（S4601でNO）、すなわち、当該変動が大当り変動である場合、後述のS4619の処理（図４６Ｂを参照）に移行する。
【０３０９】
これに対し、変動停止した当該変動が外れ変動であると判定した場合（S4601でYES）、vモードステータスが「２」であるか否かを判定する（S4603）。前述のように、モードステータス「２」は演出モードＢに対応するので、モードステータスが「２」である場合、現在の演出モードは演出モードＢ、すなわち、バトルモードということになる。
【０３１０】
S4603でモードステータスが「２」でないと判定した場合（S4603でNO）、すなわち、現在のモードステータスが「１」、「３」、「４」又は「５」である場合、後述のS4623の処理（図４６Ｂを参照）に移行する。一方、モードステータスが「２」であると判定した場合（S4603でYES）、すなわち、バトルモード中である場合、当該バトルモードが次の変動表示（「次変動」ともいう。）に継続する否かを判定する（S4605）。このS4605の処理は、当該変動（外れ変動）をもってバトルモードが終了するか否かを判定する処理であるともいえる。
【０３１１】
ここで、バトルモードは７Ｒ大当り遊技の終了後に開始（設定）される演出モード（演出モードＢ）であるところ、バトルモードの開始契機（演出モードＢの設定契機）となる７Ｒ大当りに対して予め定められている時短機能及び高ベース発生機能の作動期間（図６を参照）に基づいて、バトルモードの継続期間が設定（決定）される。
【０３１２】
具体的には、バトルモードの開始契機が７Ｒ第１大当り又は７Ｒ第２大当りである場合、当該大当り遊技の終了後、５０回の変動遊技が行われるまでバトルモードとなる。そして、大当りが発生することなく５０回目の変動遊技が終了すると、これをもってバトルモードは終了する。この後、そのバトルモードが７Ｒ第１大当りに起因する場合には、高確低ベース状態に対応するリベンジモード（演出モードＣ）に移行し、７Ｒ第２大当りに起因する場合には、低確低ベース状態（通常遊技状態）に対応する通常モード（演出モードＡ）に移行する。
【０３１３】
また、バトルモードの開始契機が７Ｒ第３大当り又は７Ｒ第４大当りである場合、当該大当り遊技の終了後、７５回の変動遊技が行われるまでバトルモードとなる。そして、大当りが発生することなく７５回目の変動遊技が終了すると、これをもってバトルモードは終了する。この後、そのバトルモードが７Ｒ第３大当りに起因する場合にはリベンジモード（演出モードＣ）に移行し、７Ｒ第４大当りに起因する場合には通常モード（演出モードＡ）に移行する。
【０３１４】
また、バトルモードの開始契機が７Ｒ第５大当り又は７Ｒ第６大当りである場合、当該大当り遊技の終了後、１００回の変動遊技が行われるまでバトルモードとなる。そして、大当りが発生することなく１００回目の変動遊技が終了すると、これをもってバトルモードは終了する。この後、そのバトルモードが７Ｒ第５大当りに起因する場合にはリベンジモード（演出モードＣ）に移行し、７Ｒ第６大当りに起因する場合には通常モード（演出モードＡ）に移行する。
【０３１５】
また、バトルモードの開始契機が７Ｒ第７大当りである場合、当該大当り遊技の終了後、１００回の変動遊技が行われるまでバトルモードとなる。そして、大当りが発生することなく１００回目の変動遊技が終了すると、これをもってバトルモードは終了する。この後、高確高ベース状態（確変遊技状態）に対応する天国モード（演出モードＤ）に移行する。
【０３１６】
このように本パチンコ遊技機１では、７Ｒ大当り遊技が終了してバトルモードが開始されると、５０回、７５回又は１００回の変動遊技が行われるまでバトルモードが継続し得るものとなっている。そして、バトルモードで変動遊技が１００回行われた場合、それ以降（１０１回目以降）に天国モードに移行し得るものとなっている。こうしたバトルモードの継続態様を利用して、バトルモードでの変動遊技が５０回に到達した場合と７５回に到達した場合との各回の変動遊技をバトルモード継続分岐点とし、当該分岐点の変動遊技でバトルモードが継続するか否かを示す演出を実行するようにしている。また、バトルモードでの変動遊技が１００回に到達した場合の当該変動遊技をバトルモード最終分岐点とし、当該分岐点の変動遊技で天国モードに移行するか否かを示す演出を実行するようにしている。バトルモードの詳細については後述する。
【０３１７】
なお、サブ制御部（演出制御用マイコン）によるバトルモード中の変動遊技の実行回数の特定（判定）は、例えば、主制御部が備える確変カウンタや時短カウンタと同様のカウンタを副制御基板９０のＲＡＭに設けたり、主制御部からの変動開始コマンド又は変動停止コマンドに確変・時短の残り変動回数に関する情報を含めてこれに基づいて特定したりすることにより、行うことができる。
【０３１８】
S4605でバトルモードが継続すると判定した場合（S4605でYES）、変動停止した当該変動が、バトルモード継続分岐点の変動遊技に該当するか否かを判定する（S4607）。すなわち、変動停止した当該変動（外れ変動）がバトルモード中の５０回目（「第１分岐点」ともいう。）又は７５回目（「第２分岐点」ともいう。）の変動遊技に該当するか否かを判定する（S4607）。その結果、該当しないと判定した場合（S4607でNO）、バトルモード中の分岐点以外の外れ変動終了時（外れ図柄停止時）に対応する演出（「第１停止時演出」ともいう。）の演出パターン（「第１停止時演出パターン」ともいう。）を設定する（S4609）。一方、該当すると判定した場合（S4607でYES）、バトルモード中の分岐点（継続）の外れ変動終了時（外れ図柄停止時）に対応する演出（「第２停止時演出」ともいう。）の演出パターン（「第２停止時演出パターン」ともいう。）を設定する（S4611）。そして、S4609又はS4611の処理に次いで、後述のS4623の処理に移行する。第１停止時演出パターン及び第２停止時演出パターンに基づく演出の内容については後述する。
【０３１９】
これに対し、S4605でバトルモードが継続しないと判定した場合（S4605でNO）、すなわち、変動停止した当該変動をもってバトルモードが終了する場合、次変動から天国モードに移行するか否かを判定する（S4613）。天国モードに移行するのは、今回のバトルモードが７Ｒ第７大当りに起因する場合である。
【０３２０】
S4613で天国モードに移行すると判定した場合（S4613でYES）、天国モードに移行する直前のバトルモード終了となる外れ変動終了時に対応する演出（「第３停止時演出」ともいう。）の演出パターン（「第３停止時演出パターン」ともいう。）を設定する（S4615）。一方、天国モードに移行しないと判定した場合（S4613でNO）、すなわち、リベンジモード又は通常モードに移行する場合、リベンジモード又は通常モードに移行する直前のバトルモード終了となる外れ変動終了時に対応する演出（「第４停止時演出」ともいう。）の演出パターン（「第４停止時演出パターン」ともいう。）を設定する（S4617）。そして、S4615又はS4617の処理に次いで、後述のS4623の処理に移行する。第３停止時演出パターン及び第４停止時演出パターンに基づく演出の内容については後述する。
【０３２１】
以上は、変動停止した当該変動が外れ変動である場合の処理であるが、これに対し、変動停止した当該変動が外れ変動でない場合（S4601でNO）、すなわち、大当り変動である場合、図４６Ｂに示すように、現在のモードステータスが「１」又は「３」であるか否かを判定する（S4619）。前述のように、モードステータス「１」は演出モードＡ、モードステータス「３」は演出モードＣにそれぞれ対応するので、モードステータスが「１」である場合、現在の演出モードは演出モードＡ、すなわち、通常モードということになり、モードステータスが「３」である場合、現在の演出モードは演出モードＣ、すなわち、リベンジモードということになる。
【０３２２】
ここで、演出モードＡが設定されるのは遊技状態が低確低ベース状態に制御されるときであり、演出モードＣが設定されるのは遊技状態が高確低ベース状態に制御されるときである。つまり、演出モードＡ（通常モード）及びＢ（リベンジモード）は、何れも左打ち遊技状態である。このため、S4619の判定処理は、現在の遊技状態が左打ち遊技状態であるか否かを判定する処理であるともいえる。
【０３２３】
S4619でモードステータスが「１」又は「３」でないと判定した場合（S4619でNO）、すなわち、モードステータスが「２」、「４」又は「５」である場合（右打ち遊技状態である場合）、S4621の処理を行うことなくS4623の処理に移行する。一方、モードステータスが「１」又は「３」であると判定した場合（S4619でYES）、すなわち、通常モード中またはリベンジモード中である場合（左打ち遊技状態である場合）、遊技領域３のうち右遊技領域３Ｂ（所定の領域）に向けて遊技球を発射する旨を遊技者に指示するための右打ち指示報知の実行を指定する右打ち指示報知コマンドをサブ出力バッファにセットする（S4621）。
【０３２４】
S4621でセットした右打ち指示報知コマンドがコマンド送信処理（S4006）により画像制御基板１００に送信されると、画像制御用マイコン１０１は、画像表示装置７の表示画面７ａ上で右打ち指示報知に係る演出（「右打ち指示報知演出」ともいう。）を実行する。このとき、右打ち指示報知演出は、変動停止した当該変動（大当り変動）の停止表示時間（大当り停止表示時間）中に実行（開始）されることとなる。特別図柄が大当り図柄（特定態様）で停止表示する際の変動停止コマンド（S1902を参照）を受信したこと、すなわち、特別図柄が大当り図柄で停止表示したことに基づいて、右打ち指示報知演出が実行（開始）されるからである。右打ち指示報知演出の内容については後述する。
【０３２５】
次いでS4623では、演出図柄８を停止表示して変動演出を終了させるための変動演出終了コマンドをサブ出力バッファにセットし（S4623）、本処理を終える。またS4623では、前述のS4609、S4611、S4615又はS4617で第１〜第４停止時演出パターンの何れかを設定した場合、すなわち、バトルモード中の外れ変動に係る変動演出の終了に該当する場合、その設定した停止時演出パターンに基づく演出の実行を指定するコマンド（「停止時演出コマンド」ともいう。）を併せてセットする（S4623）。停止時演出コマンドは、変動演出終了コマンドと別コマンドとしてもよいし、変動演出終了コマンドに含めてもよい。
【０３２６】
S4623でセットした変動演出終了コマンドがコマンド送信処理（S4006）により画像制御基板１００に送信されると、画像制御用マイコン１０１は、画像表示装置７の表示画面７ａ上で変動表示していた演出図柄８を停止表示して、変動演出を終了させる。このとき停止表示される演出図柄８は、前述のS4505で設定された停止演出図柄である。
【０３２７】
また、S4623でセットした停止時演出コマンドがコマンド送信処理（S4006）により画像制御基板１００に送信されると、画像制御用マイコン１０１は、画像表示装置７の表示画面７ａ上で停止時演出に係る演出表示を実行する。
【０３２８】
［バトルモード］
次に、バトルモードについて説明する。前述のようにバトルモードは、７Ｒ大当り遊技後の遊技状態として低確高ベース状態（第１モード）が設定された場合と高確高ベース状態（第２モード）が設定された場合との何れにおいても実行される演出モードである。
【０３２９】
バトルモード中は、変動遊技（変動演出）ごとに味方キャラが敵キャラを倒していき、バトルモード継続分岐点（本例では５０回目、７５回目）の変動遊技で敵ボスキャラを倒すことでバトルモードが継続する、といった流れで遊技が進行する。そして、バトルモード開始後、１００回目の変動遊技（バトルモード最終分岐点）で敵ボスキャラを倒すことで天国モードに移行し、これにより、高確高ベース状態（確変遊技状態）であることが遊技者に報知される。
【０３３０】
バトルモードが開始されると、画像表示装置７の表示画面７ａには、図５０（Ａ）に示すようなバトルモード対応の演出画面（バトルモード演出）が表示される。同図に示すように、バトルモード中の表示画面７ａには、演出図柄８（８Ｌ，８Ｃ，８Ｒ）と、バトルモードの残り変動回数を示す画像７０１（「残り変動回数画像」ともいう。）と、右打ちを指示する画像７０２（「右打ち指示画像」ともいう。）と、味方キャラを表す画像９０１（「味方キャラ画像」ともいう。）と、敵キャラを表す画像９０２（「敵キャラ画像」ともいう。）と、倒すべき敵キャラの残り人数を示す画像９０３（「残り人数画像」ともいう。）と、が表示される。
【０３３１】
右打ちの文字と右矢印とを含んで構成される画像７０２（右打ち指示画像）は、低確低ベース状態で７Ｒ大当りが発生した場合の当該７Ｒ大当り遊技の１Ｒ目から表示されるものであり、これ以降、右打ちで遊技を進める状態（右打ち遊技状態）が終了するまで表示される。
【０３３２】
バトルモード中は、変動遊技の開始ごと（１変動ごと）に、画像７０１により示される残り変動回数が１減算される演出表示（減算表示）が展開される。またバトルモード中は、変動遊技の開始ごと（１変動ごと）に、画面左上に数名の敵キャラが出現し（図５０（Ａ）を参照）、その敵キャラを味方キャラが倒す様子を描いた演出表示（変動演出）が、変動遊技中に画像９０１，９０２により展開される。このようなバトルモード及び当該バトルモード中に実行される画像７０１，９０１，９０２による演出表示は、「モード演出」の一例である。
【０３３３】
画像７０１による演出表示（減算表示）は、主制御基板８０からの変動開始コマンドの受信に基づいて実行されるものである。また、画像９０１，９０２による演出表示（敵キャラを味方キャラが倒す様子を描いた演出表示）は、S4505で設定される変動演出パターンに基づいて実行されるものである。
【０３３４】
バトルモード中（高ベース状態中）は、時短状態中の変動パターンに基づいて特別図柄の変動表示（変動遊技）が実行されるところ、バトルモード中の外れ変動の殆どは変動時間２０００ｍｓの変動パターン（Ｐ２２）に基づいて実行され、特図２保留球数「１」で開始される外れ変動の殆どは変動時間１２０００ｍｓの変動パターン（Ｐ１８）に基づいて実行される（図９を参照）。これらの変動パターン（Ｐ１８又はＰ２２）に基づいて実行される外れ変動に対応する変動演出として、画像９０１，９０２による演出表示が実行される。なお、バトルモード中に変動パターンＰ１８及びＰ２２以外の変動パターンが選択された場合には、その選択された変動パターンに基づく外れ変動又は大当り変動に対応する演出表示（例えば、所定のリーチ演出）が実行される。
【０３３５】
また、画像９０１，９０２による演出表示が実行されると、これに伴って、画像９０３により示される敵キャラの残り人数が減少する演出表示が展開される。画像９０３による演出表示（敵キャラの残り人数減算表示）は、S4609、S4611又はS4615で設定される第１〜第３停止時演出パターンの何れかに基づいて実行される停止時演出であり、外れ変動の終了により特別図柄（及び演出図柄８）が外れ態様（非特定態様）で停止表示した際の停止表示時間中（停止表示期間中）に実行される。この画像９０３による演出表示は、低確高ベース状態又は高確高ベース状態の何れが設定された場合にも実行可能とされるものであり、「第１所定演出」の一例である。
【０３３６】
本実施例では、第１〜第３停止時演出パターンにより、敵キャラの残り人数の減少数（例えば、１人〜１０人の何れか）を定めるものとしている。なお、敵キャラの残り人数の減少数を、変動開始時に設定される変動演出パターンにより定めるようにしてもよい。
【０３３７】
またバトルモードのうち、バトルモード継続分岐点（５０回目、７５回目）及びバトルモード最終分岐点（１００回目）で実行される外れ変動は、必ず３００００ｍｓの変動パターン（Ｐ１７又はＰ２１）に基づいて実行される構成としている。すなわち、バトルモード中の５０回目、７５回目及び１００回目の特図２の変動表示の実行に際し、特図２変動パターン選択処理（S1203）では、特図保留球数に関係なく、外れ変動パターンとして変動パターンＰ１７又はＰ２１（図９を参照）を選択（設定）するようにしている。そして、バトルモードの各分岐点の変動遊技が開始されると、図５０（Ｂ）に示すように、味方キャラを表す画像９０１と敵ボスキャラを表す画像９０４とが表示画面７ａに表示され、当該変動に対応する演出表示（変動演出）として、味方キャラと敵ボスキャラとの対決シーンを描いた演出表示が画像９０１，９０４により展開される。このとき、画像７０１により示される残り変動回数は「０」である。画像９０１，９０４による演出表示（味方キャラＶＳ敵ボスキャラの対決演出）も、「モード演出」の一例である。
【０３３８】
そして、分岐点（５０回目、７５回目又は１００回目）で味方キャラが敗北すると、当該変動もってバトルモードが終了する（S4605でNO、S4613でNO）。この場合、分岐点の外れ変動が終了するとき、図５０（Ｃ）に示すように、表示画面７ａには、それまで表示されていた右打ち指示画像、味方キャラ画像および敵キャラ画像が非表示となり、左打ちを指示する画像７０３（「左打ち指示画像」ともいう。）と、バトルモード終了を示す文字（例えば「ＥＮＤ」の文字）等を含む画像９０５（「バトルモード終了報知画像」ともいう。）と、が表示される。画像７０３，９０５の表示は、S4617で設定される第４停止時演出パターンに基づいて実行される停止時演出であり、外れ変動の終了により特別図柄（及び演出図柄８）が外れ態様（非特定態様）で停止表示した際の停止表示時間中（停止表示期間中）に実行される。この画像７０３，９０５の表示は、低確高ベース状態又は高確高ベース状態の何れが設定された場合にも実行可能とされるものであり、「第１所定演出」の一例である。画像７０３，９０５の表示により、バトルモード（高ベース状態）が終了して低ベース状態に移行することが遊技者に報知される。
【０３３９】
画像７０３（左打ち指示画像）の表示（「左打ち指示報知演出」ともいう。）は、次変動が開始された後もしばらくの間（例えば、１０秒等の所定時間が経過するまで）実行される。遊技球の発射操作を「右打ち」から「左打ち」に切り替えることを遊技者に促すためである。
【０３４０】
また、画像９０５（バトルモード終了報知画像）の表示（バトルモード終了演出）は、次変動以降、所定回数（例えば３回）の変動遊技が終了するまで実行され、その後、画像９０５の表示に替えて、現在のモード（通常モード又はリベンジモード）を示す画像（図示せず）の表示（「モード報知演出」ともいう。）が実行される。モード報知演出の実行により、現在の遊技状態（ここでは低確低ベース状態又は高確低ベース状態）が遊技者に報知される。このようにバトルモードの終了後、所定回数の変動遊技が終了した後に現在の遊技状態を報知することで、所定回数の変動遊技が終了するまで、通常モード（低確低ベース状態）とリベンジモード（高確低ベース状態）の何れに移行するのかに遊技者の興味を惹きつけて、遊技の興趣を維持することが可能となる。
【０３４１】
一方、バトルモード継続分岐点（５０回目又は７５回目）で味方キャラが勝利すると、当該変動以降もバトルモードが継続する（S4605でYES、S4607でYES）。この場合、バトルモード継続分岐点の外れ変動が終了するとき、図５１（Ａ）に示すように、画像９０３により示される敵キャラの残り人数が１人減る演出表示が実行される。これは敵ボスキャラ分である。このときの画像９０３による演出表示（敵キャラの残り人数減算表示）は、S4611で設定される第２停止時演出パターンに基づいて実行される停止時演出であり、外れ変動の終了により特別図柄（及び演出図柄８）が外れ態様（非特定態様）で停止表示した際の停止表示時間中（停止表示期間中）に実行される。このときの画像９０３による演出表示は、低確高ベース状態又は高確高ベース状態の何れが設定された場合にも実行可能とされるものであり、「第１所定演出」の一例である。画像９０３は、バトルモードが継続する限り、次変動以降も表示される（図５０（Ａ）を参照）。
【０３４２】
また、バトルモード継続分岐点で味方キャラが勝利して外れ変動が終了するとき、図５１（Ａ）に示すように、画像７０１により示される残り変動回数が「２５」加算される演出表示（加算表示）が実行される。このときの画像７０１による演出表示（加算表示）は、S4611で設定される第２停止時演出パターンに基づいて実行される停止時演出であり、外れ変動の終了により特別図柄（及び演出図柄８）が外れ態様（非特定態様）で停止表示した際の停止表示時間中（停止表示期間中）に実行される。この画像７０１による演出表示（残り変動回数の加算表示）は、低確高ベース状態又は高確高ベース状態の何れが設定された場合にも実行可能とされるものであり、「第１所定演出」の一例である。
【０３４３】
また、バトルモード最終分岐点（１００回目）で味方キャラが勝利して外れ変動が終了するとき、図５１（Ｂ）に示すように、画像７０１により示される残り変動回数が「∞」（無限）に変更される演出表示（変更表示）と、画像９０３により示される敵キャラの残り人数が「０００」になる演出表示と、敵キャラをすべて倒したことを示す文字（例えば「全員撃退」の文字）等を含む画像９０６（「確変示唆画像」ともいう。）が出現する演出表示と、が実行される。このときの画像７０１，９０３，９０６による演出表示は、S4615で設定される第３停止時演出パターンに基づいて実行される停止時演出であり、外れ変動の終了により特別図柄（及び演出図柄８）が外れ態様（非特定態様）で停止表示した際の停止表示時間中（停止表示期間中）に実行される。この画像７０１，９０３，９０６による演出表示は、高確高ベース状態が設定された場合にのみ実行可能とされるものであり、「第２所定演出」の一例である。画像７０１，９０３，９０６の表示により、天国モードへの移行、すなわち、現在の遊技状態が高確高ベース状態であることが遊技者に報知される。なお、図５１（Ｂ）に示す画像７０１，９０３，９０６は、天国モード移行後、次の大当りが発生するまで表示されるが、その間の変動演出の展開によって非表示とすることも可能である。
【０３４４】
［右打ち指示報知演出］
次に、S4621でセットされる右打ち指示報知コマンドに基づいて実行される右打ち指示報知演出について説明する。図５２（Ａ）及び（Ｂ）に示すように、右打ち指示報知コマンドに基づく右打ち指示報知演出は、発射ハンドル６０を時計回り方向（右方向）に回転させる様子を表したハンドル画像及び矢印画像と、「右打ち！」の文字画像と、により構成される画像８０１（「右打ち指示演出画像」ともいう。）を表示画面７ａに表示することにより行われる。この画像８０１（右打ち指示演出画像）は、ハンドル画像を含まずに右矢印で構成される前述の画像７０２（右打ち指示画像）に比して、画像のサイズやデザインの面で目立つ態様となっており、遊技者の視覚により強く訴えることが可能な表示態様となっている。左打ちから右打ちへの切り替えを遊技者に強く促すためである。
【０３４５】
右打ち指示報知演出（右打ち指示演出画像の表示）は、低ベース状態（低確低ベース状態又は高確低ベース状態）にて特別図柄が７Ｒ大当り図柄（特定態様）で停止表示した場合、その停止表示期間中に実行される。このときの表示画面７ａの表示例を図５２（Ａ）に示す。前述したように、本実施例では、低ベース状態における大当り停止表示時間を５．０秒（５０００ｍｓ）としているので、図５２（Ａ）に示すように、演出図柄８が大当り演出図柄（例えば５のゾロ目）で停止表示（確定表示）している間に画像８０１が表示される。これにより、大当りの確定とともに右打ちの開始を遊技者に認識（理解）させることができる。
【０３４６】
本実施例では、大当り停止表示時間（停止表示期間）が経過してオープニング期間が開始された後も、右打ち指示報知演出（右打ち指示演出画像の表示）が継続して行われる。このときの表示画面７ａの表示例を図５２（Ｂ）に示す。前述したように、特別図柄が大当り図柄で停止表示し、停止表示時間を経て大当り遊技が開始される場合、主制御基板８０から副制御基板９０に対してオープニングコマンド（S2010を参照）が送信され、当該オープニングコマンドに基づくオープニング演出が、所定のオープニング期間に亘って実行される（S4408、S4409を参照）。本実施例では、図５２（Ｂ）に示すように、オープニング演出が表示画面７ａに表示される間も画像８０１が表示され、右打ち指示報知演出がオープニング期間中も実行される。
【０３４７】
そして、オープニング期間が経過して１ラウンド目のラウンド開始コマンドが主制御基板８０から副制御基板９０に対して送信されると、１ラウンド目のラウンド演出が実行される。このときの表示画面７ａの表示例を図５２（Ｃ）に示す。１ラウンド目の開始に伴いラウンド演出が表示画面７ａに表示されると（ラウンド演出が開始されると）、それまで表示画面７ａに表示されていた画像８０１（右打ち指示演出画像）が非表示となり（消去され）、これに換えて、画像７０２（右打ち指示画像）が表示画面７ａの右上に表示される。
【０３４８】
つまり、低ベース状態にて大当りが発生すると、画像８０１の表示による右打ち指示報知が当該大当りに係るオープニング期間の開始前から実行され、オープニング期間の終了（１ラウンド目の開始）を契機として、その画像８０１の表示が終了する。そして、オープニング期間の終了後（１ラウンド目の開始後）は、画像７０２の表示による右打ち指示報知が実行される。
【０３４９】
画像７０２は、大当り遊技中、大当り遊技の最終ラウンド終了後のエンディング期間中、及びエンディング期間経過後の高ベース状態（バトルモード、天国モード）、高ベース状態で特別図柄（演出図柄）が大当り態様で停止表示した際の停止表示期間中（大当り停止表示時間中）、及び、高ベース状態で発生した大当りのオープニング期間中に亘って表示画面７ａの右上に表示され続ける（図５０（Ａ），（Ｂ）、図５１（Ａ），（Ｂ）を参照）。そして、例えば、バトルモード中に大当りが発生することなく当該バトルモードが終了し、通常モード又はリベンジモードに移行すると、遊技状態が高ベース状態から低ベース状態に移行するため、当該低ベース状態への移行に伴って画像７０２は非表示となり（消去され）、これに換えて、画像７０３（左打ち指示画像）が表示画面７ａに表示される（図５０（Ｃ）を参照）。
【０３５０】
一方、バトルモード中（高ベース状態中）に大当り（例えば１５Ｒ大当り）が発生した場合、画像７０２はそのまま表示画面７ａに表示され、画像８０１（右打ち指示演出画像）は表示されない（右打ち指示報知演出は実行されない）。バトルモード中は高ベース状態（右打ち遊技状態）であるので遊技者は既に右打ちを行っており、画像７０２（右打ち指示画像）よりも目立つ態様（派手な態様）の画像８０１（右打ち指示演出画像）を改めて表示する（右打ち指示報知演出を実行する）必要性は低いからである。また、高ベース状態における大当り停止表示時間（本例では１．０秒）は、低ベース状態における大当り停止表示時間（本例では５．０秒）よりも短く、右打ち指示報知演出の態様を短時間のうちに変更するのは煩わしいからである。
【０３５１】
なお、画像７０２，８０１の表示による右打ち指示報知の実行に係る制御を行うサブ制御部（演出制御用マイコン９１）、画像制御部（画像制御用マイコン１０１）、及び、画像７０２，８０１を表示する画像表示装置７（表示画面７ａ）は、「指示報知実行手段」機能するものである。
【０３５２】
［実施例１の作用効果］
以上に説明した本実施例のパチンコ遊技機１では、遊技状態（変動遊技のモード）として低確高ベース状態（第１モード）又は高確高ベース状態（第２モード）が設定されているとき（バトルモード中）に実行される変動遊技で、識別情報（特別図柄、演出図柄）が非特定態様（外れ態様）で停止表示する場合、その停止表示の際（外れ変動の終了時）に、バトルモードで倒すべき敵キャラの残り人数を減算表示する演出（画像９０３による演出表示）、及び、バトルモードの残り変動回数を加算表示する演出（画像７０１による演出表示）等の停止時演出（第１所定演出）が実行される（図５０（Ａ），（Ｂ）、図５１（Ａ）を参照）。
【０３５３】
また、低確高ベース状態又は高確高ベース状態が設定されているとき（バトルモード中）の分岐点で実行される変動遊技（バトルモード中の５０回目、７５回目又は１００回目の変動遊技）で識別情報が非特定態様（外れ態様）で停止表示し、これをもってバトルモード（高ベース状態）が終了して低ベース状態に移行する場合、その停止表示の際（外れ変動の終了時）に、左打ちの指示報知（画像７０３による演出表示）、及び、バトルモードの終了報知（画像９０５による演出表示）等の停止時演出（第１所定演出）が実行される（図５０（Ｃ）を参照）。
【０３５４】
さらに、高確高ベース状態（第２モード）が設定されているとき（バトルモード中）のバトルモード最終分岐点で実行される変動遊技（バトルモード中の１００回目の変動遊技）で識別情報が非特定態様（外れ態様）で停止表示する場合、その停止表示の際（外れ変動の終了時）に、残り変動回数の表示を「∞」（無限）に変更する演出（画像７０１による演出表示）、倒すべき敵キャラの残り人数をゼロにする演出（画像９０３による演出表示）、及び、敵キャラをすべて倒したことを報知する演出（画像９０６による演出表示）等の停止時演出（第２所定演出）が実行される（図５１（Ｂ）を参照）。
【０３５５】
このため、バトルモード中、分岐点に到達する前の変動遊技の結果として非特定態様が停止表示した際に第１所定演出が実行されるときは、遊技状態が低確高ベース状態（第１モード）と高確高ベース状態（第２モード）との何れであるのかが遊技者にとって不明となり、分岐点の変動遊技の結果として非特定態様が停止表示した際に第１所定演出が実行されたときは、遊技状態が高確高ベース状態（第２モード）でないことが遊技者にとって明らかとなり、最終分岐点の変動遊技の結果として非特定態様が停止表示した際に第２所定演出が実行されたときは、遊技状態が高確高ベース状態（第２モード）であることが遊技者にとって明らかとなる。
【０３５６】
このように本実施例のパチンコ遊技機１では、バトルモード中の変動遊技で識別情報が非特定態様で停止表示した際、そのときの遊技状態（変動遊技のモード）に応じた態様の演出（第１所定演出又は第２所定演出）が出現し得るようになる。これにより、バトルモードで変動遊技が繰り返されるなか、識別情報が非特定態様で停止表示したときの演出（外れ変動終了時の演出）に遊技者の興味を惹きつけて、遊技の興趣を持続させることが可能となる。
【０３５７】
また本実施例のパチンコ遊技機１では、バトルモード中の変動遊技で識別情報が非特定態様（外れ態様）で停止表示する際、その停止表示期間において第１所定演出又は第２所定演出が実行される。このため、非特定態様（外れ態様）の停止表示期間（外れ停止表示時間）に遊技者の興味を惹きつけることが可能となる。これにより、識別情報が非特定態様で停止表示したときの興趣を高めることが可能となる。
【０３５８】
また本実施例のパチンコ遊技機１では、非特定態様の停止表示期間において、画像９０３による残り敵キャラの減算表示（第１所定演出、第２所定演出）や、画像７０１による残り変動回数の加算表示（第１所定演出）、画像７０３による左打ち指示報知演出（第１所定演出）、画像９０５によるバトルモード終了報知（第１所定演出）、画像７０１による残り変動回数の無限表示（第２所定演出）、画像９０６による全敵キャラ撃退報知（第２所定演出）等の停止時演出（所定演出）が実行（開始）された場合、その停止時演出は、停止表示期間が経過して次の変動遊技が開始された後も継続して表示（実行）される。このため、次の変動遊技に跨って停止時演出（所定演出）が実行されるようになる。これにより、停止時演出（所定演出）の実行を認識しやすくすることが可能となる。
【０３５９】
また本実施例のパチンコ遊技機１では、７Ｒ大当りに係る大当り遊技（特別遊技）終了後の遊技状態（変動遊技のモード）として、低確高ベース状態（第１モード）又は高確高ベース状態（第２モード）が設定され、高確高ベース状態の方が遊技者にとって有利とされている。そして、低確高ベース状態が設定された場合と高確高ベース状態が設定された場合との何れにおいても同様（共通）のモード演出（バトルモード）が実行され、そのモード演出の実行期間中（バトルモード中）に前述の第１所定演出又は第２所定演出が実行される。このため遊技者は、大当り遊技終了後の遊技状態（変動遊技のモード）が低確高ベース状態と高確高ベース状態との何れに設定されているのかをモード演出（バトルモード）から判別することはできないものの、分岐点の変動遊技で識別情報が非特定態様で停止表示したときの停止時演出（所定演出）を通じて、そのとき設定されているモードを判別することが可能となる。これにより、大当り遊技終了後の変動遊技において、識別情報が非特定態様で停止表示したときの興趣を高めることが可能となる。
【０３６０】
また本実施例のパチンコ遊技機１では、低ベース状態の変動遊技で識別情報が特定態様（大当り態様）で停止表示して大当り遊技（特別遊技）が実行される場合、その大当り遊技の開始に際して設定されるオープニング期間の開始前から、画像８０１の表示による右打ち指示報知演出（指示報知）が実行される（図５２（Ａ）を参照）。大当り遊技は大入賞口（特別入球口）に遊技球を入球させる遊技であるところ、大入賞口は、右遊技領域３Ｂに向けて発射された遊技球が入球し得るように構成されている。このため、大当り遊技のオープニング期間の開始前から右打ち指示報知演出（画像８０１の表示）が実行されることで、遊技者は右遊技領域３Ｂに向けて遊技球を発射すべきであることを大当り遊技開始前の早い段階から認識して、大入賞口への入球に対処することが可能となる。これにより、大当り遊技の開始に合わせて遊技球を適切に発射できるので、興趣が低下してしまうのを防ぐことが可能となる。
【０３６１】
また本実施例のパチンコ遊技機１では、画像８０１の表示による右打ち指示報知がオープニング期間の開始前に実行されると、その画像８０１の表示による右打ち指示報知はオープニング期間中も実行される（図５２（Ａ），（Ｂ）を参照）。そして、オープニング期間が終了して１ラウンド目のラウンド遊技が開始されると、画像８０１の表示による右打ち指示報知（「第１右打ち指示報知演出」ともいう。）に換えて、画像７０２による右打ち指示報知（「第２右打ち指示報知演出」ともいう。）が実行（開始）される（図５２（Ｃ）を参照）。このため、右遊技領域３Ｂに向けて遊技球を発射する旨の指示報知が、オープニング期間の開始前だけでなく、オープニング期間の終了後も実行されることとなる。これにより、遊技球の適切な発射を継続的に促すことが可能となる。
【０３６２】
また本実施例のパチンコ遊技機１では、オープニング期間の開始前から実行される右打ち指示報知（第１右打ち指示報知演出）の態様（画像８０１の表示）と、オープニング期間の終了後に実行される右打ち指示報知（第２右打ち指示報知演出）の態様（画像７０２の表示）とが異なるため、オープニング期間の開始前（大当り遊技開始前）から終了後（大当り遊技中）にかけて右打ち指示報知に変化をつけることが可能となる。これにより、遊技の状況に応じた右打ち指示報知が可能となる。
【０３６３】
また本実施例のパチンコ遊技機１では、変動遊技で識別情報が特定態様（大当り態様）で停止表示されると、その停止表示期間中（大当り停止表示時間中）に右打ち指示報知（画像８０１の表示または画像７０２の表示）が実行される。これにより、識別情報が特定態様で停止表示したときから、右遊技領域３Ｂに向けて遊技球を発射すべきであることを遊技者に認識させることが可能となる。
【０３６４】
また本実施例のパチンコ遊技機１では、変動遊技の実行契機となる第２始動口２１（可変始動口）への遊技球の入球頻度が相対的に低い低ベース状態（第１遊技状態）と相対的に高い高ベース状態（第２遊技状態）とがあり、低ベース状態にて識別情報が特定態様で停止表示した場合と、高ベース状態にて識別情報が特定態様で停止表示した場合とで、停止表示期間（大当り停止表示時間）が異なるものとされている。このため、識別情報が特定態様で停止表示したときの遊技状態に応じて、右打ち指示報知の実行期間や実行タイミング等を異ならせることが可能となる。これにより、遊技状態に応じた右打ち指示報知が可能となる。
【０３６５】
なお、前述の実施例１において、バトルモード中の変動遊技で識別情報が非特定態様（外れ態様）で停止表示した際に、敵キャラの残り人数を減算表示する停止時演出（画像９０３による演出表示）や、バトルモードの残り変動回数を加算表示する停止時演出（画像７０１による演出表示）を行う場合、その停止時演出（第１所定演出）を、遊技者にとって相対的に有利な高確高ベース状態（第２モード）が設定されている可能性を示唆する態様で実行するようにしてもよい。
【０３６６】
具体的には、例えば、第１所定演出としての停止時演出の態様として第１態様（通常態様）と第２態様（特別態様）とを設け、停止時演出（第１所定演出）を実行する場合、第１態様と第２態様の何れかを選択し、当該選択した態様で停止時演出を実行するように構成する。そして、停止時演出（第１所定演出）を実行するときの遊技状態が低確高ベース状態（第１モード）である場合には、第２態様よりも第１態様の選択可能性（実行可能性）を高くし、高確高ベース状態（第２モード）である場合には、第１態様よりも第２態様の選択可能性（実行可能性）を高くする。このように、停止時演出（第１所定演出）を第１態様又は第２態様で実行するように構成することで、高確高ベース状態（第２モード）が設定されている可能性を示唆する態様で停止時演出（第１所定演出）を実行することが可能である。
【０３６７】
こうすれば、バトルモード中、最終分岐点より前に行われる外れ変動において、第２態様による停止時演出の実行頻度が第１態様による停止時演出の実行頻度よりも高ければ、現在の遊技状態が高確高ベース状態である可能性（確変期待度）が高いといえるようになる。一方、第１態様による停止時演出の実行頻度が第２態様による停止時演出の実行頻度よりも高ければ、現在の遊技状態が高確高ベース状態である可能性（確変期待度）が低いといえるようになる。このため遊技者は、バトルモード中、最終分岐点より前に行われる外れ変動の終了に際して実行される停止時演出（第１所定演出）を通じて、現在設定されている遊技状態（モード）を推測することが可能となる。これにより、識別情報が非特定態様で停止表示したときの興趣をより高めることが可能となる。
【０３６８】
停止時演出（第１所定演出）の第１態様（通常態様）及び第２態様（特別態様）は、例えば、停止時演出（第１所定演出）で表示される画像の表示態様により設定することができる。具体的には、例えば、画像９０３や画像７０１の表示色として通常色（例えば青色）と特別色（赤色）とを設け、第１態様を通常色とし、第２態様を特別色とすることができる。また、画像９０３による敵キャラ残り人数の減算表示の態様として、減算表示の速度が異なる態様や、減算される残り人数（減算数）が異なる態様を設けてもよい。例えば、減算表示の速度が所定速度とされる第１態様と、第１態様よりも減算表示の速度が早い第２態様とを設けたり、減算数が所定数とされる第１態様と、第１態様よりも減算数が多い第２態様とを設けたりすることができる。なお、停止時演出（第１所定演出）の態様は第１態様及び第２態様の２つに限らず、３つ以上の態様を設けてもよい。
【０３６９】
また前述の実施例１において、バトルモード中の変動遊技で識別情報が非特定態様（外れ態様）で停止表示したときの停止時演出（所定演出）として、そのときの遊技状態（モード）に対応する態様で保留先読み予告を行うようにしてもよい。具体的には、例えば、第２特図保留が記憶されていることを示す第２演出保留９ｂを構成する保留図柄（保留アイコン）を、バトルモード中の表示画面７ａに表示し、その保留図柄の表示態様を外れ変動の終了を契機に変化させることで、保留先読み予告（「保留変化予告」ともいう。）を行うようにしてもよい。この場合、保留変化予告が行われていない普段の保留図柄を通常保留図柄とし、保留変化予告が行われたときの保留図柄を予告保留図柄とする。そして、予告保留図柄として、遊技状態が低確高ベース状態（第１モード）のときに表示可能な第１予告保留図柄と、高確高ベース状態（第２モード）のときに表示可能な第２予告保留図柄と、を設け、外れ変動の終了にあたって保留先読み予告の実行条件が成立した場合に、そのときの遊技状態に応じて第１予告保留図柄又は第２予告保留図柄を表示するように構成する。
【０３７０】
このような構成によれば、識別情報が非特定態様で停止表示したときの演出（所定演出）を通じて、そのとき記憶されている特図保留（例えば第２特図保留）に基づく変動遊技に関する示唆を行うことが可能となる。これによっても、識別情報が非特定態様で停止表示したときの興趣を高めることが可能となる。
【０３７１】
また前述の実施例１において、バトルモード中の停止時演出（所定演出）は、画像７０１，９０３等の各種画像による表示演出の他、音演出や光演出、可動演出であってもよく、これら演出の組み合わせであってもよい。
【０３７２】
また前述の実施例１において、右打ち指示報知演出や左打ち指示報知演出は、画像７０２，７０３，８０１の表示の他、盤面ランプや枠ランプ等の電飾部材の発光、スピーカからの音声出力等により行うようにしてもよく、これらの組み合わせであってもよい。
【０３７３】
また前述の実施例１において、バトルモードの終了に伴い遊技状態が高ベース状態から低ベース状態に移行した際、直前のバトルモード中（高ベース状態中）に発生した第２特図保留の消化（優先消化）による大当り（所謂「引き戻し」）が発生した場合、画像８０１による右打ち指示報知（第１右打ち指示報知演出）ではなく、画像７０２による右打ち指示報知（第２右打ち指示報知演出）を行うようにしてもよい。こうすれば、直近まで右打ちを行っていた遊技者に対し、再度の右打ち開始をシンプルに促すことができるので、右打ち指示報知演出の煩わしさを遊技者に極力感じさせないようにすることが可能となる。なお、この場合、低ベース状態での第２特図保留の消化に起因する大当り（実施例１では１５Ｒ第８又は第９大当り）に係る大当り停止表示時間を、高ベース状態における大当り停止表示時間と同様に、相対的に短い時間（例えば１．０秒）とし、当該短時間の停止表示期間中に第２右打ち指示報知演出を行うようにしてもよい。こうすれば、右打ちが終わった後すぐに右打ちを再開する場合、無駄に間を空けることなく、スムーズに右打ちを再開させることが可能となる。
【実施例２】
【０３７４】
次に、実施例２のパチンコ遊技機１について説明する。以下では、主に実施例１と異なる部分について説明し、実施例１と共通する部分（構成、作用効果等）については説明を省略する。また以下の説明では、実施例１と共通する構成については実施例１と同じ符号、制御ステップ数等を用いることとする。
【０３７５】
前述の実施例１では、３つ（３桁）の演出図柄８を、それぞれ「１」〜「９」の数字図柄により構成されるものとしていた。これに対し本実施例では、低確低ベース状態（通常モード）及び高確低ベース状態（リベンジモード）で表示される演出図柄８を、実施例１と同様に「１」〜「９」の数字図柄とし、低確高ベース状態（バトルモード）及び高確高ベース状態（バトルモード、天国モード、チャンスモード）で表示される演出図柄８を、数字を表す数字図柄とキャラクタが描かれたキャラクタ図柄とを含んで構成されるものとしている。
【０３７６】
具体的には、図５３に示すように、数字「１」に対してキャラクタ「Ａ」、数字「２」に対してキャラクタ「Ｂ」、といったように、「１」〜「９」の各々の数字図柄８０１に対してキャラクタ「Ａ」〜「Ｉ」の各々のキャラクタ図柄８０２を対応付けたものとしている。つまり、「１」〜「９」の９つの数字図柄８０１とキャラクタ「Ａ」〜「Ｉ」の９つのキャラクタ図柄８０２とを含んで演出図柄が構成されている。そして、同図に示すように、本実施例の演出図柄は偶数グループと奇数グループとに区別される。また、偶数グループに属する演出図柄を構成するキャラクタ図柄８０２（「１」〜「９」の数字図柄８０１のうち偶数図柄と対になるキャラクタ図柄）の表情は「普通顔」又は「不機嫌顔」となっており、奇数グループに属する演出図柄を構成するキャラクタ図柄８０２（「１」〜「９」の数字図柄８０１のうち奇数図柄と対になるキャラクタ図柄）の表情は「笑顔」となっている。
【０３７７】
以下では、数字「１」とキャラクタ「Ａ」とからなる図柄のことを「図柄１Ａ」ともいい、数字「２」とキャラクタ「Ｂ」とからなる図柄のことを「図柄２Ｂ」ともいい、数字「３」とキャラクタ「Ｃ」とからなる図柄のことを「図柄３Ｃ」ともいい、数字「４」とキャラクタ「Ｄ」とからなる図柄のことを「図柄４Ｄ」ともいい、数字「５」とキャラクタ「Ｅ」とからなる図柄のことを「図柄５Ｅ」ともいい、数字「６」とキャラクタ「Ｆ」とからなる図柄のことを「図柄６Ｆ」ともいい、数字「７」とキャラクタ「Ｇ」とからなる図柄のことを「図柄７Ｇ」ともいい、数字「８」とキャラクタ「Ｈ」とからなる図柄のことを「図柄８Ｈ」ともいい、数字「９」とキャラクタ「Ｉ」とからなる図柄のことを「図柄９Ｉ」ともいう。
【０３７８】
本実施例では、数字図柄８０１（１〜９）とキャラクタ図柄８０２（Ａ〜Ｉ）とを含んで構成される各図柄（図柄１Ａ〜９Ｉ）が、左演出図柄８Ｌ、中演出図柄８Ｃ及び右演出図柄８Ｒとして表示される。なお、演出図柄８（図柄１Ａ〜９Ｉ）を構成する数字図柄８０１は「第１図柄要素」の一例であり、キャラクタ図柄８０２は「第２図柄要素」の一例である。
【０３７９】
高ベース状態では、第２始動口２１への入球に基づく第２特別図柄当否判定（第２特別図柄の変動表示）が主として実行されるところ、その結果が１５Ｒ第８大当り（Ｖ通過予定大当り）である場合、これに対応する演出図柄８の停止表示態様（特定態様）として、奇数グループの同一図柄揃い（例えば「図柄７Ｇ・図柄７Ｇ・図柄７Ｇ」など）が表示され、１５Ｒ第９大当り（Ｖ非通過予定大当り）である場合、これに対応する演出図柄８の停止表示態様（特定態様）として、偶数グループの同一図柄揃い（例えば「図柄４Ｄ・図柄４Ｄ・図柄４Ｄ」）が表示される。このため本実施例では、演出図柄８が特定態様で停止表示された場合、その特定態様を構成する数字図柄が奇数なのか偶数なのかによって、Ｖ通過予定大当りなのかＶ非通過予定大当りなのかを判別することができる。また、特定態様を構成するキャラクタ図柄の表情が笑顔なのか笑顔以外（普通顔又は不機嫌顔）なのかによっても、Ｖ通過予定大当りなのかＶ非通過予定大当りなのかを判別することができる。
【０３８０】
本実施例では、変動演出の演出パターン（変動演出パターン）として、変動演出の開始後、左演出図柄８Ｌと右演出図柄８Ｒとが大当り態様を構成する図柄（本例では同じ種類の図柄）で停止表示（仮停止表示）してリーチが成立した場合、そのリーチを構成する図柄（リーチ図柄、停止図柄）の種類（停止表示態様）が変更される演出（「停止図柄変更演出」ともいう。）を含む演出パターン（「特定変動演出パターン」ともいう。）が設けられている。特定変動演出パターンは、リーチあり変動演出の演出パターンの一つであり、変動時間が４５０００ｍｓ以上の変動パターン（図９を参照）を指定する変動パターン指定コマンドを副制御基板９０が受信した場合に設定（実行）され得る。
【０３８１】
高ベース状態（低確高ベース状態又は高確高ベース状態）において、前述の変動演出開始処理（S4402）で特定変動演出パターンが設定され（S4505）、当該特定変動演出パターンに基づく変動演出を開始させるための変動演出開始コマンドがサブ出力バッファにセットされ（S4506）、そのコマンドがコマンド送信処理（S4006）により画像制御基板１００に送信されると、特定変動演出パターンに基づく変動演出が画像表示装置７の表示画面７ａ上で実行（表示）される。この変動演出（演出表示）の流れについて、図５４及び図５５を用いて説明する。なお、同図では、説明が煩雑になるのを避けるため、演出図柄８以外の表示画面７ａに表示される各種画像の図示を省略する。
【０３８２】
特定変動演出パターンに基づく変動演出が開始されると、表示画面７ａでは３つの演出図柄８Ｌ，８Ｃ，８Ｒが変動表示を開始する。その後、図５４（Ａ）に示すように、左演出図柄８Ｌ及び右演出図柄８Ｒが偶数グループの同じ図柄で停止表示（仮停止）して、リーチが成立する。同図では、リーチ図柄として「図柄４Ｄ」が停止表示（仮停止）した場合を示している。このとき（リーチ成立時点）の左演出図柄８Ｌ及び右演出図柄８Ｒの停止表示態様（リーチ図柄種）は、Ｖ非通過予定大当りの可能性がある旨を示す停止表示態様である。この停止表示態様は「第１停止表示態様」の一例である。
【０３８３】
続いてリーチ成立後、図５４（Ｂ）に示すように、中演出図柄８Ｃが変動表示を続けるなか、リーチ図柄を構成する左演出図柄８Ｌ及び右演出図柄８Ｒのうち、左右の数字図柄８０１，８０１が変動表示する。このとき、左右のキャラクタ図柄８０２，８０２は変動せず停止したまま（キャラクタ「Ｄ」のまま）である。そして、変動後の数字図柄８０１，８０１は、図５４（Ｃ）に示すように「７」で停止表示する。これにより、左右の数字図柄８０１，８０１が「４」（偶数）から「７」（奇数）に変化する。このとき、キャラクタ「Ｄ」に対応する数字は本来「４」であるところ、その数字が「７」に変化したため、数字図柄８０１とキャラクタ図柄８０２との対応関係が崩れたこととなる。
【０３８４】
その対応関係を正常にすべく、今度は、図５５（Ａ）に示すように、リーチ図柄を構成する左演出図柄８Ｌ及び右演出図柄８Ｒのうち、左右のキャラクタ図柄８０２，８０２が変動表示する。このとき、左右の数字図柄８０１，８０１は変動せず停止したまま（「７」のまま）である。そして、変動後のキャラクタ図柄８０２，８０２は、図５５（Ｂ）に示すようにキャラクタ「Ｇ」で停止表示する。これにより、左右のキャラクタ図柄８０２，８０２がキャラクタ「Ｄ」（不機嫌顔）からキャラクタ「Ｇ」（笑顔）に変化する。このキャラクタ「Ｇ」は、元々、数字「７」に対応するキャラクタである。これにより、リーチ図柄を構成する左演出図柄８Ｌ及び右演出図柄８Ｒは、それぞれ奇数グループの「図柄７Ｇ」となり、その停止表示態様（リーチ図柄種）は、Ｖ通過予定大当りの可能性がある旨を示す停止表示態様となる。この停止表示態様は「第２停止表示態様」の一例である。
【０３８５】
このように、変動演出においてリーチが成立した後、リーチ図柄に含まれる数字図柄の変動表示及び停止表示と、リーチ図柄に含まれるキャラクタ図柄の変動表示及び停止表示とが時間差をもって（段階的に）実行されることで、リーチ図柄の停止表示態様（リーチ図柄種）が変化する（変更される）のである。
【０３８６】
リーチ図柄の停止表示態様が変化した後（停止図柄変更演出後）は、図５５（Ｃ）に示すように、リーチ状態にある演出図柄８が表示画面７ａの所定位置（例えば左上）に移動して小さく表示され、表示画面７ａ上でＳＰ（スーパー）リーチ演出が実行（表示）される。そして、ＳＰリーチ演出を経て、演出図柄８が大当り態様（特定態様）又は外れ態様（非特定態様）で停止表示（確定停止）され、当該変動演出が終了する。
【０３８７】
なお、前述の実施例１で説明したように、ＳＰリーチ演出はノーマルリーチ演出と比較して大当りとなる可能性（大当り期待度）の高い遊技演出である。本実施例において、ノーマルリーチ演出は「所定の演出」の一例であり、ＳＰリーチ演出は「特定演出」の一例である。
【０３８８】
［実施例２の作用効果］
以上に説明した本実施例のパチンコ遊技機１では、高ベース状態中に実行される変動演出において、数字図柄８０１（第１図柄要素）とキャラクタ図柄８０２（第２図柄要素）とを含んで構成される図柄が、左演出図柄８Ｌ、中演出図柄８Ｃ及び右演出図柄８Ｒとして表示可能とされている（図５３を参照）。そして、特定変動演出パターンに基づく変動演出において変動表示される左・中・右の演出図柄８Ｌ，８Ｃ，８Ｒ（複数の図柄）のうち、左演出図柄８Ｌ及び右演出図柄８Ｒが同じ図柄で停止表示（仮停止）してリーチが成立した後、その停止表示した演出図柄（停止図柄）に含まれる左右２つの数字図柄８０１，８０１が変動及び停止表示することにより、数字図柄８０１，８０１の表示態様がリーチ成立時と異なる態様に変化する（図５４（Ａ）〜（Ｃ）を参照）。次いで、その表示態様が変化した数字図柄８０１，８０１に対応するキャラクタ図柄８０２，８０２が変動表示し、その後、停止表示する。このとき、表示態様が変化した後の数字図柄８０１，８０１に対応付けられた表示態様で、キャラクタ図柄８０２，８０２は停止表示する。このため、キャラクタ図柄８０２，８０２の表示態様もリーチ成立時と異なる態様に変化する（図５５（Ａ）〜（Ｂ）を参照）。
【０３８９】
このように変動演出の開始後、左演出図柄８Ｌ及び右演出図柄８Ｒが同じ図柄で停止表示（仮停止）してリーチが成立した後、その停止表示した図柄（リーチ図柄）に含まれる数字図柄８０１，８０１とキャラクタ図柄８０２，８０２とが、それぞれ時間差で（段階的に）独立して（部分的に）変動表示した後に停止表示することで、リーチ図柄を構成する左演出図柄８Ｌ及び右演出図柄８Ｒの停止表示態様（リーチ図柄種）が、数字図柄及びキャラクタ図柄の表示態様の変化前（先の停止表示態様）と変化後（後の停止表示態様）とで異なるものとなる。このため、変動演出で演出図柄が停止表示した際、その停止表示した演出図柄（停止図柄）を構成する数字図柄及びキャラクタ図柄の表示態様に変化が生じた場合には、一度停止表示した演出図柄による停止表示態様が変化することとなる。これにより、変動表示を経て停止表示する演出図柄に加えて停止表示した演出図柄（停止図柄）の図柄要素の表示態様変化にも遊技者の興味を惹きつけることが可能となり、延いては、変動演出の興趣を高めることが可能となる。
【０３９０】
また本実施例のパチンコ遊技機１では、変動演出で左演出図柄８Ｌ及び右演出図柄８Ｒが停止表示（仮停止）してリーチが成立した場合の当該左演出図柄８Ｌ及び右演出図柄８Ｒ（リーチ図柄）の停止表示態様（リーチ図柄種）には、偶数グループの図柄（リーチ図柄）による停止表示態様（第１停止表示態様）と、奇数グループの図柄（リーチ図柄）による停止表示態様（第２停止表示態様）とがあり、前者よりも後者の方が遊技者にとって有利な停止表示態様となっている。後者は、Ｖ通過予定大当りに係る大当り態様を構成する停止表示態様であり、高確率状態を発生させることが前提の大当りとなる可能性があるからである。
【０３９１】
そして、リーチ図柄を構成する左演出図柄８Ｌ及び右演出図柄８Ｒに含まれる数字図柄及びキャラクタ図柄の表示態様の変化を契機として、リーチ図柄の停止表示態様が変化する場合、すなわち、停止図柄変更演出を含む変動演出が実行される場合、その変化前の停止表示態様は偶数グループの図柄による停止表示態様（第１停止表示態様）となり、変化後の停止表示態様は奇数グループの図柄による停止表示態様（第２停止表示態様）となる。このため、リーチ成立時の停止表示態様が相対的に有利度の低い第１停止表示態様（非確変リーチ）であったとしても、その第１停止表示態様を構成するリーチ図柄に含まれる数字図柄及びキャラクタ図柄の表示態様に変化が生じると、リーチ図柄の停止表示態様が相対的に有利度の高い第２停止表示態様（確変リーチ）に変化する（昇格する）こととなる。これにより、リーチ図柄を構成する演出図柄に含まれる図柄要素の表示態様変化に対する遊技者の関心や期待を効果的に高めることが可能となる。
【０３９２】
また本実施例のパチンコ遊技機１では、大当り変動に対応する変動演出では、変動表示を経て停止表示する演出図柄８Ｌ，８Ｃ，８Ｒ（複数の図柄）による停止表示態様が大当り態様（特定態様）となる。そして、変動演出の実行中に、大当り期待度がノーマルリーチ演出（所定の演出）よりも高いＳＰリーチ演出（特定演出）が実行可能とされており、リーチ図柄を構成する左演出図柄８Ｌ及び右演出図柄８Ｒに含まれる第１図柄要素及び第２図柄要素の表示態様が変化すると、その変化後にＳＰリーチ演出が実行される。このため、変動演出でリーチが成立した際、そのリーチ図柄に含まれる数字図柄及びキャラクタ図柄の表示態様に変化が生じてＳＰリーチ演出が実行されると、当該変動演出の大当り期待度が高まることとなる。これにより、リーチ図柄を構成する演出図柄に含まれる図柄要素の表示態様変化を契機とするＳＰリーチ演出の実行に対する遊技者の関心や期待を高めることが可能となる。
【０３９３】
なお、前述の実施例２では、数字図柄とキャラクタ図柄とからなる演出図柄を高ベース状態で表示するものとしていたが、低ベース状態でも表示するようにしてもよい。また、遊技状態ではなく演出モードによって演出図柄の構成が異なる（変化する）ようにしてもよい。例えば、一の遊技状態（例えば低確低ベース状態）において複数の演出モードが存在する場合、そのうちの何れかの演出モードで実施例２と同様の数字図柄とキャラクタ図柄とを含む演出図柄を表示し、他の演出モードで実施例１と同様の演出図柄を表示するようにしてもよい。こうすれば、演出図柄のバリエーションを増やして変動演出の見た目に変化を持たせることができるので、遊技者を飽きさせ難くすることが可能となる。
【０３９４】
また前述の実施例２では、特定変動演出パターンに基づく変動演出（停止図柄変更演出を含む変動演出）が高ベース状態で実行され得るものとしていたが、低ベース状態で実行され得るようにしてもよい。こうすれば、低ベース状態における遊技の興趣を高めることが可能となる。
【０３９５】
また前述の実施例２では、停止図柄変更演出後にＳＰリーチ演出に発展するものとしていたが、ＳＰリーチ演出に発展する場合と発展しない場合とがあるようにしてもよい。こうすれば、停止図柄変更演出を含む変動演出の多様化が可能となる。
【０３９６】
また前述の実施例２では、数字図柄とキャラクタ図柄とを含んで構成される演出図柄を表示するものとしていたが、演出図柄を構成する図柄要素は、数字やキャラクタ以外の要素であってもよく、遊技者が識別（区別）可能な要素であればよい。さらに演出図柄を構成する図柄要素は３つ以上の要素（例えば、数字図柄とキャラクタ図柄とアイテム図柄など）であってもよい。
【０３９７】
また前述の実施例２では、３つの演出図柄のうち２つが停止表示（仮停止）してリーチが成立した際、当該リーチ演出中にリーチ図柄の停止表示態様を変化させる演出（停止図柄変更演出）を実行するものとしていたが、３つの演出図柄が停止表示（仮停止）した後に停止図柄変更演出を実行するように構成してもよい。この構成例に関する他の形態について説明する。
【０３９８】
具体的には、例えば、前述の実施例２と同様の数字図柄とキャラクタ図柄とを含む演出図柄を表示するものであって、変動演出パターンとして、左・中・右の演出図柄８Ｌ，８Ｃ，８Ｒが特定の出目で停止（仮停止）した場合に、ノーマルリーチ演出（所定の演出）に比して大当り期待度の高いＳＰリーチ演出や発展演出等の高期待度演出（特定演出）に発展するパターン（「他の特定変動演出パターン」ともいう。）を備え、高期待度演出への発展契機となる特定の出目が、演出図柄に含まれる数字の組み合わせが「１１２」や「２２３」など、左・中が同じ数字で右がそれに＋１した数字の組み合わせであるとする。
【０３９９】
この場合、他の特定変動演出パターンに基づく変動演出が実行されると、表示画面７ａでは、３つの演出図柄８Ｌ，８Ｃ，８Ｒが変動表示を開始した後、図５６（Ａ）に示すように完全バラケ目で停止表示（仮停止）する。図５６（Ａ）では、完全バラケ目として「図柄１Ａ・図柄２Ｂ・図柄５Ｅ」の組み合わせを示している。
【０４００】
その後、図５６（Ｂ）に示すように、演出図柄８Ｌ，８Ｃ，８Ｒに含まれる左・中・右のキャラクタ図柄８０２，８０２，８０２が変動表示を開始し、次いで、図５６（Ｃ）に示すように、演出図柄８Ｌ，８Ｃ，８Ｒに含まれる左・中・右の数字図柄８０１，８０１，８０１が変動表示を開始する。この後、図５６（Ｄ）に示すように、左・中のキャラクタ図柄８０２，８０２がキャラクタ「Ａ」、右のキャラクタ図柄８０２がキャラクタ「Ｂ」でそれぞれ停止表示するとともに、左・中の数字図柄８０１，８０１がキャラクタ「Ａ」に対応する「１」、右の数字図柄８０１がキャラクタ「Ｂ」に対応する「２」でそれぞれ停止表示して、特定の出目が表示される。図５６（Ｄ）では、特定の出目として「図柄１Ａ・図柄１Ａ・図柄２Ｂ」の組み合わせを示している。特定の出目が表示された後、表示画面７ａでは高期待度演出が実行（表示）される。
【０４０１】
このように他の形態では、演出図柄８Ｌ，８Ｃ，８Ｒが完全バラケ目で一旦停止表示した後、キャラクタ図柄の変動表示及び停止表示と数字図柄の変動表示及び停止表示とが段階的に実行されることで、演出図柄８Ｌ，８Ｃ，８Ｒの停止表示態様が、当初の完全バラケ目（第１停止表示態様）から、高期待度演出の実行契機となる特定の出目（第２停止表示態様）に変化する（変更される）。つまり、３つの演出図柄が停止表示（仮停止）した後に停止図柄変更演出が実行される。このような他の形態においても、実施例２と同様、停止表示した演出図柄（停止図柄）の図柄要素の表示態様変化に遊技者の興味を惹きつけて、変動演出の興趣を高めることが可能である。
【０４０２】
なお、他の形態においては、数字図柄８０１が「第２図柄要素」の一例であり、キャラクタ図柄８０２が「第１図柄要素」の一例である。
【０４０３】
以上、本発明の実施の形態として実施例１，２及び他の形態を説明してきたが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することが可能である。
【０４０４】
例えば前述の実施例等では、大当り遊技中に遊技球が第２大入賞口３５（Ｖアタッカー）内の特定領域を通過（Ｖ通過）したか否かに基づいて確率変動機能を作動させるか否かを決定するＶ確機に本発明を適用したものを例示したが、本発明はこれに限定されるものではない。例えば、大当り図柄の種類に基づいて確率変動機能を作動させるか否かを決定する１種タイプのパチンコ遊技機（所謂「図柄確変機」）にも本発明を適用することが可能である。あるいは、特別図柄当否判定の結果が小当りとなることで入球可能となる大入賞口内に特定領域（Ｖ領域）を備え、小当り遊技の際にその大入賞口に入球した遊技球が特定領域を通過（Ｖ通過）すると大当りとなり、大当り遊技が実行される１種２種タイプのパチンコ遊技機にも本発明を適用することも可能である。
【０４０５】
また前述の実施例では、確変カウンタに「１０，０００」をセットすることにより、実質的に次回大当りが発生するまで高確率状態に制御されるタイプのパチンコ遊技機に本発明を適用したものを例示したが、本発明はこれに限定されるものではない。例えば、次回大当りが発生することなく高確率状態が終了し得る値（例えば「１００」や「２００」等）を確変カウンタにセットすることにより、大当り遊技終了後の特図変動表示回数が所定回数になることに基づいて高確率状態が終了するタイプのパチンコ遊技機（所謂「ＳＴ機」）にも本発明を適用することが可能である。あるいは、高確率状態にて特図変動表示の開始ごとに高確率状態を終了させるか否かの抽選（所謂「転落抽選」）を行うタイプのパチンコ遊技機（所謂「転落抽選機」）にも本発明を適用することが可能である。
【０４０６】
また前述の実施例等では、大当り遊技中のＶラウンドで遊技球が特定領域を通過したことに基づいて高確率状態を発生させるという遊技上の特典を遊技者に付与するものを例示したが、本発明でいう特典は高確率状態の発生に限られるものではない。例えば、始動口への遊技球の入球頻度を高くする高ベース状態や、識別情報の変動時間を通常より短くする変動時間短縮状態（時短状態）等、遊技者に何らかの利益を付与するものであれば、その特典の内容（種類）は問わない。また、遊技球が特定領域を通過したことに基づいて、一の特典を付与するものであっても複数の特典を付与するものであってもよい。
【０４０７】
また前述の実施例等では、第２特図保留（第２特別図柄の変動表示）を第１特図保留（第１特別図柄の変動表示）に優先して消化する制御処理（所謂「特図２優先変動」）を採用していたが、これに限らず、第１特図保留を第２特図保留に優先して消化する制御処理（所謂「特図１優先変動」）としてもよい。あるいは、第１特図保留の消化と第２特図保留の消化とに優先順位を設定せず、第１特図保留および第２特図保留のうち、最も古く記憶されたものから順に消化する制御処理（所謂「入球順（記憶順）変動」）の制御処理としてもよい。また、第１特別図柄の変動表示と第２特別図柄の変動表示（第１特図保留の消化と第２特図保留の消化）とを並行して実行する制御処理（所謂「特図１，２同時変動」）を採用してもよい。
【０４０８】
また前述の実施例等では、始動入球に基づく事前判定について、特図保留記憶部に記憶した最新の取得乱数値（取得情報）を読み出して、当該読み出した取得乱数値（取得情報）を判定(事前判定)するものとしていたが（始動入球時処理（S209）、図１１、図３７等を参照）、事前判定の手法はこれに限定されるものではない。例えば、特図保留記憶部に加え、事前判定の対象となる取得情報（つまり、始動入球に基づいて取得された取得情報）を記憶する領域（取得情報記憶手段）を主制御部やサブ制御部のＲＡＭに設け、当該記憶領域（事前判定用記憶部）に記憶した取得情報を判定(事前判定)するものとしてもよい。この場合、事前判定の結果を主制御部やサブ制御部のＲＡＭに記憶することで、事前判定に用いた取得情報（別の記憶領域に記憶した取得情報）を消去することも可能である。あるいは、特図保留記憶部に記憶した取得情報について事前判定するのではなく、始動入球に基づいて取得された取得情報について事前判定するものとしてもよい。つまり、取得情報を特図保留記憶部に記憶する前に事前判定するようにしてもよい。この場合、特図保留記憶部と別に、事前判定の対象となる取得情報を記憶する領域を設ける必要はなく、また、特図保留記憶部に記憶した取得情報を事前判定のために読み出す必要もない。
【０４０９】
また前述の実施例等では、確率変動機能の非作動・作動により、大当り確率を低確率（第１確率）または高確率（第２確率）に設定可能としていたが、大当り確率の種類（数）はこれに限定されるものではなく、例えば、低確率（第１確率）よりも高く高確率（第２確率）よりも低い中確率（第３確率）等、３種類以上の確率を設定可能としてもよい。さらに、第１低確率と第１高確率（第１確率条件）、第２低確率と第２高確率（第２確率条件）、第３低確率と第３高確率（第３確率条件）など、低確率と高確率との関係を定めた複数種の確率条件を設け、当該複数種の確率条件のうちの何れかを、例えば、遊技機の電源投入時に任意に設定可能（選択可能）としてもよい。
【０４１０】
［その他］
以下、本明細書で開示した実施形態（実施例、他の形態）に関連する発明を参考発明として開示しておく。
【０４１１】
（参考発明１）
従来、識別情報の変動表示を行う表示手段を備え、その変動表示の表示結果が特定表示結果となったことに基づいて、遊技者にとって有利な特別遊技が実行可能となる遊技機が知られている（例えば、特開２００８−３７０号公報を参照）。この種の遊技機では、変動表示を経て停止表示（導出表示）される識別情報の表示態様によって、変動表示の表示結果が遊技者に報知される。このため遊技者は、表示手段に表示される識別情報に注目して遊技を進めることとなる。
【０４１２】
前述したタイプの遊技機は、特別遊技の実行を狙って識別情報を変動表示させるのが遊技の中心となるが、遊技者にとっては、特別遊技が実行されることなく識別情報の変動表示が何度も繰り返されると、遊技に対する興味が薄れてしまい遊技の興趣が低下する虞がある。
【０４１３】
本参考発明１は上記事情に鑑みてなされたものであり、その目的とするところは、識別情報の変動表示が繰り返されるなか遊技の興趣を持続させることが可能な遊技機を提供することにある。
【０４１４】
参考発明１−１の遊技機は、
識別情報を変動表示した後に停止表示する変動遊技を実行可能な変動遊技実行手段と、
前記変動遊技で識別情報が特定態様で停止表示したことに基づいて、遊技者に所定の利益が付与され得る特別遊技を実行可能な特別遊技実行手段と、
前記変動遊技のモードを設定可能なモード設定手段と、
演出を実行可能な演出実行手段と、を備え、
前記モード設定手段は、前記モードとして第１モード又は第２モードを設定可能であり、
前記演出実行手段は、前記変動遊技で識別情報が非特定態様で停止表示する場合、その停止表示の際に所定演出を実行可能であり、
前記所定演出には、前記第１モードが設定された場合に実行可能な第１所定演出と、前記第２モードが設定された場合に実行可能な第２所定演出と、がある
ことを特徴とする。
【０４１５】
このような遊技機によれば、第１モードが設定されているときに実行される変動遊技で識別情報が非特定態様で停止表示する場合、その停止表示の際に第１所定演出が実行可能となる。また、第２モードが設定されているときに実行される変動遊技で識別情報が非特定態様で停止表示する場合、その停止表示の際に、第１所定演出と異なる第２所定演出が実行可能となる。このため、変動遊技で識別情報が非特定態様で停止表示した際、そのときの変動遊技のモードに応じた態様の演出（第１所定演出又は第２所定演出）が出現し得るようになる。これにより、変動遊技が繰り返されるなか、識別情報が非特定態様で停止表示したときの演出に遊技者の興味を惹きつけて、遊技の興趣を持続させることが可能となる。
【０４１６】
参考発明１−２の遊技機は、前述した参考発明１−１の遊技機において、
前記演出実行手段は、前記変動遊技で識別情報が非特定態様で停止表示してから所定の停止表示期間が経過するまでの間に、前記第１所定演出又は前記第２所定演出を実行可能である
ことを特徴とする。
【０４１７】
このような遊技機によれば、変動遊技で識別情報が非特定態様で停止表示する際、その停止表示期間において第１所定演出又は第２所定演出が実行され得る。このため、非特定態様の停止表示期間に遊技者の興味を惹きつけることが可能となる。これにより、識別情報が非特定態様で停止表示したときの興趣を高めることが可能となる。
【０４１８】
参考発明１−３の遊技機は、前述した参考発明１−２の遊技機において、
前記演出実行手段は、前記停止表示期間が経過して次の前記変動遊技が開始された後も、前記第１所定演出又は前記第２所定演出を継続して実行可能である
ことを特徴とする。
【０４１９】
このような遊技機によれば、非特定態様の停止表示期間において所定演出（第１所定演出又は第２所定演出）が実行された場合、停止表示期間が経過して次の変動遊技が開始された後も、その所定演出が継続して実行可能とされる。このため、次の変動遊技に跨って所定演出が実行されるようになる。これにより、所定演出（第１所定演出又は第２所定演出）の実行を認識しやすくすることが可能となる。
【０４２０】
参考発明１−４の遊技機は、前述した参考発明１−１から１−３の何れか一つの遊技機において、
前記第１モード及び前記第２モードは、前記特別遊技の終了後に設定可能なモードであり、
前記第２モードは前記第１モードに比べ遊技者にとって有利なモードであり、
前記演出実行手段は、前記第１モードが設定された場合と前記第２モードが設定された場合との何れにおいても同様のモード演出をその設定されたモード中に実行可能であるとともに、前記モード演出の実行期間中に前記第１所定演出又は第２所定演出を実行可能である
ことを特徴とする。
【０４２１】
このような遊技機によれば、特別遊技終了後の変動遊技のモードとして第１モード又は第２モードが設定され、そのうち第２モードの方が遊技者にとって有利とされている。そして、第１モードが設定された場合と第２モードが設定された場合との何れにおいても同様のモード演出が実行され、そのモード演出の実行期間中に前述の第１所定演出又は第２所定演出が実行され得る。このため遊技者は、特別遊技終了後の変動遊技のモードが第１モードと第２モードとの何れに設定されているのかをモード演出から判別することはできないものの、識別情報が非特定態様で停止表示したときの演出（所定演出）を通じて、そのとき設定されているモードを判別することが可能となる。これにより、特別遊技終了後の変動遊技において、識別情報が非特定態様で停止表示したときの興趣を高めることが可能となる。
【０４２２】
参考発明１−５の遊技機は、前述した参考発明１−４の遊技機において、
前記演出実行手段は、前記モード演出の実行期間中に、前記第２モードが設定されている可能性を示唆する態様で前記第１所定演出を実行可能である
ことを特徴とする。
【０４２３】
このような遊技機によれば、モード演出の実行期間中に第１所定演出が実行される場合、その第１所定演出の態様（内容）によって、第２モードの設定可能性の示唆が可能となる。このため遊技者は、第１所定演出を通じて、現在設定されている変動遊技のモードを推測することが可能となる。これにより、識別情報が非特定態様で停止表示したときの興趣をより高めることが可能となる。
【０４２４】
参考発明１−６の遊技機は、前述した参考発明１−１から１−５の何れか一つの遊技機において、
所定条件の成立に基づいて取得された取得情報を記憶可能な取得情報記憶手段を備え、
前記変動遊技実行手段は、前記取得情報に基づいて前記変動遊技を実行可能であり、
前記第１所定演出及び前記第２所定演出は、前記取得情報記憶手段に記憶されている取得情報に関する示唆を行う演出である
ことを特徴とする。
【０４２５】
このような遊技機によれば、所定条件の成立により取得された取得情報が記憶され、その取得情報に基づいて変動遊技が実行される。そして、前述の第１所定演出及び第２所定演出は、記憶されている取得情報に関する示唆を行う演出として機能する。このため、識別情報が非特定態様で停止表示したときの演出（所定演出）を通じて、そのとき記憶されている取得情報に基づく変動遊技に関する示唆を行うことが可能となる。これにより、識別情報が非特定態様で停止表示したときの興趣を高めることが可能となる。
【０４２６】
以上の本参考発明１によれば、識別情報の変動表示が繰り返されるなか遊技の興趣を持続させることが可能である。
【０４２７】
（参考発明２）
従来、所定条件の成立に基づいて実行される当否判定の結果が特定結果である場合に、遊技者に所定の利益が付与され得る特別遊技が実行可能となる遊技機が広く知られている。この種の遊技機では、当否判定の結果に基づいて複数の図柄を変動表示した後に停止表示する変動演出が実行されるのが一般的である（例えば、特開２００９−９５４７０号公報を参照）。
【０４２８】
しかしながら、当否判定の結果に基づく変動演出は、その演出態様が画一的になりやすく、変動演出を行う遊技機の興趣を高めるには更なる改善の余地がある。
【０４２９】
本参考発明２は上記事情に鑑みてなされたものであり、その目的とするところは、変動演出の興趣を高めることが可能な遊技機を提供することにある。
【０４３０】
参考発明２−１の遊技機は、
所定条件の成立に基づいて実行される当否判定の結果が特定結果である場合に、遊技者に所定の利益が付与され得る特別遊技が実行可能となる遊技機であって、
複数の図柄を表示可能な表示手段と、
演出を実行可能な演出実行手段と、を備え、
前記演出実行手段は、前記当否判定の結果に基づいて前記複数の図柄を変動表示した後に停止表示する変動演出を実行可能であり、
前記図柄は、少なくとも第１図柄要素と第２図柄要素とを含んで構成されており、
前記変動演出において、前記複数の図柄のうち停止表示した図柄に含まれる前記第１図柄要素の表示態様が変化すると、当該停止表示した図柄に含まれる前記第２図柄要素の表示態様が変化し、
前記第１図柄要素及び前記第２図柄要素の表示態様が変化する前の前記停止表示した図柄による停止表示態様と、前記第１図柄要素及び前記第２図柄要素の表示態様が変化した後の前記停止表示した図柄による停止表示態様とが異なる
ことを特徴とする。
【０４３１】
このような遊技機によれば、当否判定の結果に基づいて実行される変動演出において、複数の図柄のうち停止表示した図柄（「停止図柄」ともいう。）に含まれる第１図柄要素の表示態様が変化すると、当該停止図柄に含まれる第２図柄要素の表示態様も変化する。そして、第１図柄要素及び第２図柄要素の表示態様が変化する前の停止図柄による停止表示態様（「先の停止表示態様」ともいう。）と、第１図柄要素及び第２図柄要素の表示態様が変化した後の停止図柄による停止表示態様（「後の停止表示態様」ともいう。）とが、異なるように構成されている。このため、変動演出で図柄が停止表示した際、その停止図柄に含まれる図柄要素の表示態様に変化が生じた場合には、一度停止表示した図柄による停止表示態様が変化することとなる。これにより、変動表示を経て停止表示する図柄に加えてその図柄（停止図柄）に含まれる図柄要素の表示態様変化にも遊技者の興味を惹きつけることが可能となり、延いては、変動演出の興趣を高めることが可能となる。
【０４３２】
参考発明２−２の遊技機は、前述した参考発明２−１の遊技機において、
前記停止表示態様には、第１停止表示態様と、該第１停止表示態様よりも遊技者に有利な第２停止表示態様とがあり、
前記第１図柄要素及び前記第２図柄要素の表示態様が変化する前の前記停止表示した図柄による停止表示態様は前記第１停止表示態様であり、
前記第１図柄要素及び前記第２図柄要素の表示態様が変化した後の前記停止表示した図柄による停止表示態様は前記第２停止表示態様である
ことを特徴とする。
【０４３３】
このような遊技機によれば、変動演出で停止表示した図柄による停止表示態様には第１停止表示態様と第２停止表示態様とがあり、第１停止表示態様よりも第２停止表示態様の方が遊技者にとって有利な停止表示態様とされている。そして、第１図柄要素及び第２図柄要素の表示態様の変化を契機として、停止図柄による停止表示態様が変化する場合、その変化前の停止表示態様は第１停止表示態様となり、変化後の停止表示態様は第２停止表示態様となる。このため、変動演出で停止表示した図柄による停止表示態様が第１停止表示態様であったとしても、その第１停止表示態様を構成する停止図柄に含まれる図柄要素の表示態様に変化が生じると、第１停止表示態様よりも有利な第２停止表示態様に変化することとなる。これにより、停止図柄に含まれる図柄要素の表示態様変化に対する遊技者の関心や期待を効果的に高めることが可能となる。
【０４３４】
参考発明２−３の遊技機は、前述した参考発明２−１又は２−２の遊技機において、
前記当否判定の結果が前記特定結果であることに基づいて前記複数の図柄が変動表示した後に停止表示する場合の当該複数の図柄による停止表示態様として特定態様を有し、
前記演出実行手段は、前記複数の図柄による停止表示態様が前記特定態様となる期待度が所定の演出よりも高い特定演出を前記変動演出中に実行可能であり、
前記第１図柄要素及び前記第２図柄要素の表示態様が変化した後、前記特定演出が実行され得る
ことを特徴とする。
【０４３５】
このような遊技機によれば、当否判定の結果が特定結果であることに基づいて実行される変動演出では、変動表示を経て停止表示する複数の図柄による停止表示態様が特定態様となる。そして、変動演出の実行中に、複数の図柄による停止表示態様が特定態様となる期待度が所定の演出よりも高い特定演出が実行可能とされており、変動演出で停止表示した図柄に含まれる第１図柄要素及び第２図柄要素の表示態様が変化すると、その変化後に特定演出が実行され得る。このため、変動演出で図柄が停止表示した際、その停止図柄に含まれる図柄要素の表示態様に変化が生じて特定演出が実行された場合には、特別遊技の期待度が高まることとなる。これにより、停止図柄に含まれる図柄要素の表示態様変化を契機とする特定演出の実行に対する遊技者の関心や期待を高めることが可能となる。
【０４３６】
以上の本参考発明２によれば、変動演出の興趣を高めることが可能である。
【０４３７】
（参考発明３）
従来、遊技盤に形成された遊技領域に向けて遊技球を発射して遊技を行う遊技機において、遊技球の発射方向を遊技状態に応じて異ならせるものが知られている。この種の遊技機では、遊技状態が変化する場合、その変化後の遊技状態に応じた遊技球の発射方向を遊技者に対して指示するのが一般的である（例えば、特開２００７−２５２６３０号公報を参照）。
【０４３８】
昨今の遊技機は、遊技中に行われる演出や遊技性が複雑化しており、遊技に慣れていない遊技者にとっては、遊技領域のうち何れの領域に向けて遊技球を発射すべきかを理解するのが難しいことがあり、興趣が低下してしまう虞がある。
【０４３９】
本参考発明３は上記事情に鑑みてなされたものであり、その目的とするところは、興趣が低下してしまうのを防ぐことが可能な遊技機を提供することにある。
【０４４０】
参考発明３−１の遊技機は、
遊技領域に向けて遊技球を発射して遊技を行う遊技機であって、
識別情報を変動表示した後に停止表示する変動遊技を実行可能な変動遊技実行手段と、
前記変動遊技で識別情報が特定態様で停止表示したことに基づいて、特別入球口に遊技球を入球させる特別遊技を実行可能な特別遊技実行手段と、
前記特別遊技の開始に際して所定のオープニング期間を設定するオープニング期間設定手段と、
前記遊技領域のうち所定の領域に向けて遊技球を発射する旨を遊技者に指示する指示報知を実行可能な指示報知実行手段と、を備え、
前記特別入球口は、前記所定の領域に向けて発射された遊技球が入球し得るように構成されており、
前記指示報知実行手段は、前記変動遊技で識別情報が前記特定態様で停止表示した場合、前記オープニング期間の開始前から前記指示報知を実行する
ことを特徴とする。
【０４４１】
このような遊技機によれば、変動遊技で識別情報が特定態様で停止表示して特別遊技が実行される場合、その特別遊技の開始に際して設定されるオープニング期間の開始前から、遊技領域のうち所定の領域に向けて遊技球を発射する旨を遊技者に指示する指示報知が実行される。特別遊技は特別入球口に遊技球を入球させる遊技であるところ、特別入球口は、遊技領域のうち所定の領域に向けて発射された遊技球が入球し得るように構成されている。このため、特別遊技のオープニング期間の開始前から指示報知が実行されることで、遊技者は所定の領域に向けて遊技球を発射すべきであることを特別遊技開始前の早い段階から認識して、特別入球口への入球に対処することが可能となる。これにより、特別遊技の開始に合わせて遊技球を適切に発射できるので、興趣が低下してしまうのを防ぐことが可能となる。
【０４４２】
参考発明３−２の遊技機は、前述した参考発明３−１の遊技機において、
前記指示報知実行手段は、前記オープニング期間の終了後も前記指示報知を実行する
ことを特徴とする。
【０４４３】
このような遊技機によれば、所定の領域に向けて遊技球を発射する旨の指示報知が、オープニング期間の開始前だけでなく、オープニング期間の終了後も実行される。これにより、遊技球の適切な発射を継続的に促すことが可能となる。
【０４４４】
参考発明３−３の遊技機は、前述した参考発明３−２の遊技機において、
前記オープニング期間の開始前から実行される前記指示報知の態様と、前記オープニング期間の終了後に実行される前記指示報知の態様とが異なる
ことを特徴とする。
【０４４５】
このような遊技機によれば、オープニング期間の開始前から実行される指示報知の態様と、オープニング期間の終了後に実行される指示報知の態様とが異なるため、オープニング期間の開始前（特別遊技開始前）から終了後（特別遊技中）にかけて指示報知に変化をつけることが可能となる。これにより、遊技の状況に応じた指示報知が可能となる。
【０４４６】
参考発明３−４の遊技機は、前述した参考発明３−１から３−３の何れか一つの遊技機において、
前記指示報知実行手段は、前記変動遊技で識別情報が前記特定態様で停止表示した場合、その停止表示期間中に前記指示報知を実行する
ことを特徴とする。
【０４４７】
このような遊技機によれば、変動遊技で識別情報が特定態様で停止表示されると、その停止表示期間中に指示報知が実行される。これにより、識別情報が特定態様で停止表示したときから、所定の領域に向けて遊技球を発射すべきであることを遊技者に認識させることが可能となる。
【０４４８】
参考発明３−５の遊技機は、前述した参考発明３−４の遊技機において、
前記遊技領域には、遊技球の入球可能性が変化可能な可変始動口が設けられており、
前記変動遊技実行手段は、前記可変始動口への遊技球の入球に基づいて前記変動遊技を実行可能であり、
前記変動遊技が実行可能な遊技状態として第１遊技状態と第２遊技状態とを有し、
前記第２遊技状態は、前記可変始動口への遊技球の入球頻度が前記第１遊技状態に比して高い遊技状態であり、
前記第１遊技状態にて実行される前記変動遊技で識別情報が前記特定態様で停止表示した場合と、前記第２遊技状態にて実行される前記変動遊技で識別情報が前記特定態様で停止表示した場合とで、停止表示期間が異なる
ことを特徴とする。
【０４４９】
このような遊技機によれば、変動遊技の実行契機となる可変始動口への遊技球の入球頻度が相対的に低い第１遊技状態と相対的に高い第２遊技状態とがあり、第１遊技状態にて識別情報が特定態様で停止表示した場合と、第２遊技状態にて識別情報が特定態様で停止表示した場合とで、停止表示期間が異なるものとされている。このため、識別情報が特定態様で停止表示したときの遊技状態に応じて、指示報知の実行期間や実行タイミング等を異ならせることが可能となる。これにより、遊技状態に応じた指示報知が可能となる。
【０４５０】
以上の本参考発明３によれば、興趣が低下してしまうのを防ぐことが可能である。
【符号の説明】
【０４５１】
１  パチンコ遊技機、２  遊技盤、３  遊技領域、３Ａ  左遊技領域、３Ｂ  右遊技領域、４  レール部材、５  盤面ランプ、７  画像表示装置、７ａ  表示画面、７ｂ  演出図柄表示領域（演出図柄表示部）、８  演出図柄、９ａ  第１演出保留、９ｂ  第２演出保留、１０  センター装飾体、１６  遊技釘、１９  固定入賞装置、２０  第１始動口、２１  第２始動口、２２  可変入賞装置、２３  開閉部材、３０  第１大入賞口、３１  第１大入賞装置、３２  開閉部材、３５  第２大入賞口（Ｖアタッカー）、３６  第２大入賞装置、３７  開閉部材、３９  特定領域、４０  主表示器、４１ａ  第１特別図柄表示器（第１特別図柄表示部）、４１ｂ  第２特別図柄表示器（第２特別図柄表示部）、５０  遊技機枠、５１  前面枠、５２  本体枠、５３  外枠、６０  発射ハンドル、６３ａ  第１演出ボタン、６３ｂ  第２演出ボタン、６６  枠ランプ、６７  スピーカ、８０  主制御基板（主制御部）、９０  副制御基板（サブ制御部）、１００  画像制御基板（画像制御部）、１５０  可動片、７０１  画像（残り変動回数画像）、７０２  画像（右打ち指示画像）、７０３（左打ち指示画像）、８０１  数字図柄、８０２  キャラクタ図柄、  ９０１  画像（味方キャラ画像）、９０２  画像（敵キャラ画像）、９０３  画像（残り人数画像）、９０４  画像（敵キャラ画像）、９０５  画像（バトルモード終了報知画像）、９０６  画像（確変示唆画像）。
【図１】
2020171855.tif 000003
【図２】
2020171855.tif 000004
【図３】
2020171855.tif 000005
【図４】
2020171855.tif 000006
【図５】
2020171855.tif 000007
【図６】
2020171855.tif 000008
【図７】
2020171855.tif 000009
【図８】
2020171855.tif 000010
【図９】
2020171855.tif 000011
【図１０】
2020171855.tif 000012
【図１１】
2020171855.tif 000013
【図１２】
2020171855.tif 000014
【図１３】
2020171855.tif 000015
【図１４】
2020171855.tif 000016
【図１５】
2020171855.tif 000017
【図１６】
2020171855.tif 000018
【図１７】
2020171855.tif 000019
【図１８】
2020171855.tif 000020
【図１９】
2020171855.tif 000021
【図２０】
2020171855.tif 000022
【図２１】
2020171855.tif 000023
【図２２】
2020171855.tif 000024
【図２３】
2020171855.tif 000025
【図２４】
2020171855.tif 000026
【図２５】
2020171855.tif 000027
【図２６】
2020171855.tif 000028
【図２７】
2020171855.tif 000029
【図２８】
2020171855.tif 000030
【図２９】
2020171855.tif 000031
【図３０】
2020171855.tif 000032
【図３１】
2020171855.tif 000033
【図３２】
2020171855.tif 000034
【図３３】
2020171855.tif 000035
【図３４】
2020171855.tif 000036
【図３５】
2020171855.tif 000037
【図３６】
2020171855.tif 000038
【図３７】
2020171855.tif 000039
【図３８】
2020171855.tif 000040
【図３９】
2020171855.tif 000041
【図４０】
2020171855.tif 000042
【図４１】
2020171855.tif 000043
【図４２】
2020171855.tif 000044
【図４３】
2020171855.tif 000045
【図４４】
2020171855.tif 000046
【図４５】
2020171855.tif 000047
【図４６Ａ】
2020171855.tif 000048
【図４６Ｂ】
2020171855.tif 000049
【図４７】
2020171855.tif 000050
【図４８】
2020171855.tif 000051
【図４９】
2020171855.tif 000052
【図５０】
2020171855.tif 000053
【図５１】
2020171855.tif 000054
【図５２】
2020171855.tif 000055
【図５３】
2020171855.tif 000056
【図５４】
2020171855.tif 000057
【図５５】
2020171855.tif 000058
【図５６】
2020171855.tif 000059